(57)【要約】      （修正有）【課題】多量の発光体を用いることなく、遊技者にインパクトのある光演出や光装飾を提供することができる遊技機を提供すること。【解決手段】  導光部材４５７ｄの裏面における発光体２８ｃとの対向位置に、発光体２８ｃからの照射光を導光部材４５７ｄの内部に導入する照射光導入面を構成するために凹設された第１の凹部６０３と、照射光導入面から導入され誘導された入射光を表面側に向けて反射させる入射光反射面を構成するために凹設された第２の凹部６０４と、を形成し、前記発光体２８ｃが発光した状態において、前記導光部材４５７ｄの表面における前記第１の凹部６０３の正面位置に、前記照射光導入面から導入された入射光により発光する第１の発光部が形成されるとともに、前記導光部材４５７ｄの表面における前記第２の凹部６０４の正面位置に、前記入射光反射面にて反射した反射光により発光する第２の発光部が形成されるようにした。【選択図】図１６
2008200294.tif 000002
【特許請求の範囲】
【請求項１】
装飾用の発光体を備える遊技機であって、
前記発光体の前方に配置され、前記発光体からの照射光を誘導する透光性材からなる導光部材を備え、
前記導光部材は、
該導光部材の裏面における前記発光体との対向位置に、前記発光体からの照射光を前記導光部材の内部に導入する照射光導入面を構成するために凹設された第１の凹部と、
該導光部材の裏面における前記第１の凹部から離間した位置に、前記照射光導入面から導入され誘導された入射光を表面側に向けて反射させる入射光反射面を構成するために凹設された第２の凹部と、
を備え、
前記発光体が発光した状態において、前記導光部材の表面における前記第１の凹部の正面位置に、前記照射光導入面から導入された入射光により発光する第１の発光部が形成されるとともに、前記導光部材の表面における前記第２の凹部の正面位置に、前記入射光反射面にて反射した反射光により発光する第２の発光部が形成されるようにした、
ことを特徴とする遊技機。
【請求項２】
前記第１の凹部内に、前記発光体からの照射光を前記第２の凹部側に向けて反射させて前記照射光導入面に入射させるための照射光反射面を設けた、
ことを特徴とする請求項１に記載の遊技機。
【請求項３】
前記導光部材は棒状部材からなり、該導光部材の表面側には、長手方向に延びるリブが幅方向に向けて複数本並設されている、
ことを特徴とする請求項１または２に記載の遊技機。
【請求項４】
前記導光部材は棒状部材からなり、
前記第１の凹部は、少なくとも前記第２の凹部を挟んで長手方向の両側に形成されており、
前記照射光導入面は、前記発光体からの照射光の照射方向に対して略直交する方向を向く導入平坦面を有し、
前記入射光反射面は、前記第２の凹部を挟んで長手方向の両側に形成された前記第１の凹部それぞれからの入射光を反射する一対の入射光反射面と、該一対の入射光反射面の間に形成され、前記導入平坦面と略平行をなし、かつ、該導入平坦面の長手幅寸法よりも小寸の長手幅寸法を有する反射平坦面と、を含む、
ことを特徴とする請求項１〜３のいずれかに記載の遊技機。
【請求項５】
前記反射平坦面には光拡散部が形成されている、
ことを特徴とする請求項４に記載の遊技機。
【請求項６】
前記遊技機の本体側には、前記導光部材を配置するための配置部が形成されており、
前記配置部は、
前記第１の凹部に嵌合可能に形成され、前記発光体からの照射光を前記第２の凹部側に向けて反射させて前記照射光導入面に入射させるための照射光反射面が設けられた第１の非透光性部と、
前記第２の凹部に嵌合可能に形成され、前記入射光反射面の裏面側に近接もしくは当接するように配置される補助反射面が設けられた第２の非透光性部と、
を有する、
ことを特徴とする請求項１〜５のいずれかに記載の遊技機。
【請求項７】
前記発光体及び前記導光部材が設けられる遊技枠と、
前記遊技枠に着脱自在に取り付けられ、表面に遊技領域が形成された遊技盤と、
遊技の進行を制御し、前記発光体を含む演出用の電気部品を制御させるための演出制御コマンドを送信する遊技制御手段と、
前記遊技制御手段が送信した演出制御コマンドに応じて前記演出用の電気部品を制御する演出制御手段と、
を備え、
前記遊技制御手段は、演出制御コマンドを前記演出制御手段に送信するコマンド送信手段を含み、
前記演出制御手段は、前記遊技制御手段から受信した演出制御コマンドにもとづいて、前記演出用の電気部品を制御するための制御信号をシリアル信号方式で出力する出力手段と、を含み、
前記出力手段から入力された制御信号をシリアル信号方式からパラレル信号方式に変換して前記演出用の電気部品に出力する、前記遊技盤に設けられた盤側シリアル−パラレル変換回路および前記遊技枠に設けられた枠側シリアル−パラレル変換回路をさらに備え、
前記盤側シリアル−パラレル変換回路は、パラレル信号方式に変換した制御信号を、前記演出用の電気部品のうち前記遊技盤に設けられた電気部品に出力し、
前記枠側シリアル−パラレル変換回路は、パラレル信号方式に変換した制御信号を、前記演出用の電気部品のうち前記遊技枠に設けられた前記発光体を含む電気部品に出力するものであり、
前記盤側シリアル−パラレル変換回路と前記枠側シリアル−パラレル変換回路とは、１系統の配線を介して接続されるとともに、あらかじめ相互に異なるアドレス情報が割り当てられ、自己のアドレス情報が付加された制御信号のみをパラレル信号方式に変換して出力するものであり、
前記出力手段は、前記遊技盤に設けられた電気部品を制御するための制御信号を出力するときには、前記盤側シリアル−パラレル変換回路を特定可能なアドレス情報を付加した制御信号をシリアル信号方式で出力し、前記遊技枠に設けられた前記発光体を含む電気部品を制御するための制御信号を出力するときには、前記枠側シリアル−パラレル変換回路を特定可能なアドレス情報を付加した制御信号をシリアル信号方式で出力する、
ことを特徴とする請求項１〜６のいずれかに記載の遊技機。
【発明の詳細な説明】
【技術分野】
【０００１】
本発明は、装飾用の発光体を備える遊技機に関する。
【背景技術】
【０００２】
従来、遊技球を用いて遊技を行うパチンコ機や、メダルを用いて賭数を設定することによりゲームが開始可能となるスロットマシン等の遊技機には、一般的にランプやＬＥＤ等の発光体が複数設けられ、これら発光体を遊技の進行状況等に応じて発光させることにより演出や装飾効果を高めている。
【０００３】
また、これら光による演出や装飾効果を高める方法として、発光体からの照射光を誘導可能な導光部材を用いて広範囲にわたり発光させるようにしたもの等がある。
【０００４】
この種の導光部材を用いて演出や装飾効果を高めたものの一例として、例えば棒状または線状に形成された光伝送ロッド（導光部材）における長手方向の両端部から光を供給する第１の発光体と、該両端部の略中央位置から光を供給する第２の発光体とを設け、第１の発光体からの光と第２の発光体からの光とが混合する混合部を光伝送ロッドに発生させるようにするとともに、光伝送ロッドの周面における第２の発光体との対向位置に窪み部を形成し、第２の発光体から光伝送ロッドへの光の入射角を平均的に小さくすることで、反射率を低減し入光の際の光の損失を極力防止するようにしたものがある（例えば、特許文献１参照）。
【０００５】
【特許文献１】特開２００４−３３３６５号公報（第１１頁、第６図）
【発明の開示】
【発明が解決しようとする課題】
【０００６】
しかしながら、上記特許文献１に記載の光伝送ロッド等の導光部材を用いることで、発光体からの光を誘導して広範囲にわたり発光させることもできるが、複数の発光体を並べて配置することにより広範囲にわたり発光させる場合に比べて演出のインパクトが弱くなる。
【０００７】
そこで、発光体の配置数量を増加させることが考えられるが、多量の発光体が必要となるので遊技機の製造コストが嵩むばかりか、消費電力も増大するといった問題があった。
【０００８】
本発明は、このような問題点に着目してなされたものであり、多量の発光体を用いることなく、遊技者にインパクトのある光演出や光装飾を提供することができる遊技機を提供することを目的とする。
【課題を解決するための手段】
【０００９】
上記課題を解決するために、本発明の請求項１に記載の遊技機は、
装飾用の発光体（装飾ＬＥＤ２５ａ、ステージ装飾ＬＥＤ２５ｂ、天枠ＬＥＤ２８ｂ、左枠ＬＥＤ２８ｂ，右枠ＬＥＤ２８ｃ、供給皿左ＬＥＤ２００ａ，２００ｃ、供給皿右ＬＥＤ２００ｂ，２００ｃ、供給皿前ＬＥＤ２０１ａ、受皿ＬＥＤ２０３、受皿左右ＬＥＤ２０３ａ，２０３ｂ等）を備える遊技機であって、
前記発光体（左枠ＬＥＤ２８ｂ，右枠ＬＥＤ２８ｃ、供給皿前ＬＥＤ２０１ａ、受皿左右ＬＥＤ２０３ａ，２０３ｂ）の前方に配置され、前記発光体からの照射光を誘導する透光性材からなる導光部材（サイドインナーレンズ４５７ａ〜４５７ｄ／上皿前中レンズ３３１Ｌ，３３１Ｒ／下皿光拡散レンズ３４３）を備え、
前記導光部材は、
該導光部材の裏面における前記発光体との対向位置に、前記発光体からの照射光を前記導光部材の内部に導入する照射光導入面（垂直導入面６０７ａ，上水平導入面６０７ｂ，下水平導入面６０７ｃ／横導入面７０７ａ，左縦導入面７０７ｂ，右縦導入面７０７ｃ／垂直導入面８０７ａ，上水平導入面８０７ｂ，下水平導入面８０７ｃ）を構成するために凹設された第１の凹部（６０３、７０３、８０３）と、
該導光部材の裏面における前記第１の凹部から離間した位置に、前記照射光導入面から導入され誘導された入射光を表面側に向けて反射させる入射光反射面（垂直反射面６０８ａ，上傾斜反射面６０８ｂ，下傾斜反射面６０８ｃ／横反射面７０８ａ，左傾斜反射面７０８ｂ，右傾斜反射面７０８ｃ／傾斜反射面８０８ｂ、８０８ｃ）を構成するために凹設された第２の凹部（６０４，７０４，８０４）と、
を備え、
前記発光体が発光した状態において、前記導光部材の表面における前記第１の凹部の正面（前面）位置に、前記照射光導入面から導入された入射光により発光する第１の発光部（第１の凸部６０５，７０５，８０５）が形成されるとともに、前記導光部材の表面における前記第２の凹部の正面位置に、前記入射光反射面にて反射した反射光により発光する第２の発光部（第２の凸部６０６，７０６，８０６）が形成されるようにした、
ことを特徴としている。
この特徴によれば、導光部材の裏面における発光体との対向位置に第１の凹部が凹設されることにより発光体からの照射光が表面側に向けて誘導されるだけでなく、該照射光の一部が照射光導入面から導光部材の内部に導入されて入射光反射面側に向けて誘導されやすくなり、入射光反射面にて表面側に向けて反射される反射光の光量が増加するため、発光体が裏面側に配置された第１の発光部だけでなく、発光体が配置されていない第２の発光部にて発光させることができるため、発光体の配置数量を増加することなく発光部を増加することができる。
【００１０】
本発明の請求項２に記載の遊技機は、請求項１に記載の遊技機であって、
前記第１の凹部（６０３、７０３、８０３）内に、前記発光体（左枠ＬＥＤ２８ｂ，右枠ＬＥＤ２８ｃ、供給皿前ＬＥＤ２０１ａ、受皿左右ＬＥＤ２０３ａ，２０３ｂ）からの照射光を前記第２の凹部（６０４，７０４，８０４）側に向けて反射させて前記照射光導入面に入射させるための照射光反射面｛照射光反射部６１２（上照射光反射面６１２ｂ，下照射光反射面６１２ｃ）照射光反射部７１２（左照射光反射面７１２ｂ，右照射光反射面７１２ｃ）照射光反射部８１２（上傾斜反射面８１２ｂ，下照射光反射面８１２ｃ｝を設けた、
ことを特徴としている。
この特徴によれば、照射光を効率よく入射光反射面に向けて反射させて誘導することができるため、第２の発光部の光量を増大させることができるばかりか、照射光の一部が反射することで第１の発光部における光量が低減されるため、第１の発光部と第２の発光部との光量の差を小さくし、違和感を低減させることができる。
【００１１】
本発明の請求項３に記載の遊技機は、請求項１または２に記載の遊技機であって、
前記導光部材（サイドインナーレンズ４５７ａ〜４５７ｄ／下皿光拡散レンズ３４３）は棒状部材からなり、該導光部材の表面側には、長手方向に延びるリブ（左リブ６０２Ｌ，中央リブ６０２Ｃ，右リブ６０２Ｒ／左リブ８０２Ｌ，中央リブ８０２Ｃ，右リブ８０２Ｒ）が幅方向に向けて複数本（３本）並設されている、
ことを特徴としている。
この特徴によれば、複数本のリブにより導光部材における第１の凹部や第２の凹部における折曲げ強度が向上するため、屈曲による破損が効果的に防止される。
【００１２】
本発明の請求項４に記載の遊技機は、請求項１〜３のいずれかに記載の記載の遊技機であって、
前記導光部材（サイドインナーレンズ４５７ａ〜４５７ｄ／上皿前中レンズ３３１Ｌ，３３１Ｒ／下皿光拡散レンズ３４３）は棒状部材からなり、
前記第１の凹部（６０３、７０３、８０３）は、少なくとも前記第２の凹部（６０４，７０４，８０４）を挟んで長手方向の両側（上下または左右）に形成されており、
前記照射光導入面は、前記発光体からの照射光の照射方向に対して略直交する方向を向く導入平坦面（垂直導入面６０７ａ／横導入面７０７ａ／垂直導入面８０７ａ）を有し、
前記入射光反射面は、前記第２の凹部を挟んで長手方向の両側に形成された前記第１の凹部それぞれからの入射光を反射する一対の入射光反射面（上傾斜反射面６０８ｂ，下傾斜反射面６０８ｃ／左傾斜反射面７０８ｂ，右傾斜反射面７０８ｃ／傾斜反射面８０８ｂ、８０８ｃ）と、該一対の入射光反射面の間に形成され、前記導入平坦面と略平行をなし、かつ、該導入平坦面の長手幅寸法よりも小寸の長手幅寸法を有する反射平坦面（垂直反射面６０８ａ／横反射面７０８ａ）と、を含む、
ことを特徴としている。
この特徴によれば、一対の入射光反射面間に反射平坦面の長手幅寸法が、導入した照射光を表面側、すなわち発光体の照射方向に向けて誘導する導入平坦面の長手幅寸法よりも小寸に形成されることで、第１の発光部と第２の発光部との光量の差を小さくでき、違和感を低減させることができるばかりか、一対の反射面間に反射平坦面が形成されることで、一対の反射面の端縁同士が接続される場合に比べて第２の凹部における折曲げ強度が向上するため、屈曲による破損が効果的に防止される。
【００１３】
本発明の請求項５に記載の遊技機は、請求項４に記載の遊技機であって、
前記反射平坦面（垂直反射面６０８ａ／横反射面７０８ａ）には光拡散部（ローレット加工が施された部分）が形成されている、
ことを特徴としている。
この特徴によれば、第２の発光部の光量をより増大させることができるため、第１の発光部と第２の発光部との光量の差を小さくし、違和感を低減させることができる。
【００１４】
本発明の請求項６に記載の遊技機は、請求項１〜５のいずれかに記載の遊技機であって、
前記遊技機（パチンコ機１）の本体側には、前記導光部材を配置するための配置部（レンズ配置部６１０）が形成されており、
前記配置部は、
前記第１の凹部（６０３、７０３、８０３）に嵌合可能に形成され、前記発光体（左枠ＬＥＤ２８ｂ，右枠ＬＥＤ２８ｃ、供給皿前ＬＥＤ２０１ａ、受皿左右ＬＥＤ２０３ａ，２０３ｂ）からの照射光を前記第２の凹部（６０４，７０４，８０４）側に向けて反射させて前記照射光導入面（垂直導入面６０７ａ，上水平導入面６０７ｂ，下水平導入面６０７ｃ／横導入面７０７ａ，左縦導入面７０７ｂ，右縦導入面７０７ｃ／垂直導入面８０７ａ，上水平導入面８０７ｂ，下水平導入面８０７ｃ）に入射させるための照射光反射面（上照射光反射面６１２ｂ，下照射光反射面６１２ｃ／左照射光反射面７１２ｂ，右照射光反射面７１２ｃ／上傾斜反射面８１２ｂ，下照射光反射面８１２ｃ）が設けられた第１の非透光性部（照射光反射部６１２，７１２，８１２）と、
前記第２の凹部（６０４，７０４，８０４）に嵌合可能に形成され、前記入射光反射面（垂直反射面６０８ａ，上傾斜反射面６０８ｂ，下傾斜反射面６０８ｃ／横反射面７０８ａ，左傾斜反射面７０８ｂ，右傾斜反射面７０８ｃ／傾斜反射面８０８ｂ、８０８ｃ）の裏面側に近接もしくは当接するように配置される補助反射面（垂直補助反射面６１３ａ，上補助反射面６１３ｂ，下補助反射面６１３ｃ／横補助反射面７１３ａ，左補助反射面７１３ｂ，右補助反射面７１３ｃ）が設けられた第２の非透光性部（補助反射部６１３，７１３，８１３）と、
を有する、
ことを特徴としている。
この特徴によれば、第１の非透光性部に入射光反射面が形成され、第２の非透光性部に補助反射面が設けられることで、第２の発光部の発光量を効果的に増加させることができるばかりか、導光部材を遊技機本体に設けられた配置部に配置するだけで入射光反射面や補助反射面が構成され、これら非透光性部を導光部材に直接形成する必要がないため、導光部材の成形が複雑化することがない。
【００１５】
本発明の請求項７に記載の遊技機は、請求項１〜６のいずれかに記載の遊技機であって、
前記発光体（左枠ＬＥＤ２８ｂ，右枠ＬＥＤ２８ｃ）及び前記導光部材（サイドインナーレンズ４５７ａ〜４５７ｄ）が設けられる遊技枠（前面枠１０１（ガラス扉枠１０２））と、
前記遊技枠に着脱自在に取り付けられ、表面に遊技領域（７）が形成された遊技盤（６）と、
遊技の進行を制御し、前記発光体を含む演出用の電気部品（各ＬＥＤ２５ａ、２５ｂ、５１、５２、２８ａ、２８ｂ、２８ｃ、２００ａ，２００ｂ、２００ｃ，２０１ａ、２０２ａ、２０３ａ，２０３ｂ、５１０ａ〜５１０ｄ等）を制御させるための演出制御コマンドを送信する遊技制御手段（遊技制御用マイクロコンピュータ１５６）と、
前記遊技制御手段が送信した演出制御コマンドに応じて前記演出用の電気部品を制御する演出制御手段（演出制御用マイクロコンピュータ８１）と、
を備え、
前記遊技制御手段は、演出制御コマンドを前記演出制御手段に送信するコマンド送信手段を含み、
前記演出制御手段は、前記遊技制御手段から受信した演出制御コマンドにもとづいて、前記演出用の電気部品を制御するための制御信号をシリアル信号方式で出力する出力手段と、を含み、
前記出力手段から入力された制御信号をシリアル信号方式からパラレル信号方式に変換して前記演出用の電気部品に出力する、前記遊技盤に設けられた盤側シリアル−パラレル変換回路（例えば、シリアル−パラレル変換ＩＣ）および前記遊技枠に設けられた枠側シリアル−パラレル変換回路（例えば、シリアル−パラレル変換ＩＣ）をさらに備え、
前記盤側シリアル−パラレル変換回路は、パラレル信号方式に変換した制御信号を、前記演出用の電気部品のうち前記遊技盤に設けられた電気部品（ＬＥＤ２５ａ、２５ｂ等）に出力し、
前記枠側シリアル−パラレル変換回路は、パラレル信号方式に変換した制御信号を、前記演出用の電気部品のうち前記遊技枠に設けられた前記発光体を含む電気部品（各ＬＥＤ５１、５２、２８ａ、２８ｂ、２８ｃ、２００ａ，２００ｂ、２００ｃ，２０１ａ、２０２ａ、２０３ａ，２０３ｂ、５１０ａ〜５１０ｄ等）に出力するものであり、
前記盤側シリアル−パラレル変換回路と前記枠側シリアル−パラレル変換回路とは、１系統の配線を介して接続される（例えば、中継基板８８，８９がバス型に接続されることによって１系統の配線を介して接続される。各シリアル−パラレル変換ＩＣがバス形式またはデイジーチェーン型に接続されることによって１系統に接続される）とともに、あらかじめ相互に異なるアドレス情報が割り当てられ、自己のアドレス情報が付加された制御信号のみをパラレル信号方式に変換して出力する（例えば、ヘッダ／アドレス検出部がアドレス格納部に格納するアドレスと一致すると判定すると、データバッファに入力取込信号を出力してラッチさせる）ものであり、
前記出力手段は、前記遊技盤に設けられた電気部品を制御するための制御信号を出力するときには、前記盤側シリアル−パラレル変換回路を特定可能なアドレス情報を付加した制御信号をシリアル信号方式で出力し、前記遊技枠に設けられた前記発光体を含む電気部品を制御するための制御信号を出力するときには、前記枠側シリアル−パラレル変換回路を特定可能なアドレス情報を付加した制御信号をシリアル信号方式で出力する（例えば、演出制御用マイクロコンピュータ８１は、いずれかのアドレスが付加されたシリアルデータをシリアル出力回路２５３を用いて送信する）、
ことを特徴としている。
この特徴によれば、パラレルの場合に比べてシリアルの方が配線数が少なくなるので、配線が容易になる。
【発明を実施するための最良の形態】
【００１６】
本発明の実施例を以下に説明する。
【実施例１】
【００１７】
まず、本発明の遊技機の一例であるパチンコ遊技機の全体の構成について説明する。図１はパチンコ遊技機１（以下、パチンコ機１と略称する）を正面からみた正面図であり、図２はパチンコ機を示す背面図である。尚、以下の説明において、図１の手前側をパチンコ機の前面（表面）側、奥側を背面（裏面）側として説明する。尚、本実施例におけるパチンコ機の前面（表面）とは、遊技者側からパチンコ機１を見たときに該遊技者と対向する対向面である。
【００１８】
（パチンコ機の前面（表面）構造）
図１は、本発明が適用されたパチンコ機及びカードユニットを示す正面図である。パチンコ遊技機１は、縦長の方形状に形成された外枠１００（図２参照）と、外枠１００に開閉可能に取り付けられた前面枠１０１（図２参照）と、で主に構成されている。前面枠１０１の前面には、ガラス扉枠１０２及び上皿扉枠１０３がそれぞれ一側を中心に開閉可能に設けられているとともに、下皿枠１０４が取り付けられている。また、前面枠１０１の背面側には、機構部品等が取り付けられる機構板１０５（図２参照）が一側を中心にして開閉可能に取り付けられている。
【００１９】
図１に示すように、ガラス扉枠１０２の下方に取り付けられた上皿扉枠１０３の前面には、遊技媒体（遊技球）としてのパチンコ球（打球）を貯留可能な打球供給皿（上皿とも言う）３が、パチンコ機１の前方（パチンコ機１の前面方向）に向けて膨出するように設けてある。打球供給皿３の下方には、打球供給皿３から溢れたパチンコ球を貯留する余剰球受皿４（下皿とも言う）が、パチンコ機１の前方（パチンコ機１の前面方向）に向けて膨出するように設けてあるとともに、その側方には、パチンコ球を発射する打球操作ハンドル（操作ノブ）５が設けられている。ガラス扉枠１０２の背面には、前面枠１０１に対して着脱可能に取り付けられた遊技盤６が配置されている。なお、遊技盤６は、それを構成する板状体と、その板状体に取り付けられた種々の部品とを含む構造体である。また、遊技盤６の前面には遊技領域７が形成されている。
【００２０】
遊技領域７の中央付近には、それぞれが演出用の飾り図柄を変動表示する複数の変動表示領域を含む変動表示装置（飾り図柄表示装置）９が設けられている。また、変動表示装置９の上部には、各々を識別可能な複数種類の識別情報としての特別図柄を変動表示する特別図柄表示器（特別図柄表示装置）８が設けられている。変動表示装置９には、たとえば「左」、「中」、「右」の３つの変動表示領域（図柄表示エリア）がある。変動表示装置９は、特別図柄表示器８による特別図柄の変動表示期間中に、装飾用（演出用）の図柄であって、各々を識別可能な複数種類の識別情報としての飾り図柄の変動表示を行なう。変動表示装置９は、後述する演出制御基板８０に搭載されている演出制御用マイクロコンピュータ８１（図３参照）によって制御される。特別図柄表示器８は表示部が小型であるので、変動表示の態様および変動表示の表示結果が変動表示装置９と比べて見づらいため、遊技者は主として変動表示装置９の方に注目する。
【００２１】
特別図柄表示器８は、たとえば０〜９の数字を変動表示可能な簡易で小型の表示器（たとえば７セグメントＬＥＤ）で実現されている。特別図柄表示器８は、遊技者に当りの種類を把握しづらくさせるために、０〜９９など、より多種類の数字を変動表示するように構成されていてもよい。また、変動表示装置９は、液晶表示装置よりなる画像表示装置で実現されている。変動表示装置９は、特別図柄表示器８による特別図柄の変動表示期間中に、飾り図柄の変動表示を行なう。
【００２２】
なお、本実施例においては、変動表示装置９は、液晶表示装置を用いた例について説明するが、これに限らず、変動表示装置９は、ＣＲＴ（Cathode Ray Tube）、ＦＥＤ（Field Emission Display）、ＰＤＰ（Plasma Display Panel）、ドットマトリクス、７セグメントＬＥＤ等のＬＥＤ（Light Emitting Diode）、エレクトロルミネッセンス、蛍光表示管等のその他の画像表示式の表示装置により構成されてもよい。また、変動表示装置９は、回転ドラム式表示装置等の機械式の表示装置であってもよい。
【００２３】
変動表示装置９の下方には、パチンコ球を受け入れ可能な入賞領域としての第１始動口１５ａおよび第２始動口１５ｂを有する始動入賞装置１５が設けられている。始動入賞装置１５では、上部に第１始動口１５ａが設けられ、その下部に第２始動口１５ｂが設けられている。第２始動口１５ｂの左右には、開閉動作をすることが可能な態様で一対の可動片１３，１３が設けられている。第１始動口１５ａは、上方を向いて開口しており、常にパチンコ球の進入（受け入れ）が可能な状態となっている。一方、第２始動口１５ｂは、上方に第１始動口１５ａの周囲の構造物が設けられ、左右に可動片１３，１３が設けられているため、可動片１３，１３が閉状態であるときにパチンコ球の進入（受け入れ）が不可能な状態となり、可動片１３，１３が開状態であるときにパチンコ球の進入（受け入れ）が可能な状態となる。このように、第１始動口１５ａは入賞のしやすさが変化せず、第２始動口１５ｂは可動片１３，１３の開閉動作によって入賞のしやすさが変化する。
【００２４】
なお、始動入賞装置１５は、可動片１３，１３が閉状態になっている状態において、第２始動口１５ｂに入賞はしづらいものの、入賞することは可能である（すなわち、パチンコ球が入賞しにくい）ように構成されていてもよい。また、始動入賞装置１５は、始動口として、入賞のしやすさが変化しない第１始動口１５ａのみが設けられたものであってもよく、可動片１３，１３の開閉動作によって入賞のしやすさが変化する第２始動口１５ｂのみが設けられたものであってもよい。
【００２５】
始動入賞装置１５の可動片１３，１３は、後述する開放条件が成立したときに、ソレノイド１６によって駆動されることにより、閉状態から所定期間開状態とされた後、閉状態とされる。始動入賞装置１５の可動片１３，１３が開状態となることにより、パチンコ球が第２始動口１５ｂに入賞し易くなり（始動入賞し易くなり）、遊技者にとって有利な状態（第１の状態）となる。一方、始動入賞装置１５の可動片１３，１３が閉状態となることにより、パチンコ球が第２始動口１５ｂに入賞しなくなり（始動入賞しにくくなり）、遊技者にとって不利な状態（第２の状態）となる。第１始動口１５ａに入った入賞球は、遊技盤６の背面に導かれ、第１始動口スイッチ１４ａによって検出される。また、第２始動口１５ｂに入った入賞球は、遊技盤６の背面に導かれ、第２始動口スイッチ１４ｂによって検出される。
【００２６】
変動表示装置９の下部には、第１始動口スイッチ１４ａまたは第２始動口スイッチ１４ｂに入った有効入賞球の記憶数すなわち保留記憶（始動記憶または始動入賞記憶ともいう）数を表示する４つの特別図柄保留記憶表示器１８が設けられている。特別図柄保留記憶表示器１８は、保留記憶数を入賞順に４個まで表示する。特別図柄保留記憶表示器１８は、第１始動口１５ａまたは第２始動口１５ｂに始動入賞があるごとに、保留記憶の記憶データが１増えて、点灯状態のＬＥＤの数を１増やす。そして、特別図柄保留記憶表示器１８は、特別図柄表示器８で変動表示が開始されるごとに、保留記憶の記憶データが１減って、点灯状態のＬＥＤの数を１減らす（すなわち１つのＬＥＤを消灯する）。具体的には、特別図柄保留記憶表示器１８は、特別図柄表示器８で変動表示が開始されるごとに、点灯状態をシフトする。なお、この例では、第１始動口１５ａまたは第２始動口１５ｂへの入賞による保留記憶数に上限数（４個まで）が設けられている。しかし、これに限らず、保留記憶数の上限数は、４個以上の値にしてもよく、４個よりも少ない値にしてもよい。
【００２７】
始動入賞装置１５の下部には、ソレノイド２１によって開閉される開閉板を用いた特別可変入賞球装置２０が設けられている。特別可変入賞球装置２０は、開閉板によって開閉される大入賞口が設けられており、大当り遊技状態において開閉板が遊技者にとって有利な開状態（第１の状態）に制御され、大当り遊技状態以外の状態において開閉板が遊技者にとって不利な閉状態（第２の状態）に制御される。このように、特別可変入賞球装置２０は、大当り遊技状態となるときに開放条件が成立する。特別可変入賞球装置２０に入賞し遊技盤６の背面に導かれた入賞球のうち一方（Ｖ入賞領域：特別領域）に入った入賞球及び他方の領域に入ったパチンコ球は、そのままカウントスイッチ２３で検出される。遊技盤６の背面には、大入賞口内の経路を切換えるためのソレノイド２１ａ（図３参照）も設けられている。
【００２８】
パチンコ球がゲート３２を通過しゲートスイッチ３２ａで検出されると、複数種類の識別情報としての普通図柄を変動表示する普通図柄表示器１０における変動表示が開始される。この実施の形態では、左右のＬＥＤ（点灯時に図柄が視認可能になる）が交互に点灯することによって変動表示が行なわれ、たとえば、変動表示の終了時に左側のＬＥＤが点灯すれば当りになる。そして、普通図柄表示器１０における停止図柄が所定の図柄（当り図柄）となったときに、始動入賞装置１５の可動片１３，１３の開放条件が成立し、始動入賞装置１５における可動片１３，１３が所定回数、所定時間だけ開状態になる。普通図柄表示器１０の近傍には、ゲート３２を通過した有効通過球の記憶数、すなわち、始動通過記憶数を表示する４つのＬＥＤによる表示部を有する普通図柄始動記憶表示器４１が設けられている。ゲート３２へのパチンコ球の通過があるごとに、始動通過記憶の記憶データが１増えて、普通図柄始動記憶表示器４１は点灯するＬＥＤを１増やす。そして、普通図柄表示器１０における変動表示が開始されるごとに、始動通過記憶の記憶データが１減って、点灯するＬＥＤを１減らす。
【００２９】
遊技盤６には、パチンコ球を受け入れて入賞を許容する入賞装置の入賞領域として、第１通常入賞口２９、第２通常入賞口３０、第３通常入賞口３３、および、第４通常入賞口３９よりなる複数の通常入賞口が設けられる。第１通常入賞口２９へのパチンコ球の入賞は、第１入賞口スイッチ２９ａによって検出される。第２通常入賞口３０へのパチンコ球の入賞は、第２入賞口スイッチ３０ａによって検出される。第３通常入賞口３３へのパチンコ球の入賞は、第３入賞口スイッチ３３ａによって検出される。第４通常入賞口３９へのパチンコ球の入賞は、第４入賞口スイッチ３９ａによって検出される。なお、第１始動口１５ａ、第２始動口１５ｂ、および、大入賞口も、パチンコ球を受け入れて入賞を許容する入賞装置の入賞領域を構成する。また、遊技領域７の左右周辺には、遊技中に点滅表示される装飾ＬＥＤ２５ａが内蔵される装飾発光部２５が設けられ、下部には、入賞しなかったパチンコ球を回収するアウト口２６がある。
【００３０】
遊技領域７の外側の左右上部には、効果音を発する２つのスピーカ２７が設けられている。遊技領域７の外周には、天枠ＬＥＤ２８ａ（図３参照）が内蔵される天枠発光部２８Ｈと、左枠ＬＥＤ２８ｂ（図３参照）が内蔵される左発光部２８Ｌおよび右枠ＬＥＤ２８ｃ（図３参照）が内蔵される右発光部２８Ｒが設けられている。さらに、遊技領域７における各構造物（大入賞口等）の周囲には装飾ＬＥＤが設置されている。これら天枠ＬＥＤ２８ａ、左枠ＬＥＤ２８ｂおよび右枠ＬＥＤ２８ｃおよび装飾用ＬＥＤは、パチンコ遊技機１に設けられている装飾発光体の一例である。
【００３１】
そして、この例では、左発光部２８Ｌの所定箇所に、賞球払出中に点灯する賞球ＬＥＤ５１が設けられ、右枠ＬＥＤ２８ｃの所定箇所に、補給球が切れたときに点灯する球切れＬＥＤ５２が設けられている。尚、本実施例では賞球ＬＥＤ５１及び球切れＬＥＤ５２を左枠ＬＥＤ２８ｂや右枠ＬＥＤ２８ｃとは個別に設けていたが、左枠ＬＥＤ２８ｂや右枠ＬＥＤ２８ｃの発光態様を異ならせることにより賞球払出中や補給球が切れた旨を報知するようにしてもよい。また、プリペイドカードが挿入されることによって球貸しを可能にするプリペイドカードユニット（以下、「カードユニット」という。）５０が、パチンコ遊技機１に隣接して設置されている。
【００３２】
上皿扉枠１０３の前面における打球供給皿３の左右側方から打球供給皿３の左右側面にかけて、上皿扉枠１０３前面における打球供給皿３の左右側方に設けられた供給皿左ＬＥＤ２００ａ及び供給皿右ＬＥＤ２００ｂにより発光する供給皿左発光部２００Ｌ，供給皿右発光部２００Ｒが設けられているとともに、打球供給皿３の前面には、打球供給皿３の内部に設けられた供給皿前ＬＥＤ２０１ａにより発光する供給皿前発光部２０１が設けられている。
【００３３】
余剰球受皿４の周縁上面には、余剰球受皿４の内部に設けられた受皿ＬＥＤ２０２ａにより発光する受皿発光部２０２が設けられている。尚、これら供給皿左発光部２００Ｌ，供給皿右発光部２００Ｒ及び受皿発光部２０２の詳細については後述することとする。また、余剰球受皿４の左右側には、内蔵された受皿左ＬＥＤ２０３ａ及び受皿右ＬＥＤ２０３ｂにより発光する受皿左発光部２０３Ｌ及び受皿右発光部２０３Ｒが設けられている。
【００３４】
賞球ＬＥＤ５１、球切れＬＥＤ５２、装飾ＬＥＤ２５ａ、天枠ＬＥＤ２８ａ、左枠ＬＥＤ２８ｂ、右枠ＬＥＤ２８ｃ、供給皿左ＬＥＤ２００ａ、供給皿右ＬＥＤ２００ｂ、供給皿左右外ＬＥＤ２００ｃ、供給皿前ＬＥＤ２０１ａ、受皿ＬＥＤ２０２ａ、受皿左ＬＥＤ２０３ａ、受皿右ＬＥＤ２０３ｂ等の各種発光手段は、主基板３１から出力される演出制御コマンドに基づき演出制御用マイクロコンピュータ８１から出力されるシリアル信号に基づいて点灯制御（ＬＥＤ制御）される。また、スピーカ２７からの音発生制御（音制御）は、後述する音声出力基板７０によって行なわれる。
【００３５】
カードユニット５０には、たとえば、使用可能状態であるか否かを示す使用可表示ランプ、カードユニット５０がいずれの側のパチンコ遊技機１に対応しているのかを示す連結台方向表示器、カードユニット５０内にカードが投入されていることを示すカード投入表示ランプ、記録媒体としてのカードが挿入されるカード挿入口、および、カード挿入口の裏面に設けられているカードリーダライタの機構を点検する場合にカードユニット５０を解放するためのカードユニット錠が設けられている。
【００３６】
遊技者の操作により打球発射装置から発射されたパチンコ球は、打球誘導レール１１７を通って遊技領域７に入り、その後、遊技領域７を下りてくる。パチンコ球が、第１始動口１５ａに入り第１始動口スイッチ１４ａで検出されるか、または、第２始動口１５ｂに入り第２始動口スイッチ１４ｂで検出されると、特別図柄の変動表示を開始できる状態であれば、特別図柄表示器８において特別図柄が変動表示を始める。特別図柄の変動表示を開始できる状態でなければ、保留記憶数を１増やす。
【００３７】
特別図柄表示器８における特別図柄の変動表示は、変動表示が行なわれるごとに設定された変動表示時間が経過したときに停止する。停止時の特別図柄（停止図柄）が特定表示結果としての大当り図柄（大当り表示結果ともいう）であると、大当りとなり、大当り遊技状態に移行する。大当り遊技状態においては、特別可変入賞球装置２０が、一定時間経過するまで、または、所定個数（たとえば１０個）のパチンコ球が入賞するまで開放する。そして、特別可変入賞球装置２０の開放中にパチンコ球がＶ入賞領域に入賞しカウントスイッチ２３で検出されると、継続権が発生し特別可変入賞球装置２０の開放が再度行なわれる。継続権の発生は、たとえば１５ラウンドのような所定回数を上限値として許容される。このような制御は、繰返し継続制御と呼ばれる。繰返し継続制御において、特別可変入賞球装置２０が開放されている状態がラウンドと呼ばれる。なお、Ｖ入賞領域を設けずに、各ラウンドにおいて無条件で継続権が発生するように制御してもよい。
【００３８】
停止時の特別図柄表示器８における特別図柄が大当り図柄のうちの予め定められた特別な大当り図柄（確変大当り図柄）である場合には、大当り遊技状態後に大当りとすると判定される確率（大当り確率）が、大当り遊技状態と異なる通常状態である通常遊技状態よりも高くなる確率変動状態（以下、確変状態と呼ぶ）という遊技者にとってさらに有利な状態になる。以下、確変状態は、高確率状態（高確状態と略称で呼ぶ場合もある）ともいう。また、非確変状態は、低確率状態（低確状態と略称で呼ぶ場合もある）ともいう。
【００３９】
また、特別図柄表示器８での変動表示の停止時における特別図柄の表示結果が、確変大当り図柄である場合には、大当り遊技状態後に変動時間短縮状態である時短状態に所定期間に亘り制御される。時短状態とは、通常遊技状態に比べて、特別図柄表示器８、変動表示装置９、および、普通図柄表示器１０のそれぞれの変動表示時間（変動開始時から表示結果の導出表示時までの時間）を短縮して早期に表示結果を導出表示させる制御状態をいう。さらに、時短状態中には、普通図柄表示器１０における停止図柄が当り図柄になる確率が高められるとともに、始動入賞装置１５の可動片１３，１３の開放時間が長くされ、開放回数が増加させられる。時短状態中では、図柄の変動表示時間が短縮されるので、後述する保留記憶数が早期に消化され、保留記憶数の上限（たとえば「４」）を超えて発生した始動入賞が無効になってしまう状態を減少でき、短期間に頻繁に表示結果を導出表示して早期に大当り表示結果を導出表示しやすくなるので、時間効率的な観点で変動表示の表示結果が大当り図柄の表示結果となりやすくなり、遊技者にとって有利な遊技状態となる。このように、確変大当りの場合は、大当り遊技状態の終了後の所定期間において、高確率状態かつ時短状態に制御されることとなる。大当り遊技状態の終了後の所定期間に亘る時短状態は、次の大当り遊技状態が発生するか、または、特別図柄および飾り図柄の変動表示が所定回数（１００回）行なわれるまでの、いずれか早い方の条件が成立するまで継続される。
【００４０】
また、入賞に応じたパチンコ球の払出しの面から考えると、時短状態は、非時短状態と比べて、普通図柄の変動表示時間が短縮され、普通図柄表示器１０における停止図柄が当り図柄になる確率が高められ、当り時における始動入賞装置１５の可動片１３，１３の開放時間が長くされ、当り時における始動入賞装置１５の可動片１３，１３の１度の開放回数が多くされることに基づいて、通常遊技状態と比べて始動入賞装置１５の可動片１３，１３が開放状態となりやすい。したがって、時短状態では、第２始動口１５ｂへの入賞（始動入賞が有効である場合と無効である場合との両方を含む）が生じやすくなるため、遊技領域７へ打込んだパチンコ球数（打込球数）に対して、入賞に応じた賞球として払出されるパチンコ球数（払出球数）の割合が、通常遊技状態と比べて多くなる。一般的に、発射球数に対する入賞による賞球の払出球数の割合は、「ベース」と呼ばれる。たとえば、１００球の打込球数に対して４０球の払出球数があったときには、ベースは４０（％）となる。この実施の形態の場合では、たとえば通常遊技状態のような非時短状態よりもベースが高い時短状態を高ベース状態と呼び、逆に、そのような高ベース状態と比べてベースが低い通常遊技状態のような非時短状態を低ベース状態と呼ぶ。
【００４１】
このように、発射球数に対する入賞による賞球の払出球数の割合が一般的に「ベース」と呼ばれるが、たとえば１分間等の単位時間におけるパチンコ球の最大発射数は、一定数に制限されている。このため、「ベース」は、単位時間において、遊技領域に設けられた複数の入賞口への入賞による賞球の払出球数の合計値によっても示すことができる。たとえば、単位時間におけるパチンコ球の最大発射数を１００球とすると、単位時間における入賞による賞球の払出球数の合計値は、一般的な「ベース」の値と一致することとなる。このような関連性に基づいて、本実施形態では、第１始動口１５ａ、第２始動口１５ｂ、第１通常入賞口２９、第２通常入賞口３０、第３通常入賞口３３、および、第４通常入賞口３９のそれぞれを異常監視対象入賞口としており、該異常監視対象入賞口の入賞による賞球の払出球数の合計値は、ベースと呼ばれ、入賞に関する異常監視の対象として用いられる。
【００４２】
確変状態（高確率状態）と非確変状態（低確率状態）とのどちらの状態であるかは、確変状態においてセットされるフラグである確変フラグがセットされているか否かに基づいて判断される。また、時短状態（高ベース状態）と非時短状態（低ベース状態）とのどちらの状態であるかは、時短状態においてセットされるフラグである時短フラグがセットされているか否かに基づいて判断される。
【００４３】
また、前述の時短状態に制御されていない状態においては、特別図柄の保留記憶数が所定個数以上となるごとに、特別図柄および飾り図柄の変動表示時間を短縮する記憶変動短縮状態に制御する記憶変動短縮制御が行なわれる。記憶変動短縮制御は、特別図柄の保留記憶数が所定個数未満となった段階で終了する。したがって、時短状態に制御されていない状態においても、特別図柄および飾り図柄の変動表示時間が短縮される場合がある。
【００４４】
変動表示装置９において変動表示される飾り図柄は、特別図柄表示器８における特別図柄の変動表示の装飾効果を高めるために、特別図柄の変動表示と所定の関係を有して変動表示される装飾的な意味合いがある図柄である。このような図柄についての所定の関係には、たとえば、特別図柄の変動表示が開始されたときに飾り図柄の変動表示が開始する関係、および、特別図柄の変動表示の終了時に特別図柄の表示結果が導出表示されるときに飾り図柄の表示結果が導出表示されて飾り図柄の変動表示が終了する関係等が含まれる。特別図柄表示器８により予め定められた大当り図柄が表示結果として導出表示されるときには、変動表示装置９により、左，中，右図柄がゾロ目となる大当り図柄の組合せが表示結果として導出表示される。このような特別図柄による大当り図柄の表示結果および飾り図柄による大当り図柄の組合せの表示結果は、大当り表示結果という。
【００４５】
特別図柄表示器８と変動表示装置９とは変動表示結果が前述したような対応関係になるため、以下の説明においては、これらをまとめて変動表示部と呼ぶ場合がある。
【００４６】
次に、リーチ表示態様（リーチ）について説明する。本実施形態におけるリーチ表示態様（リーチ）とは、停止した図柄が大当り図柄の一部を構成しているときに未だ停止していない図柄については変動表示が行なわれていること、および、すべてまたは一部の図柄が大当り図柄のすべてまたは一部を構成しながら同期して変動表示している状態である。
【００４７】
たとえば、変動表示装置９において、図柄が停止することで大当りとなる有効ライン（本実施の形態の場合は横１本の有効ライン）が予め定められ、その有効ライン上の一部の表示領域に予め定められた図柄が停止しているときに未だ停止していない有効ライン上の表示領域において変動表示が行なわれている状態（たとえば、変動表示装置９における左，中，右の変動表示領域のうち左，右の表示領域に同一の図柄が停止表示されている状態で中の表示領域は未だ変動表示が行なわれている状態）、および、有効ライン上の表示領域のすべてまたは一部の図柄が大当り図柄のすべてまたは一部を構成しながら同期して変動表示している状態（たとえば、変動表示装置９における左，中，右の表示領域のすべてに変動表示が行なわれており、常に同一の図柄が揃っている状態で変動表示が行なわれている状態）をリーチ表示態様またはリーチという。
【００４８】
また、リーチの際に、通常と異なる演出がＬＥＤや音で行なわれることがある。この演出をリーチ演出という。また、リーチの際に、キャラクタ（人物等を模した演出表示であり、図柄（飾り図柄等）とは異なるもの）を表示させたり、変動表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別（特定）のリーチをスーパーリーチという。
【００４９】
また、変動表示装置９については、大当りを発生させる契機となる変動表示において、大当りとなることを報知する予告演出である大当り予告が行なわれる場合がある。
【００５０】
この実施の形態の場合は、大当りとして、通常大当りおよび確変大当りというような複数種類の大当りが設けられている。以下の説明においては、大当りの種類を特定せずに単に「大当り」と示すときは、これら複数種類の大当りを代表して示す場合である。
【００５１】
通常大当りは、大当り遊技状態の終了後に確変状態にならず、かつ、時短状態にならないことにより、低確率状態、かつ、低ベース状態となる大当り（非確変大当り）である。このような、低確率状態かつ低ベース状態となった状態は、低確低ベース状態と呼ばれる。確変大当りは、大当り遊技状態の終了後に確変状態になり、かつ、所定期間に亘り時短状態になる高確率状態、かつ、高ベース状態となる大当りである。このような、高確率状態かつ高ベース状態となった状態は、高確高ベース状態と呼ばれる。確変大当りとなった後においては、所定期間が経過すると時短状態が終了し、高確率状態、かつ、低ベース状態になる。このような、高確率状態かつ低ベース状態となった状態は、高確低ベース状態と呼ばれる。
【００５２】
また、変動表示装置９については、大当りを発生させる契機となる変動表示において、大当りとなることを報知する予告演出である大当り予告が行なわれる場合がある。
【００５３】
（パチンコ機の背面（裏面）構造）
次に、パチンコ遊技機１の裏面の構造について図２を参照して説明する。図２は、パチンコ機及びカードユニットを示す背面図である。
【００５４】
図２に示すように、パチンコ遊技機１裏面側では、変動表示装置９を制御する演出制御用マイクロコンピュータが搭載された演出制御基板８０を含む変動表示制御ユニット４９、遊技制御用マイクロコンピュータ等が搭載された遊技制御基板（主基板）３１、音声出力基板７０、ＬＥＤドライバ基板（図示省略）、および、球払出制御を行なう払出制御用マイクロコンピュータ等が搭載された払出制御基板３７等の各種基板が設置されている。
【００５５】
さらに、パチンコ遊技機１裏面側には、ＤＣ３０Ｖ、ＤＣ２１Ｖ、ＤＣ１２ＶおよびＤＣ５Ｖ等の各種電源電圧を作成する電源回路が搭載された電源基板９１０やタッチセンサ基板９１Ａが設けられている。電源基板９１０は、一部が払出制御基板３７と重なっているが、払出制御基板３７に重なることなく外部から視認可能に露出した露出部分には、パチンコ遊技機１における主基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチが設けられている。さらに、露出部分における電源スイッチの内側（基板内部側）には、交換可能なヒューズが設けられている。
【００５６】
なお、電気部品制御基板には、電気部品制御用マイクロコンピュータを含む電気部品制御手段が搭載されている。電気部品制御手段は、遊技制御手段等からのコマンドとしての指令信号（制御信号）にしたがってパチンコ遊技機１に設けられている電気部品（遊技用装置：球払出装置９７、変動表示装置９、ＬＥＤなどの発光体、スピーカ２７等）を制御する。以下、主基板３１を電気部品制御基板に含めて説明を行なうことがある。その場合には、電気部品制御基板に搭載される電気部品制御手段は、遊技制御手段と、遊技制御手段等からの指令信号にしたがってパチンコ遊技機１に設けられている電気部品を制御する手段とのそれぞれを指す。また、主基板３１以外のマイクロコンピュータが搭載された基板をサブ基板ということがある。
【００５７】
パチンコ遊技機１裏面において、上方には、各種情報をパチンコ遊技機１外部に出力するための各端子を備えたターミナル基板１５９が設置されている。ターミナル基板１５９には、少なくとも、球切れ検出スイッチ１６７の出力を導入して外部出力するための球切れ用端子、賞球情報（賞球個数信号）を外部出力するための賞球用端子および球貸し情報（球貸し個数信号）を外部出力するための球貸し用端子が設けられている。また、中央付近には、主基板３１からの各種情報をパチンコ遊技機１外部に出力するための各端子を備えた情報端子基板（情報出力基板）３６が設置されている。
【００５８】
尚、前記球切れ用端子、賞球情報（賞球個数信号）及び球貸し情報（球貸し個数信号）は、主基板３１から情報端子基板３６を介して外部に出力するようにしてもよい。すなわち、このようにターミナル基板１５９に設けられた球切れ用端子、賞球用端子、球貸し用端子を情報端子基板３６に設けることで、配線や基板の取り付け作業等を容易にすることができる。
【００５９】
図示しない遊技機設置島から供給される球を貯留可能な球タンク３８に貯留されたパチンコ球は、タンクレールを通り、カーブ樋を経てケースカバーで覆われた球払出装置９７に至る。球払出装置９７の上方には、通路内に球がない旨を検出する遊技媒体切れ検出手段としての球切れスイッチ１９７が設けられている。球切れスイッチ１９７が球切れを検出すると、球払出装置９７の払出動作が停止する。球切れスイッチ１９７はパチンコ球通路内のパチンコ球の有無を検出するスイッチであるが、球タンク３８内の補給球の不足を検出する球切れ検出スイッチ１６７も誘導レールにおける上流部分（球タンク３８に近接する部分）に設けられている。球切れ検出スイッチ１６７がパチンコ球の不足を検知すると、遊技機設置島に設けられている補給機構からパチンコ遊技機１に対してパチンコ球の補給が行なわれる。
【００６０】
入賞に基づく景品としてのパチンコ球や球貸し要求に基づくパチンコ球が多数払出されて打球供給皿３が満杯になると、パチンコ球は、余剰球誘導通路を経て余剰球受皿４に導かれる。さらにパチンコ球が払出されると、感知レバー（図示せず）が貯留状態検出手段としての満タンスイッチ１９（図３参照）を押圧して、貯留状態検出手段としての満タンスイッチ１９がオンする。その状態では、球払出装置内の払出モータの回転が停止して球払出装置の動作が停止するとともに打球発射装置の駆動も停止する。尚、満タンスイッチ１９がオンした状態において、球払出装置の動作及び打球発射装置の駆動は必ずしも停止させなくてもよいし、あるいはオンした時点から所定時間経過後に停止させるようにしてもよい。
【００６１】
（パチンコ機の回路構成）
図３は、主基板３１における回路構成の一例を示すブロック図である。なお、図３には、パチンコ遊技機１に搭載されている払出制御基板３７、ＬＥＤドライバ基板３５、音声出力基板７０、インタフェース基板６６、中継基板７７、および、演出制御基板８０も示されている。主基板（遊技制御基板）３１には、プログラムにしたがってパチンコ遊技機１を制御する基本回路（遊技制御手段に相当）となる遊技制御用マイクロコンピュータ１５６と、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、第４入賞口スイッチ３９ａ、満タンスイッチ１９からの信号の他、電源断信号およびクリア信号等の各種信号を遊技制御用マイクロコンピュータ１５６に与える入力ドライバ回路５８と、始動入賞装置１５の可動片１３，１３を開閉するソレノイド１６、特別可変入賞球装置２０を開閉するソレノイド２１、および、大入賞口内の経路を切換えるためのソレノイド２１ａを遊技制御用マイクロコンピュータ１５６からの指令にしたがって駆動する出力回路５９と、遊技制御用マイクロコンピュータ１５６からの指令にしたがって各種の情報信号をホール管理コンピュータ等のパチンコ遊技機１の外部に設けられた装置に出力する情報出力回路５３とが搭載されている。情報出力回路５３から出力された情報信号は、情報端子基板３６を介して、パチンコ遊技機１の外部に出力される。
【００６２】
尚、本実施例では満タンスイッチ１９の検出信号は払出制御基板３７を経由して主基板３１に入力されるようになっているが、払出制御基板３７を経由することなく入力ドライバ回路５８に直接入力されるようにしてもよい。
【００６３】
情報出力回路５３から出力される情報信号としては、大当り１情報信号、大当り２情報信号、大当り３情報信号、高確率情報信号、時短情報信号、第１始動情報信号、第２始動情報信号、第１入賞数異常信号、第２入賞数異常信号、第１ベース異常信号、第２ベース異常信号、および、始動口入賞異常信号が含まれる。
【００６４】
大当り１情報信号、大当り２情報信号および大当り３情報信号のそれぞれは、確変大当り、非確変大当り等の大当りの種類を特定した大当りの発生を示す信号である。高確率情報信号は、確率変動が生じたことを示す信号である。時短情報信号は、時短状態が生じたことを示す信号である。第１始動情報信号は、第１始動口１５ａへの入賞により特別図柄および飾り図柄の変動表示開始に利用されるパチンコ球が検出されたことを示す信号である。第２始動情報信号は、第２始動口１５ｂへの入賞により特別図柄および飾り図柄の変動表示開始に利用されるパチンコ球が検出されたことを示す信号である。
【００６５】
第１入賞数異常信号は、第１始動口１５ａ、第２始動口１５ｂ、第１通常入賞口２９、第２通常入賞口３０、第３通常入賞口３３、および、第４通常入賞口３９のそれぞれを異常監視対象入賞口として、後述するように実行される入賞数監視処理において、所定の単位時間中での入賞数が第１入賞数異常判定値以上となったことに基づく異常状態（以下、入賞数異常状態または第１入賞数異常状態ともいう）が生じたときに、そのような異常が生じた旨を示す信号である。第２入賞数異常信号は、第１始動口１５ａ、第２始動口１５ｂ、第１通常入賞口２９、第２通常入賞口３０、第３通常入賞口３３、および、第４通常入賞口３９のそれぞれを異常監視対象入賞口として、後述するように実行される入賞数監視処理において、所定の単位時間中での入賞数が第１入賞数異常判定値よりも大きい第２入賞数異常判定値以上となったことに基づく異常状態（以下、入賞数異常状態または第２入賞数異常状態ともいう）が生じたときに、そのような異常が生じた旨を示す信号である。
【００６６】
第１ベース異常信号は、前述の異常監視対象入賞口を対象として、後述するように実行される入賞数監視処理において、所定の単位時間中でのこれら入賞口への入賞数に基づく賞球数の合計値（以下、ベースという）が第１のベース異常判定値以上となったことに基づく異常状態（以下、ベース異常状態または第１ベース異常状態ともいう）が生じたときに、そのような異常が生じた旨を示す信号である。第２ベース異常信号は、前述の異常監視対象入賞口を対象として、後述するように実行される入賞数監視処理において、所定の単位時間中でのこれら入賞口への入賞数に基づく賞球数の合計値（ベース）が第１のベース異常判定値よりも大きい第２のベース異常判定値以上となったことに基づく異常状態（以下、ベース異常状態または第２ベース異常状態ともいう）が生じたときに、そのような異常が生じた旨を示す信号である。
【００６７】
始動口入賞異常信号は、第２始動口１５ｂを対象として、可動片１３，１３が閉状態であるときにパチンコ球が入賞したことに基づく異常状態が生じたときに、そのような異常状態が生じた旨を示す信号である。
【００６８】
なお、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、第４入賞口スイッチ３９ａ等のスイッチは、センサと称されているものでもよい。すなわち、パチンコ球を検出できる遊技媒体検出手段（この例ではパチンコ球検出手段）であれば、その名称を問わない。入賞検出を行なう第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、および、第４入賞口スイッチ３９ａへのパチンコ球の入賞を検出する入賞検出手段でもある。
【００６９】
なお、ゲート３２のような通過ゲートであっても、賞球の払出しが行なわれるものであれば、通過ゲートへパチンコ球が進入することが入賞になり、通過ゲートに設けられているスイッチ（たとえばゲートスイッチ３２ａ）が入賞検出手段になる。また、Ｖ入賞領域に入賞したパチンコ球がカウントスイッチ２３でも検出される。よって、大入賞口に入賞したパチンコ球数は、カウントスイッチ２３による検出数に相当する。また、Ｖ入賞領域に入賞したパチンコ球はＶ入賞スイッチのみで検出されるようにし、大入賞口に入賞したパチンコ球数は、Ｖ入賞スイッチによる検出数とカウントスイッチ２３による検出数との和になるようにしてもよい。また、Ｖ入賞領域を設けず、最終ラウンド以外のラウンドでは、常に継続権が発生するようにしてもよい。また、Ｖ入賞領域を設け、１ラウンド目は無条件（Ｖ入賞領域への入賞によらず）継続権が発生し、２ラウンド目以降においてＶ入賞領域への入賞により継続権が発生するようにしてもよい。
【００７０】
遊技制御用マイクロコンピュータ１５６は、ゲーム制御（遊技進行制御）用のプログラム等を記憶するＲＯＭ５４、ワークメモリとして使用される記憶手段（変動データを記憶する変動データ記憶手段）としてのＲＡＭ５５、およびプログラムにしたがって制御動作を行なうプロセッサであるＣＰＵ５６、および、Ｉ／Ｏポート５７を含む。遊技制御用マイクロコンピュータ１５６は、１チップマイクロコンピュータである。なお、１チップマイクロコンピュータは、ＣＰＵ５６の他に少なくともＲＡＭ５５が内蔵されていればよい。また、ＲＯＭ５４およびＩ／Ｏポート５７は、外付けであっても内蔵されていてもよい。
【００７１】
遊技制御用マイクロコンピュータ１５６においては、ＣＰＵ５６がＲＯＭ５４に格納されているプログラムにしたがって制御を実行する。したがって、以下に説明するような遊技制御用マイクロコンピュータ１５６が実行する（または、処理を行なう）ということは、具体的にはＣＰＵ５６がプログラムにしたがって制御を実行することである。このことは、主基板３１以外の他の基板に搭載されているマイクロコンピュータについても同様である。また、遊技制御手段は、ＣＰＵ５６を含む遊技制御用マイクロコンピュータ１５６で実現されている。
【００７２】
また、遊技制御用マイクロコンピュータ１５６は、クロック信号を発生させるクロック回路、システムリセット手段として機能するリセットコントローラ、乱数回路、および、ＣＰＵ５６に割込要求信号を送出するＣＴＣを内蔵する。
【００７３】
乱数回路は、特別図柄および飾り図柄の変動表示の表示結果により大当りとするか否かを判定するための判定用の乱数を発生するために用いられるハードウェア回路である。この乱数回路は、初期値（たとえば、０）と上限値（たとえば、６５５３５）とが設定された数値範囲内で、数値データを、設定された更新規則にしたがって更新させていき、ランダムなタイミングで発生する始動入賞時が数値データの読出（抽出）時であることに基づいて、読出される数値データが乱数値となる乱数発生機能を有する。
【００７４】
遊技制御用マイクロコンピュータ１５６は、第１始動口スイッチ１４ａまたは第２始動口スイッチ１４ｂへの始動入賞が生じたときに乱数回路から数値データを乱数値Ｒ１として読出し、その数値データに基づいて特定の表示結果としての大当り表示結果にするか否か、すなわち、大当りとするか否かを判定する。そして、大当りとすると判定したときに、遊技状態を遊技者にとって有利な特定遊技状態としての大当り遊技状態に移行させる。なお、乱数回路が発生させた乱数は、確変とするか否かを決定するための確変判定用乱数や、特別図柄の変動パターンを決定する変動パターン決定用乱数など、大当りとするか否かの判定以外の判定用乱数として用いてもよい。
【００７５】
乱数回路は、ユーザによる数値データの更新範囲の選択設定機能（初期値の選択設定機能、および、上限値の選択設定機能）、数値データの更新規則の選択設定機能、および、数値データの更新規則の選択切換え機能等の各種の機能を有する。このような機能により、乱数回路は、生成する乱数のランダム性を向上させることができる。
【００７６】
また、遊技制御用マイクロコンピュータ１５６は、乱数回路が更新する数値データの初期値を設定する機能を有しており、たとえば、ＲＯＭ５４等の所定の記憶領域に記憶された遊技制御用マイクロコンピュータ１５６のＩＤナンバ（遊技制御用マイクロコンピュータ１５６の各製品ごとに異なる数値で付与されたＩＤナンバ）を用いて所定の演算を行なって得られた数値データを、乱数回路が更新する数値データの初期値として設定する。これにより、乱数回路が発生する乱数のランダム性をより向上させることができる。また、初期値を設定するときに、ＩＤナンバを用いた所定の演算を行なうことにより、遊技制御用マイクロコンピュータ１５６のＩＤナンバを見ただけでは乱数の初期値を認識しにくくすることができる。そのため、無線信号を用いた取込み信号をパチンコ遊技機１に対して発生させるなどの行為によって、大当り状態への移行条件を不正に成立させられてしまうことをより確実に防止することができ、セキュリティ性を向上させることができる。
【００７７】
クロック回路は、システムクロック信号をＣＰＵ５６に出力し、このシステムクロック信号を２の７乗（＝１２８）分周して生成した所定の周期の基準クロック信号ＣＬＫを、各乱数回路に出力する。リセットコントローラは、ローレベルの信号が一定期間入力されたとき、ＣＰＵ５６および各乱数回路に所定の初期化信号を出力して、遊技制御用マイクロコンピュータ１５６をシステムリセットする。
【００７８】
また、遊技制御用マイクロコンピュータ１５６は、発生可能な乱数の値の範囲が異なる２つの乱数回路を搭載する。第１の乱数回路は、１２ビットの疑似乱数を発生する乱数回路（以下、１２ビット乱数回路ともいう）である。１２ビット乱数回路は、１２ビットで発生できる範囲（すなわち、１から４０９５までの範囲）の値の乱数を発生する機能を備える。また、第２の乱数回路は、１６ビットの疑似乱数を発生する乱数回路（以下、１６ビット乱数回路ともいう）である。１６ビット乱数回路は、１６ビットで発生できる範囲（すなわち、１から６５５３５までの範囲）の値の乱数を発生する機能を備える。２つの乱数回路は、予め選択されたどちらか一方の回路が乱数の発生に用いられる。
【００７９】
なお、この実施の形態では、遊技制御用マイクロコンピュータ１５６が２つの乱数回路を内蔵する場合を説明するが、遊技制御用マイクロコンピュータ１５６は、１つの乱数回路を内蔵してもよく、３以上の乱数回路を内蔵してもよい。また、この実施の形態では、１２ビット乱数回路および１６ビット乱数回路を包括的に表現する場合、または、１２ビット乱数回路と１６ビット乱数回路とのうちいずれかを指す場合に、乱数回路という。
【００８０】
また、ＲＡＭ５５は、その一部または全部が電源基板９１０において作成されるバックアップ電源によってバックアップされている揮発性記憶手段としてのバックアップＲＡＭである。すなわち、パチンコ遊技機１に対する電源電力の供給が停止したときである電源断時でも、所定期間（バックアップ電源としてのコンデンサが放電してバックアップ電源が電力供給不能になるまで）は、ＲＡＭ５５の一部または全部の内容は保存される。特に、少なくとも、遊技の制御状態に応じたデータ（特別図柄プロセスフラグ等）と未払出賞球数を示すデータとは、バックアップデータとして、ＲＡＭ５５に保存される。制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを、遊技の進行状態を示すデータと定義する。この実施の形態では、ＲＡＭ５５の全部の記憶領域が、電源バックアップされているとする。
【００８１】
遊技制御用マイクロコンピュータ１５６のリセット端子には、電源基板９１０からのリセット信号が入力される。また、払出制御用マイクロコンピュータのリセット端子にも、電源基板９１０からのリセット信号が入力される。なお、リセット信号がハイレベルになると遊技制御用マイクロコンピュータ１５６および払出制御用マイクロコンピュータは動作可能状態になり、リセット信号がローレベルになると遊技制御用マイクロコンピュータ１５６および払出制御用マイクロコンピュータは動作停止状態になる。したがって、リセット信号がハイレベルである期間は、遊技制御用マイクロコンピュータ１５６および払出制御用マイクロコンピュータの動作を許容する許容信号が出力されていることになり、リセット信号がローレベルである期間は、遊技制御用マイクロコンピュータ１５６および払出制御用マイクロコンピュータの動作を停止させる動作停止信号が出力されていることになる。なお、リセット回路をそれぞれの電気部品制御基板（主基板３１を含む）に搭載してもよいし、複数の電気部品制御基板のうち一つまたは複数にリセット回路を搭載し、そこからリセット信号を他の電気部品制御基板に供給するようにしてもよい。
【００８２】
さらに、払出制御基板３７を経由して、電源基板９１０からの電源電圧が所定値以下に低下したことを示す電源断信号が入力ドライバ回路５８に入力される。電源断信号は、入力ドライバ回路５８を介して、遊技制御用マイクロコンピュータ１５６の入力ポートに入力される。また、遊技制御用マイクロコンピュータ１５６の入力ポートには、ＲＡＭの内容をクリアすることを指示するためのクリアスイッチが操作されたことを示すクリア信号が入力ドライバ回路５８に入力される。クリア信号は、入力ドライバ回路５８を介して、遊技制御用マイクロコンピュータ１５６の入力ポートに入力される。
【００８３】
尚、本実施例では、電源断信号は払出制御基板３７を経由して主基板３１に入力されるようになっているが、払出制御基板３７を経由することなく入力ドライバ回路５８に直接入力されるようにしてもよい。
【００８４】
また、遊技制御用マイクロコンピュータ１５６は、払出制御基板３７を経由して、満タンスイッチ１９からの満タン信号が入力されたときに、前述した受皿ＬＥＤ２０２ａを発光させる旨を示す演出制御コマンドを演出制御基板８０に送信する。
【００８５】
また、遊技制御用マイクロコンピュータ１５６は、大当り遊技状態以外の状態においてカウントスイッチ２３により球が検出されたとき、すなわち、例えば大当り遊技状態以外の状態において特別可変入賞球装置２０の開閉板が前述した不正器具等により遊技者にとって有利な開状態（第１の状態）とされてカウントスイッチ２３により球が検出されたときに、エラーが発生したとして、供給皿左ＬＥＤ２００ａ，供給皿右ＬＥＤ２００ｂを発光させる旨を示す演出制御コマンドを演出制御基板８０に送信する。
【００８６】
また、クリア信号は、主基板３１において分岐され、払出制御基板３７にも供給される。なお、遊技制御用マイクロコンピュータ１５６が入力ポートを介して入力したクリア信号の状態を、出力ポートを介して払出制御基板３７に出力してもよい。
【００８７】
また、複数のスイッチのそれぞれは、入力ドライバ回路５８を介して、遊技制御用マイクロコンピュータ１５６の入力ポートに接続されている。これにより、遊技制御用マイクロコンピュータ１５６は、複数のスイッチのそれぞれから各スイッチの設定状態を示す設定検出信号を受ける。
【００８８】
また、遊技制御用マイクロコンピュータ１５６が搭載するシリアル出力回路７８は、シフトレジスタなどによって構成され、ＣＰＵ５６が出力する演出制御コマンドをシリアルデータに変換して、中継基板７７を介して演出制御基板８０に送信する。また、シリアル出力回路７８は、ＣＰＵ５６が出力する制御信号をシリアルデータに変換して、中継基板７７を介して特別図柄表示器８や特別図柄保留記憶表示器１８、普通図柄表示器１０、普通図柄保留記憶表示器４１に出力する。なお、特別図柄表示器８、特別図柄保留記憶表示器１８、普通図柄表示器１０および普通図柄保留記憶表示器４１には、シリアルデータをパラレルデータに変換するシリアル−パラレル変換ＩＣがそれぞれ設けられ、中継基板７７からの制御信号をパラレルデータに変換して、特別図柄表示器８や特別図柄保留記憶表示器１８、普通図柄表示器１０、普通図柄保留記憶表示器４１に供給される。
【００８９】
また、本実施例では、ＣＰＵ５６が出力する制御信号をシリアル出力回路７８にてシリアルデータに変換して、中継基板７７を介して特別図柄表示器８や特別図柄保留記憶表示器１８、普通図柄表示器１０、普通図柄保留記憶表示器４１に出力するようになっていたが、これら特別図柄表示器８や特別図柄保留記憶表示器１８、普通図柄表示器１０、普通図柄保留記憶表示器４１からなる各表示器を主基板３１に中継基板等を介すことなく直接接続し、ＣＰＵ５６が出力する制御信号をパラレルデータのまま各表示器８、１８、１０、４１に出力するようにしてもよい。
【００９０】
遊技制御用マイクロコンピュータ１５６は、演出制御基板８０に表示制御、音制御、および、ＬＥＤ制御を含む演出制御を指令するための制御信号としての演出制御コマンド（演出制御信号）を送信する。演出制御基板８０には、中継基板７７を介して遊技制御用マイクロコンピュータ１５６からの演出制御コマンドを受信し、変動表示装置９での表示制御を行なう演出制御用マイクロコンピュータ８１等の電気部品制御手段が搭載されている。
【００９１】
この実施の形態では、演出制御基板８０に搭載されている演出制御手段（演出制御用マイクロコンピュータで構成される。）が、中継基板７７を介して遊技制御用マイクロコンピュータ５６０からの演出制御コマンドをシリアルデータ方式として受信し、飾り図柄を可変表示する可変表示装置９の表示制御を行う。
【００９２】
また、演出制御基板８０に搭載されている演出制御手段が、遊技盤６に設けられているステージＬＥＤ２５ｂの表示制御を行うとともに、枠側に設けられている賞球ＬＥＤ５１、球切れＬＥＤ５２、天枠ＬＥＤ２８ａ、左枠ＬＥＤ２８ｂ、右枠ＬＥＤ２８ｃ、供給皿左右ＬＥＤ２００ａ，２００ｂ、供給皿左右外ＬＥＤ２００ｃ，供給皿前ＬＥＤ２０１ａ、受皿ＬＥＤ２０２ａ、受皿左右ＬＥＤ２０３ａ，２０３ｂ、方向ＬＥＤ５１０ａ〜５１０ｄの表示制御を行い、スピーカ２７からの音出力の制御を行う。
【００９３】
また、演出制御基板８０の演出制御用マイクロコンピュータ８１には、演出制御手段が出力する各ＬＥＤ５１、５２、２８ａ、２８ｂ、２８ｃ、２００ａ，２００ｂ、２００ｃ，２０１ａ、２０２ａ、２０３ａ，２０３ｂ、５１０ａ〜５１０ｄを表示制御するための制御信号をパラレルデータからシリアルデータに変換するシリアル出力回路２５３が搭載されている。また、演出制御基板８０の演出制御用マイクロコンピュータ８１には、入力したシリアルデータをパラレルデータに変換して演出制御手段に出力するシリアル入力回路２５４が搭載されている。したがって、演出制御手段は、シリアル出力回路２５３を介して制御信号をシリアルデータ方式として出力することによって、各ＬＥＤ５１、５２、２８ａ、２８ｂ、２８ｃ、２００ａ，２００ｂ、２００ｃ，２０１ａ、２０２ａ、２０３ａ，２０３ｂ、５１０ａ〜５１０ｄの表示制御を行う。
【００９４】
また、遊技盤側には、シリアルデータをパラレルデータに変換するためのシリアル−パラレル変換ＩＣが搭載された盤側ＩＣ基板としての装飾基板９８、ステージ装飾基板９９が設けられている。盤側ＩＣ基板９８，９９は、中継基板８８を介して演出制御基板８０と接続される。また、前面枠１０１側には、シリアルデータをパラレルデータに変換するためのシリアル−パラレル変換ＩＣが搭載された各枠側ＩＣ基板としての中前板天基板４７３ａ、左前板天基板４７３ｂ、右前板天基板４７３ｃ（図３参照）、上皿左サイド基板３１０Ｌ、上皿右サイド基板３１０Ｒ（図３参照）、上皿前左反射板３３２Ｌ、上皿前右反射板３３２Ｒ（図３参照）、受皿ＬＥＤ基板３５３、左幕板ＬＥＤ基板３４０Ｌ、右幕板ＬＥＤ基板３４０Ｒ（図３参照）、ジョグ基板５０８（図３参照）が設けられている。これら各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８は、中継基板８８，８９を介して演出制御基板８０と接続される。
【００９５】
なお、図３に示すように、演出制御基板８０、中継基板８８および中継基板８９は、バス型に１系統の配線ルートで接続される。図４は、中継基板７７および演出制御基板８０の回路構成例を示すブロック図である。なお、図４に示す例では、演出制御に関して演出制御基板８０のみを設ける場合を示すが、ＬＥＤドライバ基板および音声出力基板を設けてもよい。この場合、ＬＥＤドライバ基板および音声出力基板には、マイクロコンピュータは搭載されていないが、マイクロコンピュータを搭載してもよい。
【００９６】
演出制御基板８０は、演出制御用ＣＰＵ８６、ＲＡＭ８５、シリアル出力回路２５３、シリアル入力回路２５４、クロック信号出力部２５６および入力取込信号出力部２５７を含む演出制御用マイクロコンピュータ８１を搭載している。なお、ＲＡＭは外付けであってもよい。演出制御基板８０において、演出制御用ＣＰＵ８６は、内蔵または外付けのＲＯＭ（図示せず）に格納されたプログラムに従って動作し、シリアル入力回路２６０および入力ポート２６１を介して演出制御コマンドを受信する。この場合、シリアル入力回路２６０は、シリアルデータ方式として受信した演出制御コマンドをパラレルデータに変換し出力する。また、演出制御用ＣＰＵ８６は、演出制御コマンドにもとづいて、ＶＤＰ（ビデオディスプレイプロセッサ）２６２に可変表示装置９の表示制御を行わせる。
【００９７】
この実施の形態では、演出制御用マイクロコンピュータ８１と共動して可変表示装置９の表示制御を行うＶＤＰ２６２が演出制御基板８０に搭載されている。ＶＤＰ２６２は、演出制御用マイクロコンピュータ８１とは独立したアドレス空間を有し、そこにＶＲＡＭをマッピングする。ＶＲＡＭは、画像データを展開するためのバッファメモリである。そして、ＶＤＰ２６２は、ＶＲＡＭ内の画像データをフレームメモリを介して可変表示装置９に出力する。
【００９８】
演出制御用ＣＰＵ８６は、受信した演出制御コマンドに従ってＣＧＲＯＭ（図示せず）から必要なデータを読み出すための指令をＶＤＰ２６２に出力する。ＣＧＲＯＭは、変表示装置９に表示されるキャラクタ画像データや動画像データ、具体的には、人物、文字、図形や記号等（飾り図柄を含む）、および背景画像のデータをあらかじめ格納しておくためのＲＯＭである。ＶＤＰ２６２は、演出制御用ＣＰＵ８６の指令に応じて、ＣＧＲＯＭから画像データを読み出す。そして、ＶＤＰ２６２は、読み出した画像データにもとづいて表示制御を実行する。
【００９９】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、例えばダイオードやトランジスタが使用される。図４には、ダイオードが例示されている。
【０１００】
さらに、演出制御用ＣＰＵ８６は、シリアル出力回路２５３を介してＬＥＤを駆動する信号を出力する。シリアル出力回路は、入力したＬＥＤを駆動する信号（パラレルデータ）をシリアルデータに変換して中継基板８８に出力する。また、演出制御用ＣＰＵ８６は、音声合成用ＩＣ１７３に対して音番号データを出力する。
【０１０１】
また、クロック信号出力部２５６は、クロック信号を中継基板８８に出力する。クロック信号出力部２５６からのクロック信号は、中継基板８８，８９を介して各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８に搭載されたシリアル−パラレル変換ＩＣや入力ＩＣに供給される。また、クロック信号出力部２５６からのクロック信号は、中継基板８８を介して盤側ＩＣ基板９８，９９に搭載されたシリアル−パラレル変換ＩＣや入力ＩＣに供給される。したがって、この実施の形態では、各シリアル−パラレル変換ＩＣおよび各入力ＩＣに共通のクロック信号が供給されることになる。
【０１０２】
また、入力取込信号出力部２５７は、演出制御用ＣＰＵ８６の指示に従って、中継基板８８，８９を介して、枠側ＩＣ基板５０８に入力取込信号（ラッチ信号）を出力する。枠側ＩＣ基板５０８に搭載された入力ＩＣは、演出制御用マイクロコンピュータ８１からの入力取込信号を入力すると、ジョグスイッチ５１２ａ〜５１２ｄの検出信号をラッチし、シリアルデータ方式として中継基板８８，８９を介して演出制御用マイクロコンピュータ８１に出力する。
【０１０３】
また、入力取込信号出力部２５７は、演出制御用ＣＰＵ８６の指示に従って、中継基板８８，８９を介して、枠側ＩＣ基板５０８以外の各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒに入力取込信号（ラッチ信号）を出力する。各枠側ＩＣ基板に搭載された入力ＩＣは、演出制御用マイクロコンピュータ８１からの入力取込信号の入力の基づいて演出制御コマンドをラッチする。
【０１０４】
音声合成用ＩＣ１７３は、音番号データを入力すると、音番号データに応じた音声や効果音を発生し増幅回路１７５に出力する。増幅回路１７５は、音声合成用ＩＣ１７３の出力レベルを、ボリューム１７６で設定されている音量に応じたレベルに増幅した音声信号をスピーカ２７に出力する。音声データＲＯＭ１７４には、音番号データに応じた制御データが格納されている。音番号データに応じた制御データは、所定期間（例えば飾り図柄の変動期間）における効果音または音声の出力態様を時系列的に示すデータの集まりである。
【０１０５】
また、演出制御基板８０の演出制御用マイクロコンピュータ８１は、制御信号としてのシリアルデータとともに、クロック信号を中継基板８９に出力する。また、入力ＩＣに入力信号をラッチさせるための入力取込信号を中継基板８８に出力する。
【０１０６】
中継基板８８は、演出制御用マイクロコンピュータ８１から入力したシリアルデータおよびクロック信号を、盤側ＩＣ基板９８，９９に搭載された各シリアル−パラレル変換ＩＣに供給する。そして、各シリアル−パラレル変換ＩＣは、入力したシリアルデータに付加されているアドレスが自分のアドレスに合致するか否かを確認し、合致していれば入力したシリアルデータをパラレルデータに変換して、遊技盤６に設けられた各ＬＥＤ２５ａ、２５ｂに供給する。
【０１０７】
また、中継基板８９は、バス型に１系統の配線ルートで中継基板８８と接続されており、各シリアル−パラレル変換ＩＣに接続されるシリアルデータ線およびクロック信号線は、盤側ＩＣ基板上でバス形式に接続されている。また、盤側ＩＣ基板に搭載された各シリアル−パラレル変換ＩＣにはそれぞれ固有のＩＤがある。
【０１０８】
中継基板８９に入力されたシリアルデータおよびクロック信号は、各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８に搭載された各シリアル−パラレル変換ＩＣに供給される。そして、各シリアル−パラレル変換ＩＣは、入力したシリアルデータに付加されているアドレスが自分のアドレスに合致するか否かを確認し、合致していれば入力したシリアルデータをパラレルデータに変換して、前面枠１０１に設けられた各ＬＥＤ５１、５２、２８ａ、２８ｂ、２８ｃ、２００ａ，２００ｂ、２００ｃ，２０１ａ、２０２ａ、２０３ａ，２０３ｂ、５１０ａ〜５１０ｄに供給する。
【０１０９】
また、各シリアル−パラレル変換ＩＣに接続されるシリアルデータ線およびクロック信号線は、各枠側ＩＣ基板上でバス形式に接続されている。また、シリアル−パラレル変換ＩＣに接続されるシリアルデータ線およびクロック信号線は、中継基板８９から直接接続される。また、各枠側ＩＣ基板に搭載された各シリアル−パラレル変換ＩＣにはそれぞれ固有のＩＤがある。
【０１１０】
また、枠側ＩＣ基板５０８には、前面枠１０１に設けられたジョグスイッチ５１２ａ〜５１２ｄの検出信号を入力する入力ＩＣが搭載されている。この実施の形態では、枠側ＩＣ基板５０８に搭載された入力ＩＣと演出制御用マイクロコンピュータ８１とは、中継基板８８，８９を介して入力信号線、クロック信号線および入力取込信号線が接続されており、演出制御用マイクロコンピュータ８１は、所定のタイミングで、入力取込信号を中継基板８８，８９を介して入力ＩＣに出力する。すると、入力ＩＣは、入力取込信号（ラッチ信号）に基づいてジョグスイッチ５１２ａ〜５１２ｄからの検出信号をラッチし、中継基板８８，６０７を介して演出制御用マイクロコンピュータ８１に出力する。この場合、入力ＩＣは、ジョグスイッチ５１２ａ〜５１２ｄからパラレルに入力した検出信号をシリアルデータに変換して出力する。
【０１１１】
盤側ＩＣ基板８８，８９に搭載されたシリアル−パラレル変換ＩＣと各枠側ＩＣ基板４７３ａ、４７３ｂ、４７３ｃ、３１０Ｌ、３１０Ｒ、３３２Ｌ、３３２Ｒ、３５３、３４０Ｌ、３４０Ｒ、５０８に搭載されたシリアル−パラレル変換ＩＣとは、１系統の配線を介して接続されている。１系統の配線を介して接続とは、具体的には、各中継基板８８，８９がバス型に接続されているとともに、各シリアル−パラレル変換ＩＣがバス型またはデイジーチェーン型に接続されていることである。なお、この実施の形態では、各シリアル−パラレル変換ＩＣはバス型に接続されている。このように、この実施の形態では、盤側ＩＣ基板に搭載された各シリアル−パラレル変換ＩＣと、各枠側ＩＣ基板に搭載された各シリアル−パラレルＩＣとが、中継基板８８，８９を介してコネクタを用いて１系統の配線を介して接続されている。そのため、コネクタの着脱を行うだけで前面枠１０１と遊技盤６との配線作業を行うことができ、前面枠１０１と遊技盤６との着脱作業をさらに容易に行えるようにすることができる。
【０１１２】
また、この実施の形態によれば、盤側ＩＣ基板に搭載されたシリアル−パラレル変換ＩＣ、枠側ＩＣ基板に搭載されたシリアル−パラレル変換ＩＣおよび入力ＩＣに、演出制御用マイクロコンピュータ８１から共通のクロック信号を入力する。そのため、シリアル−パラレル変換ＩＣへのクロック信号の配線と入力ＩＣへのクロック信号の配線とを共通化することができ、演出制御手段と盤側ＩＣ基板との間の通信、および演出制御手段と枠側ＩＣ基板との間の通信を、それぞれ１チャネルを用いて実現することができ、配線数を低減することができる。また、盤側ＩＣ基板に搭載されたシリアル−パラレル変換ＩＣ、枠側ＩＣ基板に搭載されたシリアル−パラレル変換ＩＣ、および入力ＩＣとを容易に同期させることができ、クロック信号用の配線数も低減することができる。
【０１１３】
この実施の形態では、各シリアル−パラレル変換ＩＣには、あらかじめアドレスが付与されており、演出制御用マイクロコンピュータ８１は、シリアルデータに変換した制御信号を出力する際に、シリアルデータにアドレスを付加して出力する。尚、制御信号は、固定長（コマンドのバイト数（例えば２バイトや３バイトのコマンド））のコマンドで構成され、アドレスに対応するビットを異ならせている。各ＩＣ基板に搭載されたシリアル−パラレル変換ＩＣは、シリアルデータを入力すると、入力したシリアルデータに付加されているアドレスが自分のアドレスに合致するか否かを確認し、合致していればパラレルデータに変換して各ＬＥＤに供給する（すなわち、出力する）。アドレスが合致していなければ各ＬＥＤへの供給は行わない。
【０１１４】
つまり、演出制御用マイクロコンピュータ８１は、満タンスイッチ１９からの満タン信号が入力されたときに遊技制御用マイクロコンピュータ１５６から出力される受皿ＬＥＤ２０２ａを点滅（発光）させる旨を示す演出制御コマンドを受信したことに基づいて、前面枠１０１側に設けられた受皿ＬＥＤ２０２ａを制御するための制御信号を出力するときには、枠側シリアル−パラレル変換回路（受皿ＬＥＤ２０２ａに信号を出力する枠側シリアル−パラレル変換回路）を特定可能なアドレス情報を付加した制御信号をシリアル出力回路２５３からシリアル信号方式で出力する。
【０１１５】
また、演出制御用マイクロコンピュータ８１は、大当り遊技状態以外の状態においてカウントスイッチ２３から球検出信号が入力されたときに遊技制御用マイクロコンピュータ１５６から出力される供給皿左ＬＥＤ２００ａ，供給皿右ＬＥＤ２００ｂを点滅（発光）させる旨を示す演出制御コマンドを受信したことに基づいて、前面枠１０１側に設けられた供給皿左ＬＥＤ２００ａ，供給皿右ＬＥＤ２００ｂを制御するための制御信号を出力するときには、枠側シリアル−パラレル変換回路（供給皿左ＬＥＤ２００ａと供給皿右ＬＥＤ２００ｂとに信号を出力する枠側シリアル−パラレル変換回路）を特定可能なアドレス情報を付加した制御信号をシリアル出力回路２５３からシリアル信号方式で出力する。
【０１１６】
このように、演出制御用マイクロコンピュータ８１は、シリアルデータに変換した制御信号を出力する際に、シリアルデータにアドレスを付加して出力し、各ＩＣ基板に搭載されたシリアル−パラレル変換ＩＣは、シリアルデータを入力すると、入力したシリアルデータに付加されているアドレスが自分のアドレスに合致するか否かを確認し、合致していればパラレルデータに変換して各ＬＥＤに供給するようになっているため、前面枠１０１における遊技盤６以外の箇所に設けられた受皿ＬＥＤ２０２ａや供給皿左ＬＥＤ２００ａ，供給皿右ＬＥＤ２００ｂ等のＬＥＤによる発光演出が行われる際に、該発光により遊技盤６側に設けられた変動表示装置９等にて行われている演出が遮られることがないので、演出効果の減退を防止できるとともに、パラレルの場合に比べてシリアルの方が配線数が少なくなるので、配線が容易になる。
【０１１７】
（パチンコ機の全体構成（前面側））
次に、パチンコ機１の全体構成（前面側）を説明する。図５は、パチンコ機１を開放した状態を示す斜視図であり、図６は、前面枠及び機構板を斜め背面側から見た状態を示す斜視図である。
【０１１８】
パチンコ機１は、図５及び図６に示されるように、複数のパチンコ機１を並設可能な図示しない遊技機設置島に固設される縦長の方形状をなす外枠１００と、外枠１００の一側を中心に開閉可能に取り付けられた前面枠１０１と、前面枠１０１の一側を中心に開閉可能に取り付けられ、前面枠１０１の背面側に配置される機構板１０５と、から主に構成されている。これらのうち外枠１００は木材にて構成され、前面枠１０１及び機構板１０５は合成樹脂財にて構成されている。
【０１１９】
前面枠１０１の前面には、ガラス扉枠１０２及びその下方に配置される上皿扉枠１０３が一側を中心にそれぞれ開閉可能に設けられているとともに、上皿扉枠１０３の下方には下皿枠１０４が取り付けられている。ガラス扉枠１０２の中央には、閉状態において遊技盤６の表面に形成された遊技領域７の前方を被覆するとともに、該遊技領域７を遊技者側から透視可能とする略円形の透視窓１１０が設けられている。透視窓１１０の上部左右側には、前面枠１０１の上部左右側に配設されるスピーカ２７，２７から出力される音を放音するための放音穴１１１が形成されている。
【０１２０】
上皿扉枠１０３は、前面に前述した打球供給皿３が取り付けられているとともに、ガラス扉枠１０２を開放することにより開放可能となるように構成されている。打球供給皿３の上流側端部には、背面側の機構板１０５に設けられた球払出装置９７から払い出される賞球を受け入れ可能とする払出口１１２が形成されているとともに、打球供給皿３に待機（貯留）している待機球を前面枠１０１の背面に形成された後述する余剰球誘導通路に流出させて余剰球受皿４に返却するための球抜き口１１３が内部に形成されている。また、打球供給皿３の下流側端部には、打球供給皿３に待機している待機球を、後述する発射装置により打ち出される発射位置に誘導する待機球誘導口１１９が形成されている。尚、打球供給皿３の内部構造については後述する。
【０１２１】
下皿枠１０４は、前面枠１０１の前面下部に取り付けられており、その前面には、余剰球受皿４及び打球操作ハンドル５が取り付けられている。また、余剰球受皿４の配設位置には、後述する余剰球誘導通路を流下してきたパチンコ球が返却される返却口１２０が形成されている。尚、余剰球受皿４の内部構造については後述する。
【０１２２】
前面枠１０１は、前述した遊技盤６を背面側から取り付け保持可能に構成されているとともに、該遊技盤６の前面に形成された遊技領域７を前面側から視認可能とするための略円形の遊技用開口１１４が略中央に形成されている。遊技用開口１１４の上部左右側には、スピーカ２７を有するスピーカユニット２７ａを前面側から嵌合することにより取り付け可能なスピーカ取付穴１１５が形成されている。スピーカユニット２７ａは、スピーカ２７本体と、該スピーカ本体を被覆するカバー体とが一体化されてなるものであり、スピーカ取付穴１１５に取り付けられた状態において、その後部が前面枠１０１の背面側に突出した状態で取り付けられるようになっている（図１０参照）。
【０１２３】
上皿扉枠１０３の閉状態において前記払出口１１２に対向する箇所には、該払出口１１２に連通する払出連通口１１２ａが形成されている。また、払出連通口１１２ａの下方には、上皿扉枠１０３が開放されたときに払出口１１２から賞球を回収して余剰球誘導通路１３０に流出させて余剰球受皿４に返却するための賞球返却通路４０７ａ（図８参照）に連通する賞球返却口１１３ａが形成されている。また、賞球返却口１１３ａの近傍には、後述するファール球を前面枠１０１の背面側に形成される余剰球誘導通路１３０に流出させるためのファール球口１１６が形成されている。また、ファール球口１１６のさらに側方には、打球供給皿３から球抜き口１１３を介して流出された待機球を前面枠１０１の背面側に形成される余剰球誘導通路１３０に流出させるための球抜き連通口１０６が形成されている。
【０１２４】
前面枠１０１の前面における遊技用開口１１４の下方には、発射装置により打ち出される打球を遊技領域７に向けて誘導する打球誘導レール１１７（図１参照）が設けられる。また、打球誘導レール１１７の途中には、発射装置により打ち出されたものの遊技領域７に到達することなく戻ってきたファール球を前述したファール球口１１６に誘導して回収するファール球誘導通路１１８（図１参照）が形成されており、該ファール球は、ファール球口１１６を介して背面側の余剰球誘導通路１３０に流出された後、余剰球受皿４に返却されるようになっている。また、このファール球誘導通路１１８近傍には、打球供給皿３から球抜き口１１３を介して流出された待機球を球抜き連通口１０６に誘導する球抜き誘導通路（図示略）が形成されており、これらファール球及び待機球はファール球口１１６及び球抜き連通口１０６に連通する誘導通路を介して余剰球誘導通路１３０に流出される。
【０１２５】
（パチンコ機の全体構成（背面側））
次に、パチンコ機１の全体構成（背面側）を図７〜図９に基づいて説明する。図７は、前面枠を示す背面図であり、図８は、前面枠の前面に組み付けられる各種部材を示す分解斜視図であり、図９は、前面枠の背面に取り付けられる各種部品を示す分解斜視図である。
【０１２６】
前面枠１０１の裏面下部には、図７〜図９に示されるように、機構板１０５側に設けられる球払出装置９７から払い出されたパチンコ球を払出連通口１１２ａに向けて誘導する第１払出球誘導通路１３１ａに接続される第２払出球誘導通路１３１ｂと、上方の払出連通口１１２ａと下方の返却連通口１２０ａとを連通する余剰球誘導通路１３０と、アウト口２６に流入したアウト球を機構板１０５側に形成された後述する合流通路１６３に向けて誘導するアウト球誘導通路１３２と、が形成されている。
【０１２７】
第２払出球誘導通路１３１ｂの上流側端部は、払出連通口１１２ａの上方位置において第１払出球誘導通路１３１ａの連通口１３１ｃに接続され、該第１払出球誘導通路１３１ａを流下してきた払出球が流入されるようになっている。流入した払出球は、後述するバックプレート１３５に取り付けられた傾斜板１３３上に落下し、該傾斜板１３３により前方の払出連通口１１２ａに向けて誘導されるようになっている。また、この第２払出球誘導通路１３１ｂの下流側は、払出連通口１１２ａの下端縁から背面側に向けて突設されるとともに、前記傾斜板１３３が上面に載置される傾斜板保持片１３３ａの側方に形成されており、余剰球誘導通路１３０の上流側端部と連通している。
【０１２８】
従って、打球供給皿３が満杯になって払出連通口１１２ａを介して傾斜板１３３上まで球が詰まってきた場合、第２払出球誘導通路１３１ｂから傾斜板１３３上に誘導落下された払出球は、傾斜板１３３から側方に溢れて余剰球誘導通路１３０内に流入することになる。すなわち、打球供給皿３から溢れた余剰球は、余剰球誘導通路１３０内に流入して返却連通口１２０ａに誘導されるようになっている。
【０１２９】
余剰球誘導通路１３０は、前面枠１０１の裏面から背面側に向けて突設された水平な樋板により底面が形成されている。また、前側面は前面枠１０１の前面板１０１ａにより形成されているとともに、背側面は合成樹脂材からなるバックプレート１３５及び流し部材１３６の背面板（図６，図９参照）により形成されており、払出連通口１１２ａ側から返却連通口１２０ａ側に向けて下方に傾斜するように、左右方向に延設されている。このように余剰球誘導通路１３０は、底面及び前後側面が被覆されている。
【０１３０】
バックプレート１３５は、図６に示されるように、第２払出球誘導通路１３１ｂ、余剰球誘導通路１３０、アウト球誘導通路１３２の背側面を被覆可能な横長板状に形成されており、その周縁の複数箇所に取り付けられる複数のバックプレート取付ネジＮ１，Ｎ２により前面枠１０１の背面下部に取り付けられるようになっている。
【０１３１】
バックプレート１３５の上辺には、遊技盤６下部に形成されたアウト口２６の背面を被覆するアウト口被覆部材（図示略）との干渉を回避するための切り欠き１３７が形成されている。また、アウト球誘導通路１３２の下流側端部との対向位置にはアウト球連通口１３８が形成されているとともに、第１払出球誘導通路１３１ａの連通口１３１ｃとの対向位置には連通口１３１ｄが形成されている。
【０１３２】
また、バックプレート１３５の前面には、前述した傾斜板１３３の後端が傾斜板保持片１３３ａとの対向位置に取り付けられているとともに、アウト球誘導通路１３２の底面を構成する樋板の背面側の端部と該バックプレート１３５の前面との間に形成される隙間を塞ぐための突片（図示略）が、樋板に沿って突設されている。
【０１３３】
尚、このような突片は、図示はしないが、特に余剰球誘導通路１３０の上方に形成される樋板、すなわち、余剰球誘導通路１３０の上方を閉塞している前面枠１０１の背面に突設された板部材の背面側端部とバックプレート１３５の前面との間に設けられることが好ましい。つまり、余剰球誘導通路１３０の上方は、アウト球誘導通路１３２の底面を構成する樋板を含む前面枠１０１の背面から略水平に突設される複数の板部材により閉塞され、これら板部材によりアウト口２６との連通が遮断されているため、これら板部材の背面側端部とバックプレート１３５の前面との間に隙間を突片により閉塞することで、余剰球誘導通路１３０内に進入されたセル板等の不正器具を前記隙間から余剰球誘導通路１３０の外部に延出してアウト口２６にアプローチさせることが困難となる。
【０１３４】
また、余剰球誘導通路１３０の上方には、該余剰球誘導通路１３０と同様に前面枠１０１の背面に形成されたアウト球誘導通路１３２が形成され、これら通路は互いに垂直方向を向く前面枠１０１の背面に沿って上下に配設されているとともに、互いの通路の背面が１枚のバックプレート１３５により被覆されることで互いに非連通状態とされているため、返却口１２０からアウト口２６に連通するアウト球誘導通路１３２への不正器具の挿通が困難となっている。
【０１３５】
また、アウト口２６と返却口１２０とは、パチンコ機１の左右方向の略中央位置に互いに上下に配設されているが、返却口１２０から上流側、すなわち、払出口１１２側に向けて延設される余剰球誘導通路１３０は、返却口１２０の背面奥方において、その上方に配設されたアウト球誘導通路１３２を避けるように、パチンコ機１を正面から見て左斜め上方（背面から見て右斜め上方）に向けて屈曲形成されていることで、パチンコ機１の前面側から返却口１２０を介して余剰球誘導通路１３０内に挿通した不正器具をそのまま押し込んだときにバックプレート１３５に当たってしまい、さらに奥方まで差し込むためには左側に屈曲させなければならないため、不正器具を挿入し難くなっている。
【０１３６】
また、バックプレート１３５は複数のバックプレート取付ネジＮ１，Ｎ２により前面枠１０１の背面下部に取り付けられるため、余剰球誘導通路１３０やアウト球誘導通路１３２内で球詰まりが発生した場合でもバックプレート１３５を取り外すことで球詰まりを解消することができる。
【０１３７】
流し部材１３６は、返却連通口１２０ａの背面を被覆するとともに、上面に形成された受け入れ口１３６ａを介して受け入れた余剰球を、返却連通口１２０ａ側に向けて誘導可能な前面及び上面が開口する箱状に形成された部材である。そして、その周縁に取り付けられる複数の流し部材取付ネジＮ３により前面枠１０１の背面下部に取り付けられるようになっている。
【０１３８】
また、受け入れ口１３６ａの後縁辺からは取付片１３６ｂ（図６参照）が上向きに立設されており、該取付片１３６ｂの背面にはバックプレート１３５の下部が当接されるようになっている（図９参照）。このように流し部材１３６の背面側にバックプレート１３５を配置した状態において、バックプレート１３５の背面下部側から取り付けたバックプレート取付ネジＮ２を取付片１３６ｂの両端に挿通して前面枠１０１の裏面に形成されたネジ孔に螺入するようになっている。つまり、流し部材１３６の取付片１３６ｂの背面とバックプレート１３５の下部とが重合した状態で取り付けられることで、バックプレート１３５が背面側に向けて押圧されても取付片１３６ｂとの間に隙間が形成されにくくなっている。
【０１３９】
また、余剰球誘導通路１３０の背面を被覆するバックプレート１３５は、背面に配置される機構板１０５が図示しない係止部材等を介して前面枠１０１に係止されることで、該機構板１０５の前面により前面枠１０１側に向けて押圧されるようになっているため（図９参照）、余剰球誘導通路１３０に挿入されたセル板等によりバックプレート１３５が背面側に向けて押圧されても、樋板の背面側端部との間に隙間が形成されにくい。
【０１４０】
余剰球誘導通路１３０は、図６，図７に示されるように、通路途中に上下方向に屈曲する段部１４１が形成されており、該段部１４１には満タンスイッチ１９が設けられている。詳しくは、樋板の一部が段部１４１において切り欠かれており、該切欠部には、満タンスイッチ１９を押圧可能なスイッチ片１９ａが、前面枠１０１に枢支された上端を中心に揺動自在に設けられている。スイッチ片１９ａは、通常時においてその一部が通路内に突出する突出位置に保持されており、余剰球受皿４の球が満杯状態となって満タンスイッチ１９の下流側に余剰球が詰まって滞留し、その球によりスイッチ片１９ａが押圧されて満タンスイッチ１９がｏｎ状態となった場合には、球払出装置９７の駆動が停止されて賞球及び貸球の払出動作が不能動化されるようになっている。
【０１４１】
このように余剰球誘導通路１３０が前面枠１０１側に形成されているため、満タンスイッチ１９も前面枠１０１に取り付けられている。また、余剰球誘導通路１３０における段部１４１の近傍には、前述した賞球返却口１１３ａ及びファール球口１１６が形成されており、ファール球及び返却賞球が、該余剰球誘導通路１３０を介して余剰球受皿４に返却されるようになっているとともに、返却連通口１２０ａの上方には球抜き連通口１０６が形成されており、打球供給皿３から流出された待機球が余剰球受皿４に返却されるようになっている。
【０１４２】
アウト球誘導通路１３２は、段部１４１よりも下流側の余剰球誘導通路１３０の上方位置において払出連通口１１２ａ側に向けて延設されており、前面枠１０１の裏面から背面側に向けて突設された水平な樋板により底面が形成されている。また、前側面は前面枠１０１の前面板１０１ａにより形成されているとともに、背側面はバックプレート１３５（図６，図９参照）により形成されている。
【０１４３】
そして、アウト口２６から流下してきたアウト球は、下流側端部において背面側に誘導され、バックプレート１３５に形成されたアウト球連通口１３８を介して機構板１０５側に流出されるようになっている。
【０１４４】
次に、機構板１０５の構造について説明すると、図２及び図６に示されるように、機構板１０５の上部には球タンク３８が設けられ、図示しない遊技機設置島の供給樋より導出された供給管（図示略）よりパチンコ球が球タンク３８に供給されるようになっているとともに、球タンク３８内に貯留されたパチンコ球は、供給球誘導通路１６０を流下して払出装置９７に供給されるようになっている。
【０１４５】
また、供給球誘導通路１６０の経路中には球切れスイッチ１９７が設けられており、この球切れスイッチ１９７により払出装置９７での１回の球貸球数である２５球のパチンコ球が通路内に準備されているか否かが検出されるようになっている。
【０１４６】
この払出装置９７には、球切り用のスプロケット（図示略）が設けられており、これらスプロケットが駆動回転されることでパチンコ球が１球ずつ下方に排出されるようになっている。また、スプロケットが同期回転することで交互にパチンコ球が排出される。尚、これら排出されたパチンコ球は、図示しない賞球用カウントスイッチにて検出された後、前述した第１払出球誘導通路１３１ａを流下し、前面枠１０１側の第２払出球誘導通路１３１ｂ内に流出して打球供給皿３に供給されるようになっている。
【０１４７】
また、供給球誘導通路１６０における球払出装置９７の配置位置の上流側には、球タンク３８及び供給球誘導通路１６０内のパチンコ球を排出するための球抜き通路１６１の上端が接続されており、球抜き弁（図示略）を球抜きレバー（図示略）を操作することにより、球タンク３８及び供給球誘導通路１６０内のパチンコ球を外部に排出することができるようになっている。
【０１４８】
球抜き通路１６１は、機構板１０５の前面におけるアウト球連通口１３８との対向位置に形成された合流口１６２まで延設されている。また、合流口１６２からは、合流通路１６３が下方に向けて延設されている。つまり、アウト球誘導通路１３２を流下してくるアウト球及び後述する入賞球は、アウト球連通口１３８及び合流口１６２を介して合流通路１６３内に流入し、機構板１０５の下面から機構板１０５外部に排出されるようになっている。尚、機構板１０５外部に排出されたパチンコ球は、図示しない遊技機設置島に設けられるアウト球タンク内に落下し、計数された後に遊技機設置島内に貯留される。
【０１４９】
また、機構板１０５の下部前面側には、前述した遊技領域７において各種入賞口１５，２０，２９，３０，３３，３９に入賞した入賞球を回収する入賞球回収路１６４が設けられている。各種入賞口１５，２０，２９，３０，３３，３９に入賞した入賞球は、遊技盤６を通して背面側に流出された後、図７に示されるように、遊技盤６の背面を覆うように形成された入賞球誘導カバー体１７０（図７参照）により収集されるようになっている。収集された入賞球は、図７に示されるように、入賞球誘導カバー体１７０の下面に形成された流出口を介して下方に流出された後、該流出口の鉛直下方に配置される入賞球回収路１６４（図６参照）の上面開口から入賞球回収路１６４内に落下される。
【０１５０】
入賞球回収路１６４内に落下した入賞球は、その下部に形成された連通路１６５を介して前面枠１０１側のアウト球誘導通路１３２の上流部に流出されるようになっている。つまり、回収された入賞球は、アウト球誘導通路１３２から再び機構板１０５側の合流通路１６３に流出されるため、機構板１０５を介して外部に排出されることになる。
【０１５１】
このように機構板１０５には、第１払出球誘導通路１３１ａ，供給球誘導通路１６０，球抜き通路１６１，合流通路１６３，入賞球回収路１６４等の余剰球誘導通路１３０を除く各種球通路が形成されている。
【０１５２】
以上説明したように、本実施例のパチンコ機１にあっては、余剰球誘導通路１３０を、打球供給皿３から溢れた余剰球が機構板１０５を介すことなく余剰球受皿４に誘導されるように前面枠１０１の背面に形成するとともに、該前面枠１０１の背面における余剰球誘導通路１３０近傍に満タンスイッチ１９を設けているため、従来のように、余剰球誘導通路１３０の一部に機構板１０５側に形成した通路との連通部等が形成されることがないので、余剰球受皿４から不正器具等を進入させても、該不正器具を余剰球誘導通路１３０の外部に突出させることが困難となるため、不正器具を前面枠１０１の背面とその背面側に配置される機構板１０５の前面との間からアウト口２６を介して遊技領域７内の特別可変入賞球装置２０の開閉板等を強制的に開放させて球を不正に入賞させるといった不正行為を効果的に防止することができる。
【０１５３】
また、余剰球誘導通路１３０が前面枠１０１から機構板１０５にわたり形成されることがない、つまり通路内における前面枠１０１と機構板１０５との連通部に段部等が形成されることがないので、球詰まりの発生等が防止される。
【０１５４】
（前面枠の前面に対する各種部品の取付構造）
次に、前面枠１０１の前面側から取り付けられる各種部材について、図８に基づいて説明する。図８は、前面枠の前面に組み付けられる各種部材を示す分解斜視図である。
【０１５５】
前面枠１０１の上部左右側に形成されたスピーカ取付穴１１５，１１５には、前述したように、スピーカユニット２７ａ，２７ａが前面側から取り付けられる。スピーカユニット２７ａの上面には、スピーカ取付穴１１５，１１５の上部内面に形成された前後方向を向く位置決め片２７ｃに嵌合可能な位置決め溝２７ｂが、上面後端から前方に向けて凹設されている。よって、スピーカユニット２７ａは、位置決め溝２７ｂを位置決め片２７ｃに合わせた状態で前面枠１０１の前面側からスピーカ取付穴１１５，１１５に向けて後部を挿入することにより、位置決め溝２７ｂの前壁が位置決め片２７ｃの前端に当接規制されることにより前後位置が決定されるとともに、スピーカ取付穴１１５，１１５に対してがたつきなく嵌合される。
【０１５６】
この状態で、スピーカユニット２７ａに形成された各取付ネジ孔２７ｄにスピーカ取付ネジ２７ｅを取り付け、前面枠１０１に設けられたネジ孔２７ｆにそれぞれ螺入することで前面枠１０１に取り付けられる。このようにスピーカ取付穴１１５，１１５に取り付けられた状態において、スピーカユニット２７ａの後部が前面枠１０１の裏面から背面側に向けて張り出すようになっている。
【０１５７】
尚、スピーカユニット２７ａは、スピーカ２７の音出力部（コーン正面）が前面に開放されるように、後方の本体部が箱状のカバー体（エンクロージャ）内に収納されて一体化されたものであるため、スピーカのコーンから正面に出る音と背面に出る音とが効果的に遮断され、これにより音が打ち消しあうことが防止されることで、特に低音域の音質が効果的に向上されるようになっている。尚、スピーカユニット２７ａの前面におけるスピーカ２７の音出力部（コーン）の外側方には、カバー体（エンクロージャ）の内部（スピーカ背面）に連通する縦長長方形状の開口部が形成されており、背面からの音も利用して低音再生が行われることで、より音質が向上するようになっている。
【０１５８】
また、左右のスピーカユニット２７ａ，２７ａの間には、該スピーカユニット２７ａから延出される配線を被覆するスピーカ配線カバー４００が、スピーカユニット２７ａの中央側を取り付ける取付ネジ２７ｅにより取り付けられるとともに、左側のスピーカユニット２７ａの近傍に取り付けられるスピーカ中継基板４０１が、スピーカ配線カバー４００により被覆されるようになっている。
【０１５９】
前面枠１０１の前面における遊技用開口１１４の左側には、該前面枠１０１を補強する上下方向を向く上前面枠補強板金４０２がネジを介して取り付けられる。上前面枠補強板金４０２の下端には、上皿扉枠１０３の上端を回動自在に枢支する中ヒンジ板金４０３が取り付けられるとともに、その下方位置には、上皿扉枠１０３の下端を回動自在に枢支する下ヒンジ板金４０４が取り付けられている。また、上前面枠補強板金４０２よりも中央側には、破損防止カバー４０５が取り付けられている。
【０１６０】
払出連通口１１２ａの近傍には、シリアル中継基板４０６が取り付けられるとともに、その前方には貯留カバー４０７が取り付けられる。貯留カバー４０７は、ガラス扉枠１０２の開放時に払出連通口１１２ａからこぼれた賞球を賞球返却口１１３ａに誘導する賞球返却通路４０７ａが背面側に形成されているとともに、この前面側に配置される打球供給皿３の裏面に形成される球抜き口１１３と対向する箇所には該球抜き口１１３と連通する球抜き連通口４０７ｂが形成されており、背面側に形成されるファール球誘導通路１１８に連通されている。
【０１６１】
貯留カバー４０７の右側には、打球誘導レール１１７を構成する発射点レール４０８が取り付けられるとともに、さらにその右側には、上皿扉枠１０３をロックするロック装置のロック片（図示略）が係止される被係止部を有する上皿ロック４０９が取り付けられているとともに、その前方には錠前飾り４１１が取り付けられている。尚、遊技用開口１１４の内周左右側には、遊技盤６の帯電を防止するための中アース板金４１０，４１０がそれぞれ取り付けられている。
【０１６２】
（前面枠の背面に対する各種部品の取付構造）
次に、前面枠１０１の背面側から取り付けられる各種部材について、図９に基づいて説明する。図９は、前面枠の背面に取り付けられる各種部品を示す分解斜視図である。尚、図９においては、前面枠１０１の背面を正面から見た状態として説明する。
【０１６３】
前面枠１０１の背面上部におけるスピーカ取付穴１１５，１１５間には、ドアスイッチを構成するスイッチバー４１５、前板スイッチバネ４１６、ドアスイッチカバー４１７が取り付けられている。スイッチバー４１５は、前後方向を向く棒材にて構成されており、前板スイッチバネ４１６により前面側に向けて付勢された状態で設けられている。そして、通常状態においては、その前端が前面枠１０１の前面側に突出しており、前面枠１０１の前面側に配置されるガラス扉枠１０２が閉状態となったときに、該ガラス扉枠１０２の背面所定箇所に当接し、前板スイッチバネ４１６の付勢力に抗して背面側に向けて移動されるようになっている。
【０１６４】
また、ガラス扉枠１０２により背面側に押圧された状態において、スイッチバー４１５の後端はドアスイッチカバー４１７から貫通して背面側に突出されるとともに、この状態において、前面枠１０１の背面側に配置される機構板１０５に設けられた前板スイッチ（図示略）を押圧するようになっている。
【０１６５】
すなわち、ガラス扉枠１０２が開放されたときには、スイッチバー４１５の前端は開放されるので、前板スイッチバネ４１６の付勢力により前方に付勢され、後端は前記前板スイッチ（図示略）から離脱されるので、ガラス扉枠１０２の開放が検出されるようになっている。
【０１６６】
また、ガラス扉枠１０２が閉状態においては、スイッチバー４１５の後端は前記前板スイッチ（図示略）を押圧する状態で保持されるが、機構板１０５が開放された場合には、スイッチバー４１５は保持されたままであるが、その後端から前記前板スイッチ（図示略）が機構板１０５とともに離脱されるため、機構板１０５の開放も検出できる。
【０１６７】
前面枠１０１における左右のスピーカ取付穴１１５，１１５は、前面枠１０１の上部背面から後向きに突設された膨出壁からなる膨出部１２１，１２１の内部にそれぞれ形成されている。膨出部１２１，１２１の背面におけるスピーカ取付穴１１５，１１５の背面側開口１２３の側方に形成された垂直面１２２及び左側下部には、機構板１０５を前面枠１０１の背面に近接配置した状態で保持するための機構板止め具４１８ａ，４１８ｂがそれぞれ突設されているとともに、遊技用開口１１４の右側上下位置には、機構板１０５の右側辺の上下端部を回動自在に支持する上機構板ヒンジ４１９ａ及び下機構板ヒンジ４１９ｂがそれぞれ突設されている。
【０１６８】
また、前面枠１０１の背面右側上下角部には、外枠１００に対して前面枠１０１を回動自在に枢支するための上内蝶番４２０ａ及び下内蝶番４２０ｂが取り付けられている。また、上機構板ヒンジ４１９ａの近傍には上アース板金４２１ａが取り付けられ、背面左下角部には下アース板金４２１ｂが取り付けられている。
【０１６９】
遊技用開口１１４の周囲には、遊技盤６を遊技用開口１１４に対して着脱自在に保持するための上下一対の左遊技盤押え部材４２２ａ及び右遊技盤押え部材４２２ｂがそれぞれ４箇所に設けられている。また、背面左側には、外枠１００に対して前面枠１０１を施解錠可能であるとともに、前面枠１０１に対してガラス扉枠１０２を施解錠可能な施解錠装置４２３が、左側辺部に沿って上下方向に設けられている。
【０１７０】
背面右側には、下前面枠補強板金４２４が上下方向に向けて取り付けられている。また、余剰球誘導通路１３０における段部１４１（図８参照）の近傍には、前述した満タンスイッチ１９、スイッチ片１９ａ、前面枠中継基板４２４が配設されている。また、アウト球誘導通路１３２の上流側端部近傍に形成された凹部には、遊技盤６の下部を保持するためのセンターフック４２５が配設されているとともに、その下方には配線押さえ４２６が取り付けられている。
【０１７１】
尚、バックプレート１３５、流し部材１３６に係わる部材に関しては、図６において説明済みであるため、ここでは同様の符号を付すことによりその説明は省略するものとする。
【０１７２】
（ガラス扉枠構造）
次に、図１０〜図１３に基づいて、ガラス扉枠１０２の構造を説明する。図１０は、前板飾りの前面に取り付けられる各種部品を示す分解斜視図であり、図１１は、（ａ）は前板ベースの背面に取り付けられる各種部品を示す分解斜視図であり、（ｂ）は前板ベースの前面に取り付けられる各種部品を示す分解斜視図であり、図１２は、前板飾りと前板ベースとの組み付け状態を示す斜視図であり、図１３は、前板ベースの前面に取り付けられる各種部品の一部及び背面に配置されるＬＥＤ基板を示す分解斜視図である。
【０１７３】
ガラス扉枠１０２は、図１２に示されるように、遊技者側から遊技盤６の表面に形成された遊技領域７を透視可能とするための円形状の透視用開口４５０ａが中央に形成された前板飾り４５１（図１０参照）と、前板飾り４５１の背面に取り付けられ、円形状のガラス窓取付用開口４５２ａが中央に形成された前板ベース４５２（図１１参照）と、から構成される。これら各部材４５１，４５２に形成される透視用開口４５１ａ及びガラス窓取付用開口４５２ａは、その円弧の下部が各部材の下端辺から下方に向けて湾曲状に張り出すように形成されている。
【０１７４】
まず、図１０に基づいて前板飾り４５１の構造を説明すると、透視用開口４５１ａの上方左右側には、スピーカ２７から出力される音を前方に向けて放音させるための円形状の放音穴４５３，４５３がそれぞれ形成されている。また、左右の放音穴４５３，４５３の間には、後述するトップレンズが背面側から嵌合されるトップレンズ取付部４６４が前面側に突出するように形成されている。
【０１７５】
前板飾り４５１の前面における透視用開口４５１ａの周囲には、放音穴４５４が上部に形成された左上クリアベース４５５ａ及び右上クリアベース４５５ｂと、これら左上クリアベース４５５ａ及び右上クリアベース４５５ｂの下方に配置される左下クリアベース４５６ａ及び右下クリアベース４５６ｂが取り付けられる。
【０１７６】
これら左上クリアベース４５５ａ、左下クリアベース４５６ａ及び右上クリアベース４５５ｂ、右下クリアベース４５６ｂそれぞれの外側には、図１３に示すように、横断面略凹溝状のレンズ配置部６１０が上下方向に向けて形成されている。詳しくは、左上クリアベース４５５ａ、左下クリアベース４５６ａの外側のレンズ配置部６１０には、上下方向に延びる直線状のサイドインナーレンズ４５７ａ，４５７ｃが上下に配置され、その前面側には、透明な合成樹脂材からなる帯状の左サイドレンズ４５８ａ及び右サイドレンズ４５８ｂが取り付けられている。また、右上クリアベース４５５ｂ、右下クリアベース４５６ｂの外側のレンズ配置部６１０には、上下方向に延びる直線状のサイドインナーレンズ４５７ｂ，４５７ｄが上下に配置され、その前面側には、透明な合成樹脂材からなる帯状の右サイドレンズ４５８ｂが取り付けられる。
【０１７７】
尚、これら左右のレンズ配置部６１０には、後述する６個の第１反射部６１２及び５個の第２反射部６１３が長手方向に向けて交互に形成されているとともに、該レンズ配置部６１０の表面はメッキ処理が施されている。
【０１７８】
これら棒状のサイドインナーレンズ４５７ａ〜４５７ｄにより、その背面側に６個ずつ配置される左枠ＬＥＤ２８ｂ，右枠ＬＥＤ２８ｃの光が上下方向に拡散されるようになっている。また、前面４隅には、ガラス扉枠１０２を回動するためのヒンジ（図示略）及び回動軸の他端を係合する係合部を被覆するヒンジカバー４５９ａ〜４５９ｄがそれぞれ取り付けられている。
【０１７９】
放音穴４５３，４５３とトップレンズ取付部４６４との間には、透明なレンズからなり、ＬＥＤの光を透過可能な飾り部材４６０，４６０が取り付けられるとともに、左右の放音穴４５３，４５３の前面側には、スピーカ２７のコーン等を保護するためのスピーカネット４６１が取り付けられるとともに、放音穴４５３，４５３の周囲を装飾する上ストラクチャー４６２ａ，４６２ｂが取り付けられる。また、下部左右側には、フレーム構造をなす下ストラクチャー４６２ｃ、４６２ｄが取り付けられる。
【０１８０】
さらに、前板飾り４５１の前面における透視用窓４５１ａの左右側部に設けられる各種部材をそれぞれ前面側から被覆する透明な左クリアレンズ４６３ａ，右クリアレンズ４６３ｂと、前板飾り４５１の前面における透視用窓４５１ａの上部を被覆する透明な上クリアレンズ４６３ｃがそれぞれ取り付けられる。尚、これら左クリアレンズ４６３ａ，右クリアレンズ４６３ｂを通して上ストラクチャー４６２ａ，４６２ｂや下ストラクチャー４６２ｃ、４６２ｄが視認可能とされている。
【０１８１】
また、上記各種レンズは、ＬＥＤからの光を透光可能な透光性を有する合成樹脂材等にて構成されていればよい。
【０１８２】
次に、図１１に基づいて前板ベース４５２の構造を説明すると、図１１（ａ）に示されるように、ガラス窓取付用開口４５２ａには、透明なガラス窓（図示略）が背面側から取り付けられ、ガラス窓取付用開口４５２ａの周囲４箇所に設けられた窓押さえ４７０により保持されるようになっている。また、ガラス窓取付用開口４５２ａの上部左右側には円筒状の放音穴４７１が形成されている。
【０１８３】
前板ベース４５２の背面左右側辺部及び上辺部には、左前板補強板金４７２ａ，右前板補強板金４７２ｂ，上前板補強板金４７２ｃがそれぞれネジにより取り付けられて補強されている。
【０１８４】
図１１（ｂ）に示されるように、前板ベース４５２の前面下辺部には、下前板補強板金４７２ｄが前面側から取り付けられて補強されている。前面における左右の放音穴４７１，４７１間には、天枠ＬＥＤ２８ａが前面に複数実装された中前板天基板４７３ａ及びその左右側に配設される左前板天基板４７３ｂ及び右前板天基板４７３ｃが取り付けられているとともに、左前板天基板４７３ｂ及び右前板天基板４７３ｃの前面側には、左天基板シート４７４ａ，右天基板シート４７４ｂが取り付けられる。
【０１８５】
前板ベース４５２の前面左右辺部には、複数の左枠ＬＥＤ２８ｂ及び１つの賞球ＬＥＤ５１が前面に実装された上下方向に延びる左前板基板４７５ａと、複数の右枠ＬＥＤ２８ｃ及び１つの球切れＬＥＤ５２が前面に実装された上下方向に延びる右前板基板４７５ｂとが取り付けられるとともに、これらの前面側には、左前板基板シート４７６ａ及び右前板基板シート４７６ｂが取り付けられる。
【０１８６】
このように構成された前板飾り４５１及び前板ベース４５２は、図１２に示されるように、前板ベース４５２の前面と前板飾り４５１の背面とを互いに当接させた状態でネジ止めすることにより一体化されて、ガラス扉枠１０２として構成される。尚、前板飾り４５１のトップレンズ取付部４６４には、トップレンズ４８０、トップレンズカバー４８１、トップレンズベース４８２が背面側から取り付けられ、これらトップレンズ４８０、トップレンズカバー４８１、トップレンズベース４８２が取り付けられた状態で前板飾り４５１と前板ベース４５２とが一体化される。
【０１８７】
また、前板飾り４５１の前面下辺部には、下飾り４８３が配置され、該下飾り４８３の裏面に、前板飾り４５１と前板ベース４５２とを一体化するためのネジが螺入されるようになっている。また、前板ベース４５２の背面における左前板補強板金４７２ａ背面には、前板返し板金４７７が取り付けられる。
【０１８８】
（左右発光部構造）
次に、図１４〜図１９に基づいて、左発光部２８Ｌ及び右発光部２８Ｒの詳細な構造を説明する。図１４は、前板飾りの前面を示す要部拡大正面図であり、図１５は、前板飾りに対するサイドインナーレンズの取付状態を示す要部拡大斜視図であり、図１６は、図１４のＡ−Ａ断面図であり、図１７は、（ａ）は図１６のＢ−Ｂ断面図、（ｂ）は図１６のＣ−Ｃ断面図、（ｃ）は図１６のＤ−Ｄ断面図であり、図１８は、サイドインナーレンズにおける導光状態を示す断面図であり、図１９は、サイドインナーレンズの発光状態を示す概略図である。
【０１８９】
尚、図１７（ａ）における図１６のＢ−Ｂ断面図及び図１７（ｃ）における図１６のＤ−Ｄ断面図は、図示を明確にするために後述する第１の凹部６０３及び第２の凹部６０４の上下中央位置よりもやや下方位置にて切断した状態を示す断面図としている。
【０１９０】
尚、左発光部２８Ｌ及び右発光部２８Ｒの構造はほぼ同様であるため、ここでは右発光部２８Ｒについて説明し、左発光部２８Ｌの構造の詳細な説明は省略する。また、右発光部２８Ｒに設けられるサイドインナーレンズ４５７ｂ，４５７ｄは上下対象に形成されているため、図１４〜図１９においては、両者のうち下方のサイドインナーレンズ４５７ｄの詳細な構造のみを説明し、サイドインナーレンズ４５７ｂの詳細な説明は省略することとする。
【０１９１】
右発光部２８Ｒには、図１４に示されるように、前述した導光部材としてのサイドインナーレンズ４５７ｂ，４５７ｄ（サイドインナーレンズ４５７ｂは図示略）及びその背面（裏面）側に配置される右枠ＬＥＤ２８ｃとから主に構成される直線発光部６００が、前板飾り４５１における右側辺に沿って上下方向に設けられている。
【０１９２】
サイドインナーレンズ４５７ｄは、特に図１５に示されるように、透明な合成樹脂材により棒状に形成されている。詳しくは、帯状に形成される板状部６０１と、板状部６０１の左右方向の前面中央部から前方に向けて延設される中央リブ６０２Ｃ及び板状部６０１の左右方向の前面端部からそれぞれ外側斜め前方に向けて延設される左リブ６０２Ｌ，右リブ６０２Ｒと、が一体成形により構成されている。つまり、上下方向に延設されるサイドインナーレンズ４５７ｄは、左右方向に並設されるとともに、それぞれの後端が一体化されてなる３本の左リブ６０２Ｌ，中央リブ６０２Ｃ，右リブ６０２Ｒにて構成され、左リブ６０２Ｌ及び右リブ６０２Ｒは、中央リブ６０２Ｃに対して所定角度傾斜した状態で設けられているため、左リブ６０２Ｌと中央リブ６０２Ｃとの間及び右リブ６０２Ｒと中央リブ６０２Ｃとの間には、断面略三角形状をなす空間が上下方向に向けて形成されている。
【０１９３】
これら左リブ６０２Ｌ，中央リブ６０２Ｃ，右リブ６０２Ｒの前端面及び板状部６０１の裏面には、長手方向にわたりローレット加工が施され、開角θ３＝９０度をなす縦断面三角形状の切欠が上下方向に向けて連続して形成されており（図１６参照）、内部の光が外方に放射されるようになっている。
【０１９４】
サイドインナーレンズ４５７ｄの裏面には、板状部６０１裏面から左リブ６０２Ｌ，中央リブ６０２Ｃ，右リブ６０２Ｒの基部までの深さを有するとともに、左右幅方向に延びる３個の第１の凹部６０３及び２個の第２の凹部６０４（図１３参照）が、長手方向に向けて所定間隔おきに交互に凹設されている。また、サイドインナーレンズ４５７ｄの表面側における第１の凹部６０３に対応する箇所には、第１の凹部６０３を形成するための第１の凸部６０５が、左リブ６０２Ｌと中央リブ６０２Ｃとの間及び右リブ６０２Ｒと中央リブ６０２Ｃとの間にそれぞれ前方に向けて凸設されているとともに、サイドインナーレンズ４５７ｄの表面側における第２の凹部６０４に対応する箇所には、第２の凹部６０４を形成するための第２の凸部６０６が、左リブ６０２Ｌと中央リブ６０２Ｃとの間及び右リブ６０２Ｒと中央リブ６０２Ｃとの間にそれぞれ前方に向けて凸設されている。
【０１９５】
第１の凹部６０３は、図１５及び図１８に示されるように、垂直方向を向く垂直導入面６０７ａと、該垂直導入面６０７ａの上端から裏面側に向けて連設され、水平方向を向く上水平導入面６０７ｂと、該垂直導入面６０７ａの下端から裏面側に向けて連設され、水平方向を向く下水平導入面６０７ｃと、により側面視略逆コ字形に形成された照射光導入面を構成しており、その裏面側に配置される右枠ＬＥＤ２８ｃからの照射光が該サイドインナーレンズ４５７ｄ内部に導入されるようになっている。
【０１９６】
尚、垂直導入面６０７ａには上下方向にわたりローレット加工が施され、開角θ３＝９０度をなす縦断面三角形状の切欠が上下方向に向けて連続してなる光拡散部が形成されており、内部の光が外方に放射されるようになっている。
【０１９７】
第２の凹部６０４は、垂直方向を向く垂直反射面６０８ａと、該垂直反射面６０８ａの上端から裏面側に向けて上方に傾斜する上傾斜反射面６０８ｂと、該垂直反射面６０８ａの下端から裏面側に向けて下方に傾斜する下傾斜反射面６０８ｃと、からなる反射面を構成しており、上記照射光導入面から内部に導入されてサイドインナーレンズ４５７ｄ内部を長手方向に向けて誘導された光を前側に向けて反射するようになっている。
【０１９８】
尚、本実施例では、垂直反射面６０８ａにはローレット加工が施されていないが、該垂直反射面６０８ａの上下方向にわたりローレット加工を施し、開角θ３＝９０度をなす縦断面三角形状の切欠が上下方向に向けて連続してなる光拡散部が形成されるようにしてもよく、このようにすることで内部の光が外方に放射されるため、第２の凸部６０６における輝度を高めることができる。
【０１９９】
サイドインナーレンズ４５７ｄの下端には、前記第２の凹部６０４の上半分、つまり上下幅寸法が垂直反射面６０８ａの上下幅寸法の半分の垂直反射面６０８ａ’（図示略）と上傾斜反射面６０８ｂ’（図示略）とからなる第２の半凹部６０４’が形成されているとともに、その前面側には、該第２の凹部６０４’を形成するための第２の半凸部６０６’（図１４，図１９参照）が凸設されている。
【０２００】
尚、特に図示はしないが、サイドインナーレンズ４５７ｄと上下対象に形成されるサイドインナーレンズ４５７ｂの上端にも、第２の半凹部６０４’及び第２の半凸部６０６’が同様に形成されている。
【０２０１】
また、特に図示はしないが、サイドインナーレンズ４５７ｄの上端には、特に詳細な図示はしないが、前記第２の凹部６０４の下半分、つまり上下幅寸法が垂直反射面６０８ａの上下幅寸法の半分の垂直反射面６０８ａ’（図示略）と下傾斜反射面６０８ｃ’（図示略）とからなる第２の半凹部６０４’（図示略）が形成されているとともに、その前面側には、該第２の凹部６０４’（図示略）を形成するための第２の半凸部６０６’（図示略）が凸設されている。
【０２０２】
すなわち、このサイドインナーレンズ４５７ｄと上下対象に形成されるサイドインナーレンズ４５７ｂの下端には、特に詳細な図示はしないが、前記第２の凹部６０４の上半分、つまり上下幅寸法が垂直反射面６０８ａの上下幅寸法の半分の垂直反射面６０８ａ’（図示略）と上傾斜反射面６０８ｂ’（図示略）とからなる第２の半凹部６０４’（図示略）が形成されているとともに、その前面側には、該第２の半凹部６０４’（図示略）を形成するための第２の半凸部６０６’（図示略）が凸設されているため、これらサイドインナーレンズ４５７ｄの上端に形成される第２の半凹部６０４’とサイドインナーレンズ４５７ｂの下端に形成される第２の半凹部６０４’とにより、互いの上下端部同士を付き合わせたときに１つの第２の凹部６０４及び第２の凸部６０６が形成されるようになっている。
【０２０３】
一方、前板飾り４５１の前面には、図１５に示されるように、サイドインナーレンズ４５７ｄを前方から配置可能な前述したレンズ配置部６１０が、前板飾り４５１の右側辺に沿って上下方向に向けて延設されている。レンズ配置部６１０は、サイドインナーレンズ４５７ｄが配置された状態において板状部６０１の裏面と当接する底壁面６１０ａと、左リブ６０２Ｌの外面及び右リブ６０２Ｒの外面それぞれと当接する傾斜壁面６１０ｂ，６１０ｃとから前方に開放する横断面略凹溝状に形成されている。
【０２０４】
底壁面６１０ａには、該底壁面６１０ａの裏面側に配置される各右枠ＬＥＤ２８ｃとの対向位置に、該右枠ＬＥＤ２８ｃの照射面を前方に露呈させるための照射用開口６１１が上下方向にわたって複数形成されており、上下方向に向けて所定間隔おきに配設された各右枠ＬＥＤ２８ｃからの照射光を前方に向けて照射させることができるようになっている。
【０２０５】
照射用開口６１１の前方には、サイドインナーレンズ４５７ｄが配置された状態において、第１の凹部６０３内に収容されて係合する三角柱状の照射光反射部６１２が左右方向に向けて架設されている。この照射光反射部６１２の裏面側には、図１８に示されるように、裏面側に向けて下方に傾斜する上照射光反射面６１２ｂと、裏面側に向けて上方に傾斜する下照射光反射面６１２ｃとがそれぞれ形成されている。上照射光反射面６１２ｂは、右枠ＬＥＤ２８ｃからの照射光を、該第１の凹部６０３の上方に設けられた第２の凹部６０４の下傾斜反射面６０８ｃに向けて反射させて、上水平導入面６０７ｂに入射させる。下照射光反射面６１２ｃは、右枠ＬＥＤ２８ｃからの照射光を、該第１の凹部６０３の下方に設けられた第２の凹部６０４の上傾斜反射面６０８ｂに向けて反射させて、下水平導入面６０７ｃに入射させるようになっている。
【０２０６】
また、底壁面６１０ａには、サイドインナーレンズ４５７ｄが配置された状態において、第２の凹部６０４内に嵌合される補助反射部６１３が前方に向けて凸設されている。補助反射部６１３は、垂直方向を向く垂直補助反射面６１３ａと、該垂直補助反射面６１３ａの上端から裏面側に向けて上方に傾斜する上補助反射面６１３ｂと、該垂直補助反射面６１３ａの下端から裏面側に向けて下方に傾斜する下補助反射面６１３ｃと、により縦断面略三角形状に形成されており、サイドインナーレンズ４５７ｄが配置された状態において、垂直補助反射面６１３ａは垂直反射面６０８ａの裏面に当接し、上補助反射面６１３ｂは上傾斜反射面６０８ｂの裏面に当接し、下補助反射面６１３ｃは下傾斜反射面６０８ｃの裏面に当接するようになっている。
【０２０７】
また、底壁面６１０ａの下端部には、特に詳細な図示はしないが、前記補助反射部６１３の上半分、つまり上下幅寸法が垂直補助反射面６１３ａの上下幅寸法の半分の垂直補助反射面６１３ａ’（図示略）と上補助反射面６１３ｂ’（図示略）とからなる半補助反射部６１３’（図１６参照）が形成されており、サイドインナーレンズ４５７ｄが配置された状態において、サイドインナーレンズ４５７ｄの下端の垂直反射面６０８ａ’（図示略）が垂直補助反射面６１３ａ’（図示略）に、また、上傾斜反射面６０８ｂ’（図示略）が上補助反射面６１３ｂ’（図示略）に当接もしくは近接するようになっている。
【０２０８】
また、底壁面６１０ａの上端部には、特に詳細な図示はしないが、前記補助反射部６１３の下半分、つまり上下幅寸法が垂直補助反射面６１３ａの上下幅寸法の半分の垂直補助反射面６１３ａ’（図示略）と下補助反射面６１３ｃ’（図示略）とからなる半補助反射部６１３’（図示略）が形成されており、サイドインナーレンズ４５７ｂが配置された状態において、サイドインナーレンズ４５７ｂの上端の垂直反射面６０８ａ’（図示略）が垂直補助反射面６１３ａ’（図示略）に、また、下傾斜反射面６０８ｂ’（図示略）が下補助反射面６１３ｂ’（図示略）に当接もしくは近接するようになっている。
【０２０９】
レンズ配置部６１０を構成する前板飾り４５１及び照射光反射部６１２，補助反射部６１３は、非透光性の合成樹脂材にて構成されているとともに、底壁面６１０ａ、傾斜壁面６１０ｂ，６１０ｃ及び上記各反射面６１２ａ〜６１２ｃ，６１３ａ〜６１３ｃにはメッキ処理が施されているため、サイドインナーレンズ４５７ｄ内部から放射される光を損失させることなく効率よく反射して再度内部に入射させるようになっている。
【０２１０】
次に、上述のように構成されたサイドインナーレンズ４５７ｄ、前板飾り４５１、右枠ＬＥＤ２８ｃの詳細な構造及び互いの配置関係等について説明する。
【０２１１】
図１４に示されるように、サイドインナーレンズ４５７ｄの表面側には、第１の凸部６０５（第１の凹部６０３）と第２の凸部６０６（第２の凹部６０４）とがそれぞれ上下方向に向けてほぼ一定間隔おきに交互に形成されている。尚、図１４の拡大図には、左リブ６０２Ｌ，中央リブ６０２Ｃ，右リブ６０２Ｒ及び第１の凸部６０５，第２の凸部６０６に係る寸法（単位はｍｍ）が記載されている。尚、該寸法は小数第２以下を四捨五入した寸法としている。
【０２１２】
第１の凹部６０３及び第２の凹部６０４は、図１６及び図１８に示されるように、裏面側に向けて開放する凹溝状に形成されている。詳しくは、第１の凹部６０３を構成する垂直導入面６０７ａの上下幅寸法Ｌ１は約５ｍｍであり、上水平導入面６０７ｂ及び下水平導入面６０７ｃの前後幅寸法Ｌ２は約２．５ｍｍとされている。
【０２１３】
この第１の凹部６０３内に収容される照射光反射部６１２の垂直反射面６１２ａの上下幅寸法は、前記垂直導入面６０７ａの上下幅寸法Ｌ１よりも短寸とされており、垂直反射面６１２ａの上端と上水平導入面６０７ｂとの間及び垂直反射面６１２ａの下端と下水平導入面６０７ｃとの間には僅かな隙間が形成されている。よって、右枠ＬＥＤ２８ｃからの照射光がこの僅かな隙間から照射光反射部６１２よりも前方に向けて放射されるようになっている。
【０２１４】
照射光反射部６１２は、上傾斜反射面６１２ｂと下傾斜反射面６１２ｃとの接合端辺、すなわち頂辺が底壁面６１０ａよりもやや前方に位置するように設けられている。また、上水平導入面６０７ｂに対する上傾斜反射面６１２ｂの傾斜角度及び下水平導入面６０７ｃに対する下傾斜反射面６１２ｃの傾斜角度θ１はそれぞれ約４５度とされている。各右枠ＬＥＤ２８ｃは、光を前方に向けて略水平に照射、すなわち、垂直導入面６０７ａに対して直交方向に照射するように配置されているため、該右枠ＬＥＤ２８ｃからの照射光は、上傾斜反射面６１２ｂと下傾斜反射面６１２ｃとによりそれぞれ上下方向に反射されるようになっている。
【０２１５】
第２の凹部６０４を構成する垂直反射面６０８ａの上下幅寸法Ｌ４は約１．８ｍｍであり、上傾斜反射面６０８ｂの上下幅寸法Ｌ５及び下傾斜反射面６０８ｃの上下幅寸法Ｌ６、すなわち、上傾斜反射面６０８ｂ及び下傾斜反射面６０８ｃ上下の端辺間の垂直幅寸法はそれぞれ約２．５ｍｍであり、上傾斜反射面６０８ｂの上端辺と下傾斜反射面６０８ｃの下端辺との間の上下幅（垂直幅）寸法Ｌ３（Ｌ３＝Ｌ４＋Ｌ５＋Ｌ６）は約６．８ｍｍとされている。
【０２１６】
また、上下方向を向くサイドインナーレンズ４５７ｄ（板状部６０１）の裏面に対する上傾斜反射面６０８ｂ及び下傾斜反射面６０８ｃの傾斜角度θ２はそれぞれ約１３５度とされている。つまり、サイドインナーレンズ４５７ｄ（板状部６０１）の裏面に対して直交する水平面に対する上傾斜反射面６０８ｂ及び下傾斜反射面６０８ｃの傾斜角度はそれぞれ約４５度であるため、上水平導入面６０７ｂ，下水平導入面６０７ｃに対して直交方向に入射した光を前方に向けて効率よく反射させることができるようになっている。
【０２１７】
図１６に示されるように、複数の右枠ＬＥＤ２８ｃが前面における長手方向に向けて所定間隔おきに複数配置された右前板基板４７５ｂは、レンズ配置部６１０の裏面側に近接配置されているとともに、各右枠ＬＥＤ２８ｃが底壁面６１０ａに形成された各照射用開口６１１に臨むように配設されている。すなわち、各照射光反射部６１２の裏面側には右枠ＬＥＤ２８ｃがそれぞれ配設されているが、補助反射部６１３の裏面側には右枠ＬＥＤ２８ｃは配設されない。尚、各右枠ＬＥＤ２８ｃは、光を前方に向けて略水平に照射、すなわち、垂直導入面６０７ａに対して直交方向に照射するように配置されている。
【０２１８】
サイドインナーレンズ４５７ｄは、図１５に示されるように、裏面に形成された第１の凹部６０３を照射光反射部６１２に対向させるとともに、第２の凹部６０４を補助反射部６１３に対向させた状態で、レンズ配置部６１０の前面側から配置する（図１４参照）。レンズ配置部６１０内に配置された状態において、板状部６０１の裏面及び左リブ６０２Ｌ，右リブ６０２Ｒの裏面が底壁面６１０ａ，傾斜壁面６１０ｂ，６１０ｃにそれぞれ当接するとともに、第１の凹部６０３内に照射光反射部６１２が収容して嵌合され、第２の凹部６０４内に補助反射部６１３が嵌合されるようになっている（図１６参照）。
【０２１９】
次に、サイドインナーレンズ４５７ｄの発光態様について、図１８及び図１９に基づいて説明する。尚、図１９においては、主に発光している領域が白色で示され、ほとんど発光していない領域が黒色で示されている。
【０２２０】
図１８に示されるように、サイドインナーレンズ４５７ｄに対する光の供給は、各第１の凹部６０３から行われる。右枠ＬＥＤ２８ｃから照射された光は、前方に向けてほぼ水平に照射されるため、照射用開口６１１を通過した光は主に上傾斜反射面６１２ｂ及び下傾斜反射面６１２ｃにより上方及び下方に向けて反射する。ここで、照射方向とほぼ平行な上水平導入面６０７ｂに対する上傾斜反射面６１２ｂの傾斜角度及び下水平導入面６０７ｃに対する下傾斜反射面６１２ｃの傾斜角度θ１＝４５度であるため、反射光は上水平導入面６０７ｂ及び下水平導入面６０７ｃに対してほぼ直交する方向に反射する。
【０２２１】
つまり、上水平導入面６０７ｂ及び下水平導入面６０７ｃに対する入射角は０度となるため、入射光は上水平導入面６０７ｂ及び下水平導入面６０７ｃによりほぼ屈折することなく、上方及び下方に向けてほぼ垂直に入射し、そのまま直線的に進む。
【０２２２】
ここで、下水平導入面６０７ｃから入射した入射光は、下方に向けてほぼ垂直に進み、該下水平導入面６０７ｃの直下に配設された上傾斜反射面６０８ｂに入射する。この入射光の光路は、上傾斜反射面６０８ｂの法線Ｈに対して臨界角θ４よりも大きな角度であり、入射前のエネルギーが全て反射光になるため、前方に向けてほぼ水平に反射する。よって、該上傾斜反射面６０８ｂの前方位置、すなわち、第２の凸部６０６の上部付近がその周辺に比べて強く発光する（図１９参照）。
【０２２３】
尚、上水平導入面６０７ｂから入射した入射光は、上方に向けてほぼ垂直に進み、該上水平導入面６０７ｂの直上に配設された別の下傾斜反射面６０８ｃ（図示略）に入射する。この入射光の光路は、下傾斜反射面６０８ｃの法線Ｈに対して臨界角θ４よりも大きな角度であり、入射前のエネルギーが全て反射光になるため、前方に向けてほぼ水平に反射する。よって、該下傾斜反射面６０８ｃの前方位置、すなわち、第２の凸部６０６の下部付近がその周辺に比べて強く発光する（図１９参照）。
【０２２４】
第１の凹部６０３に戻って、右枠ＬＥＤ２８ｃから照射された光は、上述のように全てが上下の照射光反射面６１２ｂ，６１２ｃに向けて水平に照射されるわけではなく、上水平導入面６０７ｂや下水平導入面６０７ｃに対して斜めに入射する光もあるため、これら光は、レンズ内部に透過され、または反射することになる。
【０２２５】
ここで、右枠ＬＥＤ２８ｃからの照射光または上水平導入面６０７ｂや下水平誘導面６０７ｃ等で反射した反射光等、上照射光反射面６１２ｂの上端辺と上水平導入面６０７ｂとの隙間もしくは下照射光反射面６１２ｃの下端辺と下水平導入面６０７ｃとの隙間に入り込んだ光は、垂直導入面６０７ａに入射し、レンズ内部に透過され、または反射することになるため、該垂直導入面６０７ａの前方上下位置、すなわち、第１の凸部６０５の上下部付近がその周辺に比べて強く発光する（図１９参照）。
【０２２６】
また、垂直導入面６０７ａに入射した光は、反射した場合でもその裏面側に垂直反射面６１２ｂが配置されていることにより、反射光が外部に放射されることなく、該垂直反射面６１２ａに反射して再度垂直導入面６０７ａに入射するため、垂直導入面６０７ａが明るくなる。さらに、垂直導入面６０７ａにはローレット加工が施されていることで、その裏面側上下端付近から入射する光が凹凸面により上下方向にわたり分散して反射されるため、照射光反射部６１２により右枠ＬＥＤ２８ｃからの照射光が遮られても、上下幅方向にわたり発光することになる。
【０２２７】
このように、サイドインナーレンズ４５７ｄにあっては、裏面側に配置された右枠ＬＥＤ２８ｃとの対向位置に、各導入面６０７ａ〜６０７ｃからなる第１の凹部６０３が凹設されていることにより、右枠ＬＥＤ２８ｃから前方に向けて水平に照射される光により、第１の凹部６０３の前方に形成される第１の凸部６０５付近が、その周辺に比べて強く発光する（図１９参照）。つまり、右枠ＬＥＤ２８ｃが発光することにより、サイドインナーレンズ４５７ｄの表面における各第１の凹部６０３の正面位置に、主に垂直導入面６０７ａから導入された入射光により発光する第１の発光部が形成される。
【０２２８】
また、裏面側に配置された右枠ＬＥＤ２８ｃと対向しない位置に、各反射面６０８ａ〜６０８ｃからなる第２の凹部６０４が凹設されていることにより、主に上下の水平導入面６０７ｂ，６０７ｃからサイドインナーレンズ４５７ｄ内部に透過して垂直方向に誘導された光が、上下の傾斜反射面６０８ｂ，６０８ｃにて前方に向けて反射誘導されるため、第２の凹部６０４の前方に形成される第２の凸部６０６付近が、その周辺に比べて強く、かつ、第１の凸部６０５とほぼ同じ輝度で発光する（図１９参照）。つまり、右枠ＬＥＤ２８ｃが発光することにより、サイドインナーレンズ４５７ｄの表面における各第２の凹部６０４の正面位置に、主に上下の水平導入面６０７ｂ，６０７ｃから導入された入射光により発光する第２の発光部が形成される。
【０２２９】
また、垂直導入面６０７ａと右枠ＬＥＤ２８ｃとの間には非透光性部材からなる照射光反射部６１２が配置されており、これにより垂直導入面６０７ａの裏面側が遮られていることで、右枠ＬＥＤ２８ｃの照射光が直接垂直導入面６０７ａを透過して前方に放射されることがないので、第１の発光部における輝度が適度に低下される。
【０２３０】
一方、右枠ＬＥＤ２８ｃの前面側には上下の傾斜反射面６１２ｂ，６１２ｃが形成されており、右枠ＬＥＤ２８ｃの照射光を上下の水平導入部６０７ｂ，６０７ｃに対して直交方向に入射させるようになっているため、反射による光の損失を極力抑えた状態で照射光を第２の凹部６０４側に向けて誘導することができるばかりか、透過光が上下の水平導入部６０７ｂ，６０７ｃの直下及び直上に形成される上下の傾斜反射面６０８ｂ，６０８ｃに向けて直線的に誘導され、上下の傾斜反射面６０８ｂ，６０８ｃに入射する前に外部に放射することを効果的に防止できるため、第２の発光部における輝度を高めることができる。
【０２３１】
さらに、上下の傾斜反射面６０８ｂ，６０８ｃの裏面側には、非透光性部材からなる上下の補助反射面６１３ｂ，６１３ｃが近接配置されているため、上下の傾斜反射面６０８ｂ，６０８ｃから外部に放射される光が再度内部に入射されるため、第２の発光部における輝度を高めることができる。
【０２３２】
また、図１６にて説明したように、垂直導入面６０７ａの上下幅寸法Ｌ１＝約５ｍｍであるのに対し、上傾斜反射面６０８ｂ及び下傾斜反射面６０８ｃそれぞれの上下幅寸法Ｌ５，Ｌ６の合計幅寸法Ｌ５＋Ｌ６＝約５ｍｍであることで、サイドインナーレンズ４５７ｄを正面から見たときにおける発光領域の上下幅寸法が、垂直導入面６０７ａの上下幅寸法Ｌ１と、上傾斜反射面６０８ｂ及び下傾斜反射面６０８ｃそれぞれの上下幅寸法Ｌ５，Ｌ６の合計幅寸法Ｌ５＋Ｌ６とがほぼ同寸（Ｌ１＝Ｌ５＋Ｌ６）であるため、第１の発光部及び第２の発光部の輝度をほぼ同じようにすることができる。
【０２３３】
さらに、垂直導入面６０７ａの上下幅寸法Ｌ１よりも垂直反射面６０８ａの上下幅寸法Ｌ４の方が短寸（Ｌ１＞Ｌ４）であることで、発光領域を構成する上傾斜反射面６０８ｂと下傾斜反射面６０８ｃとが大きく分離されることがないので、第２の発光部の輝度の低減が防止される。
【０２３４】
このように、裏面側に右枠ＬＥＤ２８ｃが配置される第１の凸部６０５（第１の発光部）における輝度が適度に低減されるとともに、裏面側に右枠ＬＥＤ２８ｃが配置されない第２の凸部６０６（第２の発光部）における輝度が効果的に向上されていることで、第１の凸部６０５（第１の発光部）と第２の凸部６０６（第２の発光部）との輝度の差が極力小さくなっている。これにより輝度の違いによる違和感が生じなくなり、第２の凸部６０６（第２の発光部）の裏面側にもあたかも右枠ＬＥＤが配置されて発光しているように見せることができるため、多量のＬＥＤを配置することなく、インパクトのある発光演出を実現することが可能となる。
【０２３５】
尚、サイドインナーレンズ４５７ｄの下端に形成された第２の半凹部６０４’に関しては、前述した上傾斜反射面６０８ｂ’（図示略）が上傾斜反射面６０８ｂと同様の作用・効果を奏するとともに、サイドインナーレンズ４５７ｂの上端に形成された第２の半凹部６０４’（図示略）に関しては、前述した下傾斜反射面６０８ｃ’（図示略）が下傾斜反射面６０８ｂと同様の作用・効果を奏するため、サイドインナーレンズ４５７ｄの下端及びサイドインナーレンズ４５７ｂの上端もあたかも右枠ＬＥＤが配置されて発光しているように見える。
【０２３６】
さらに、サイドインナーレンズ４５７ｂ，４５７ｄの接合部には、前述したように、サイドインナーレンズ４５７ｄの上端に形成された第２の半凹部６０４’（図示略）と、サイドインナーレンズ４５７ｂの下端に形成された第２の半凹部６０４’（図示略）とにより第２の凹部６０４（図示略）が形成され、他の第２の凹部６０４と同様の作用・効果を奏するため、サイドインナーレンズ４５７ｂ，４５７ｄの接合部もあたかも右枠ＬＥＤが配置されて発光しているように見える。
【０２３７】
また、垂直導入面６０７ａ，上水平導入面６０７ｂ，下水平導入面６０７ｃに対してそれぞれ斜めに入射してサイドインナーレンズ４５７ｄ内部に透過した入射光は、主にローレット加工が施された面、つまり各リブ６０２Ｌ，６０２Ｃ，６０２Ｒの前端面や板状部６０１の裏面から外部に放射される。つまり、サイドインナーレンズ４５７ｄ内部に透過した入射光は全て垂直方向に向けて進むわけではなく、レンズ内面にて反射しながら進む光もあり、これによりサイドインナーレンズ４５７ｄの上下方向に延設された各リブ６０２Ｌ，６０２Ｃ，６０２Ｒの前端面が、上下方向にわたって均等に発光するため、サイドインナーレンズ４５７ｄの表面を長手方向にわたり発光させることができる。
【０２３８】
また、サイドインナーレンズ４５７ｄ内部から板状部６０１の裏面から外部に放射された光は、その裏面に近接配置される底壁面６１０ａにより反射されて再度内部に透過されるとともに、サイドインナーレンズ４５７ｄ内部から左右のリブ６０２Ｌ，６０２Ｒの外面から外部に放射された光は、その外側に近接配置される傾斜壁面６０１ｂ，６１０ｃにより反射されて再度内部に透過され、これによりサイドインナーレンズ４５７ｄ内部を誘導される光が裏面側に放射しにくくなり、光が前方に向けて放射されやすくなるため、サイドインナーレンズ４５７ｄ全域を効率よく発光させることができる。
【０２３９】
（打球供給皿の内部構造）
次に、打球供給皿３の内部構造を、図２０に基づいて説明する。図２０は、打球供給皿の内部構造を示す分解斜視図である。
【０２４０】
図２０に示されるように、打球供給皿３は、上皿扉枠１０３の本体を構成する上皿本体板３００と、上皿本体板３００の前方及び左右側方を被覆する上皿カバー体３０１と、上向きに開口する皿状に形成される上皿球受け３０２と、から主に構成されている。上皿本体板３００の前面左右側には、供給皿左発光部２００Ｌ及び供給皿右発光部２００Ｒを構成する各種部材が組み付けられるとともに、上皿本体板３００の前面中央には、上皿カバー体３０１及び上皿球受け３０２が前面側から取り付けられる。尚、上皿本体板３００の前面中央上部には、上皿球受け３０２に待機する待機球との当接による磨耗を保護するカバーシール３１５が取り付けられる。
【０２４１】
上皿本体板３００の前面左右側には、供給皿左ＬＥＤ２００ａ及びその外側に配置された供給皿左外ＬＥＤ２００ｃを前面に有する上皿左サイド基板３１０Ｌ，供給皿右ＬＥＤ２００ｂ及びその外側に配置された供給皿右外ＬＥＤ２００ｃを前面に有する上皿右サイド基板３１０Ｒと、上皿左基板シート３１１Ｌ，上皿右基板シート３１１Ｒと、上皿左横飾り３１２Ｌ，上皿右横飾り３１２Ｒと、上皿左クリアベース３１３Ｌ，上皿右クリアベース３１３Ｒと、上皿左サイドレンズ３１４Ｌ，上皿右サイドレンズ３１４Ｒと、がそれぞれ記載した順に前面側から取り付けられている。
【０２４２】
また、上皿本体板３００の前面における上皿左サイド基板３１０Ｌ，上皿左基板シート３１１Ｌ，上皿左横飾り３１２Ｌ，上皿左クリアベース３１３Ｌ，上皿左サイドレンズ３１４Ｌのさらに左側には、上皿扉枠１０３を前面枠１０１に対して回動可能に枢支するための上皿ヒンジ３１６及び上皿軸カバー３１７が取り付けられている。
【０２４３】
上皿カバー体３０１は、合成樹脂材からなる１枚の板材を側面視で略Ｖ字状をなすように屈曲し、該屈曲部が前方に向けて突出するように形成されており、内部空間に上皿球受け３０２が配設可能とされている。また、左右方向を向く屈曲部３０１ａは上下方向に所定幅を有しており、該屈曲部３０１ａに供給皿前発光部２０１を構成する横長帯状の前面が形成されている。
【０２４４】
そしてその左右側部には、上皿左横飾り３２０Ｌ，上皿右横飾り３２０Ｒが背面側から差し込まれて取り付けられるとともに、上皿左横飾り３２０Ｌ，上皿右横飾り３２０Ｒの外側には、上皿左横Ｖレンズ３２１Ｌ，上皿右横Ｖレンズ３２１Ｒと、上皿左横レンズ３２２Ｌ，上皿右横レンズ３２２Ｒと、ロゴ（図示略）が刻印された左ロゴレンズ３２３Ｌ，右ロゴレンズ３２３Ｒと、がそれぞれ記載した順に取り付けられている。
【０２４５】
また、屈曲部３０１ａの背面には、上皿前レンズ３３０と、上皿前中レンズ３３１Ｌ，３３１Ｒと、上皿前左反射板３３２Ｌ，上皿前右反射板３３２Ｒと、上皿前左シート３３３Ｌ，上皿前右シート３３３Ｒと、供給皿前ＬＥＤ２０１ａを前面に有する上皿前左基板３３４Ｌ，上皿前右基板３３４Ｒと、上皿前基板カバー３３５と、がそれぞれ記載した順に背面側から取り付けられている。
【０２４６】
この棒状の上皿前中レンズ３３１Ｌ，３３１Ｒにより、その背面側に配置される４つの供給皿前ＬＥＤ２０１ａの光が左右方向に拡散されるようになっている。
【０２４７】
このように、供給皿左発光部２００Ｌを発光させる発光体としての供給皿左ＬＥＤ２００ａを有する上皿左サイド基板３１０Ｌ及び供給皿左発光部２００Ｒを発光させる発光体としての供給皿右ＬＥＤ２００ｂを有する上皿右サイド基板３１０Ｒは、上皿本体板３００の前面左右側にそれぞれ前向きに設けられている。従って、パチンコ機１の左右側面側を向く供給皿左発光部２００Ｌ及び供給皿右発光部２００Ｒは、前方に向けて光を照射する供給皿左ＬＥＤ２００ａ，供給皿右ＬＥＤ２００ｂの前方に前後方向に縦向き姿勢で配置される各レンズ３２１Ｌ〜３２３Ｌ，３２１Ｒ〜３２３Ｒが間接的に面発光することで発光するようになっている。
【０２４８】
また、本実施例では、特に図示はしないが、三角形状の左ロゴレンズ３２３Ｌ，右ロゴレンズ３２３Ｒは、刻印された図示しないロゴのみが発光するようになっているが、略三角形状をなす左ロゴレンズ３２３Ｌ，右ロゴレンズ３２３Ｒ全域を面発光させてもよい。
【０２４９】
尚、供給皿左外ＬＥＤ２００ｃ及び供給皿右外ＬＥＤ２００ｃが発光することで、前面側を向く上皿左サイドレンズ３１４Ｌ、上皿右サイドレンズ３１４Ｒが面発光するようになっており、例えば遊技に関わる演出や装飾用発光部として利用されている。
【０２５０】
（打球供給皿の発光部構造）
次に、図２１及び図２２に基づいて、供給皿前発光部２０１の発光部構造を説明する。図２１は、（ａ）は上皿前中レンズを示す正面図であり、（ｂ）は（ａ）のＥ−Ｅ断面図であり、図２２は、（ａ）は図２１（ｂ）の要部拡大図であり、（ｂ）は（ａ）のＦ−Ｆ断面図である。
【０２５１】
供給皿前発光部２０１には、図２１に示されるように、前述した導光部材としての上皿前中レンズ３３１Ｌ，３３１Ｒ及びその背面（裏面）側に配置される供給皿前ＬＥＤ２０１ａとから主に構成される直線発光部が左右方向に設けられている。
【０２５２】
上皿前中レンズ３３１Ｌ，３３１Ｒは、透明な合成樹脂材により棒状に形成されている。図２２（ｂ）に示されるように、側面視凸状に形成され、その前面は中央発光面３３１ａ，上発光面３３１ｂ，下発光面３３１ｃとから構成されている。これら中央発光面３３１ａ，上発光面３３１ｂ，下発光面３３１ｃには、長手方向にわたりローレット加工が施され、開角θ３＝９０度をなす縦断面三角形状の切欠が上下方向に向けて連続して形成されており（図２２（ａ）参照）、内部の光が外方に放射されるようになっている。
【０２５３】
上皿前中レンズ３３１Ｌ，３３１Ｒの裏面には、上下幅方向に延びる第１の凹部７０３及び第２の凹部７０４が、長手方向に向けて所定間隔おきに交互に凹設されている。第１の凹部７０３は、図２２（ａ）に示されるように、左右方向を向く横導入面７０７ａと、該横導入面７０７ａの左端から裏面側に向けて連設され、前後方向を向く左縦導入面７０７ｂと、該横導入面７０７ａの右端から裏面側に向けて連設され、前後方向を向く右縦導入面７０７ｃと、により側面視略逆コ字形に形成された照射光導入面を構成しており、その裏面側に配置される供給皿前ＬＥＤ２０１ａからの照射光が上皿前中レンズ３３１Ｌ，３３１Ｒ内部に導入されるようになっている。
【０２５４】
尚、横導入面７０７ａには左右方向にわたりローレット加工が施され、開角θ３＝９０度をなす縦断面三角形状の切欠が左右方向に向けて連続してなる光拡散部が形成されており、内部の光が外方に放射されるようになっている。
【０２５５】
第２の凹部７０４は、左右方向を向く横反射面７０８ａと、該横反射面７０８ａの左端から裏面側に向けて左方に傾斜する左傾斜反射面７０８ｂと、該横反射面７０８ａの右端から裏面側に向けて右方に傾斜する右傾斜反射面７０８ｃと、からなる反射面を構成しており、上記照射光導入面から内部に導入されて上皿前中レンズ３３１Ｌ，３３１Ｒ内部を長手方向に向けて誘導された光を前側に向けて反射するようになっている。
【０２５６】
尚、横反射面７０８ａには左右方向にわたりローレット加工が施され、開角θ３＝９０度をなす縦断面三角形状の切欠が左右方向に向けて連続してなる光拡散部が形成されており、内部の光が外方に放射されるようになっている。
【０２５７】
また、図２１（ｂ）に示されるように、上皿前中レンズ３３１Ｌの左端には、前記第２の凹部７０４の右半分、つまり左右幅寸法が横反射面７０８ａの左右幅寸法の半分の横反射面７０８ａ’（図示略）と右傾斜反射面７０８ｃ’（図示略）とからなる第２の半凹部７０４’が形成されているとともに、その前面側には、該第２の凹部７０４’を形成するための第２の半凸部７０６’が凸設されている。
【０２５８】
尚、上皿前中レンズ３３１Ｌと左右対象に形成される上皿前中レンズ３３１Ｒの右端には、第２の半凹部７０４’及び第２の半凸部７０６’が同様に形成されている。
【０２５９】
また、上皿前中レンズ３３１Ｌの右端には、前記第２の凹部７０４の左半分、つまり左右幅寸法が横反射面７０８ａの左右幅寸法の約１／４の横反射面７０８ａ’（図示略）と左傾斜反射面７０８ｂ’（図示略）とからなる第２の半凹部７０４’（図示略）が形成されているとともに、その前面側には、該第２の凹部７０４’（図示略）を形成するための第２の半凸部７０６’（図示略）が凸設されている。
【０２６０】
すなわち、この上皿前中レンズ３３１Ｌと左右対象に形成される上皿前中レンズ３３１Ｒの左端には、特に詳細な図示はしないが、前記第２の凹部７０４の右半分、つまり左右幅寸法が横反射面７０８ａの左右幅寸法の約１／４の横反射面７０８ａ’（図示略）と右傾斜反射面７０８ｃ’（図示略）とからなる第２の半凹部７０４’（図示略）が形成されているとともに、その前面側には、該第２の半凹部７０４’（図示略）を形成するための第２の半凸部７０６’（図示略）が凸設されているため、これら上皿前中レンズ３３１Ｌの右端に形成される第２の半凹部７０４’と上皿前中レンズ３３１Ｒの左端に形成される第２の半凹部７０４’とにより、互いの左右端部同士を付き合わせたときに、左右幅が横反射面７０８ａの約半分の横反射面７０８ａ’からなる１つの第２の凹部７０４及び第２の凸部７０６が形成されるようになっている。
【０２６１】
一方、上皿前左反射板３３２Ｌ，上皿前右反射板３３２Ｒの前面には、上皿前中レンズ３３１Ｌ，３３１Ｒを前方から配置可能なレンズ配置部７１０が、第１の凹部７０５に対応する箇所に形成されている。レンズ配置部７１０には、その裏面側に配置される各供給皿前ＬＥＤ２０１ａとの対向位置に、該供給皿前ＬＥＤ２０１ａの照射面を前方に露呈させるための照射用開口７１１が左右方向にわたって複数形成されており、左右方向に向けて所定間隔おきに配設された各供給皿前ＬＥＤ２０１ａからの照射光を前方に向けて照射させることができるようになっている。
【０２６２】
照射用開口７１１の前方には、上皿前中レンズ３３１Ｌ，３３１Ｒが配置された状態において、第１の凹部７０３内に収容されて係合する三角柱状の照射光反射部７１２が左右方向に向けて架設されている。この照射光反射部７１２の裏面側には、裏面側に向けて右方に傾斜する左照射光反射面７１２ｂと、裏面側に向けて左方に傾斜する右照射光反射面７１２ｂとがそれぞれ形成されている。左照射光反射面７１２ｂは、供給皿前ＬＥＤ２０１ａからの照射光を、該第１の凹部７０３の左方に設けられた第２の凹部７０４の右傾斜反射面７０８ｃに向けて反射させて、左縦導入面７０７ｂに入射させる。右照射光反射面７１２ｃは、供給皿前ＬＥＤ２０１ａからの照射光を、該第１の凹部７０３の右方に設けられた第２の凹部７０４の左傾斜反射面７０８ｂに向けて反射させて、右縦導入面７０７ｃに入射させるようになっている。
【０２６３】
また、上皿前左反射板３３２Ｌ，上皿前右反射板３３２Ｒには、上皿前中レンズ３３１Ｌ，３３１Ｒが配置された状態において、第２の凹部７０４内に嵌合される補助反射部７１３が前方に向けて凸設されている。補助反射部７１３は、左右方向を向く横補助反射面７１３ａと、該横補助反射面７１３ａの左端から裏面側に向けて左方に傾斜する左補助反射面７１３ｂと、該横補助反射面７１３ａの右端から裏面側に向けて右方に傾斜する右補助反射面７１３ｃと、により横断面略三角形状に形成されており、上皿前中レンズ３３１Ｌ，３３１Ｒが配置された状態において、横補助反射面７１３ａは横反射面７０８ａの裏面に当接し、左補助反射面７１３ｂは左傾斜反射面７０８ｂの裏面に当接し、右補助反射面７１３ｃは右傾斜反射面７０８ｃの裏面に当接するようになっている。
【０２６４】
また、上皿前左反射板３３２Ｌ及び上皿前右反射板３３２Ｒの前面左端部には、特に詳細な図示はしないが、前記補助反射部７１３の右半分、つまり左右幅寸法が横補助反射面７１３ａの左右幅寸法の半分の横補助反射面７１３ａ’（図示略）と右補助反射面７１３ｃ’（図示略）とからなる半補助反射部７１３’が形成されており、上皿前中レンズ３３１Ｌが配置された状態において、上皿前中レンズ３３１Ｌの左端の横反射面７０８ａ’（図示略）が横補助反射面７１３ａ’（図示略）に、また、右傾斜反射面７０８ｃ’（図示略）が右補助反射面７１３ｃ’（図示略）に当接もしくは近接するようになっている。
【０２６５】
また、上皿前左反射板３３２Ｌ及び上皿前右反射板３３２Ｒの前面右端部には、特に詳細な図示はしないが、前記補助反射部７１３の左半分、つまり左右幅寸法が横補助反射面７１３ａの左右幅寸法の半分の横補助反射面７１３ａ’（図示略）と左補助反射面７１３ｂ’（図示略）とからなる半補助反射部７１３’が形成されており、上皿前中レンズ３３１Ｒが配置された状態において、上皿前中レンズ３３１Ｒの右端の横反射面７０８ａ’（図示略）が横補助反射面７１３ａ’（図示略）に、また、左傾斜反射面７０８ｂ’（図示略）が左補助反射面７１３ｂ’（図示略）に当接もしくは近接するようになっている。
【０２６６】
上皿前左反射板３３２Ｌ，上皿前右反射板３３２Ｒ及び照射光反射部７１２，補助反射部７１３は、非透光性の合成樹脂材にて構成されているとともに、その前面及び上記各反射面７１２ａ〜７１２ｃ，７１３ａ〜７１３ｃにはメッキ処理が施されているため、上皿前中レンズ３３１Ｌ，３３１Ｒ内部から放射される光を損失させることなく効率よく反射して再度内部に入射させるようになっている。
【０２６７】
次に、上述のように構成された上皿前中レンズ３３１Ｌ，３３１Ｒ、上皿前左反射板３３２Ｌ，上皿前右反射板３３２Ｒ、供給皿前ＬＥＤ２０１ａの詳細な構造及び互いの配置関係等について説明する。
【０２６８】
第１の凹部７０３及び第２の凹部７０４は、図２２に示されるように、裏面側に向けて開放する凹溝状に形成されている。詳しくは、第１の凹部７０３を構成する横導入面７０７ａの左右幅寸法Ｌ１は約４．４ｍｍであり、左縦導入面７０７ｂ及び右縦導入面７０７ｃの前後幅寸法Ｌ２は約３．４ｍｍとされている。尚、図２１及び２２には各部位に係る寸法（単位はｍｍ）が記載されている。また、各寸法は小数第２以下を四捨五入した寸法としている。
【０２６９】
この第１の凹部７０３内に収容される照射光反射部７１２の横反射面７１２ａの左右幅寸法は、前記横導入面７０７ａの左右幅寸法Ｌ１よりも短寸とされており、横反射面７１２ａの左端と左縦導入面７０７ｂとの間及び横反射面７１２ａの右端と右縦導入面７０７ｃとの間には僅かな隙間が形成されている。よって、供給皿前ＬＥＤ２０１ａからの照射光がこの僅かな隙間から照射光反射部７１２よりも前方に向けて放射されるようになっている。
【０２７０】
照射光反射部７１２は、左傾斜反射面７１２ｂと右傾斜反射面７１２ｃとの接合端辺、すなわち頂辺が底壁面７１０ａよりもやや前方に位置するように設けられている。また、左縦導入面７０７ｂに対する左傾斜反射面７１２ｂの傾斜角度及び右縦導入面７０７ｃに対する右傾斜反射面７１２ｃの傾斜角度θ１はそれぞれ約４５度とされている。各供給皿前ＬＥＤ２０１ａは、光を前方に向けて略水平に照射、すなわち、横導入面７０７ａに対して直交方向に照射するように配置されているため、該供給皿前ＬＥＤ２０１ａからの照射光は、左傾斜反射面７１２ｂと右傾斜反射面７１２ｃとによりそれぞれ左右方向に反射されるようになっている。
【０２７１】
第２の凹部７０４を構成する横反射面７０８ａの左右幅寸法Ｌ４は約２．７ｍｍであり、左傾斜反射面７０８ｂの左右幅寸法Ｌ５及び右傾斜反射面７０８ｃの左右幅寸法Ｌ６、すなわち、左傾斜反射面７０８ｂ及び右傾斜反射面７０８ｃ左右の端辺間の左右幅寸法はそれぞれ約２．２ｍｍであり、左傾斜反射面７０８ｂの左端辺と右傾斜反射面７０８ｃの右端辺との間の左右幅寸法Ｌ３（Ｌ３＝Ｌ４＋Ｌ５＋Ｌ６）は約７．２ｍｍとされている。尚、上皿前左反射板３３２Ｌ，上皿前右反射板３３２Ｒの前面から横反射面７０８ａまでの前後幅は約３．５ｍｍとされている。
【０２７２】
また、左右方向を向く上皿前中レンズ３３１Ｌ，３３１Ｒの裏面に対する左傾斜反射面７０８ｂ及び右傾斜反射面７０８ｃの傾斜角度θ２はそれぞれ約１２５度とされている。つまり、上皿前中レンズ３３１Ｌ，３３１Ｒの裏面に対して直交する前後面に対する左傾斜反射面７０８ｂ及び右傾斜反射面７０８ｃの傾斜角度はそれぞれ約３５度であるため、左縦導入面７０７ｂ，右縦導入面７０７ｃに対して直交方向に入射した光を前方に向けて効率よく反射させることができるようになっている。
【０２７３】
複数の供給皿前ＬＥＤ２０１ａが前面における長手方向に向けて所定間隔おきに複数配置された上皿前左反射板３３２Ｌ，上皿前右反射板３３２Ｒは、レンズ配置部７１０の裏面側に近接配置されているとともに、各供給皿前ＬＥＤ２０１ａが各照射用開口７１１に臨むように配設されている。すなわち、各照射光反射部７１２の裏面側には供給皿前ＬＥＤ２０１ａがそれぞれ配設されているが、補助反射部７１３の裏面側には供給皿前ＬＥＤ２０１ａは配設されない。尚、各供給皿前ＬＥＤ２０１ａは、光を前方に向けて略水平に照射、すなわち、横導入面７０７ａに対して直交方向に照射するように配置されている。
【０２７４】
上皿前中レンズ３３１Ｌ，３３１Ｒは、図２１（ｂ）に示されるように、裏面に形成された第１の凹部７０３を照射光反射部７１２に対向させるとともに、第２の凹部７０４を補助反射部７１３に対向させた状態で前面側から配置する。また、配置された状態において、裏面が上皿前左反射板３３２Ｌ，上皿前右反射板３３２Ｒの前面にそれぞれ当接するとともに、第１の凹部７０３内に照射光反射部７１２が収容して嵌合され、第２の凹部７０４内に補助反射部７１３が嵌合されるようになっている。
【０２７５】
このように構成された上皿前中レンズ３３１Ｌ，３３１Ｒは、第１の凹部７０３及び第２の凹部７０４が形成されていることにより、前述したサイドインナーレンズ４５７ｄと同様に発光する。すなわち、裏面側に配置された各供給皿前ＬＥＤ２０１ａとの対向位置に、各導入面７０７ａ〜７０７ｃからなる第１の凹部７０３が凹設されていることにより、供給皿前ＬＥＤ２０１ａから前方に向けて水平に照射される光により、第１の凹部７０３の付近が、その周辺に比べて強く発光する。つまり、各供給皿前ＬＥＤ２０１ａが発光することにより、上皿前中レンズ３３１Ｌ，３３１Ｒの表面における各第１の凹部７０３の正面位置に、主に横導入面７０７ａから導入された入射光により発光する第１の発光部が形成される。
【０２７６】
また、裏面側に配置された各供給皿前ＬＥＤ２０１ａと対向しない位置に、各反射面７０８ａ〜７０８ｃからなる第２の凹部７０４が凹設されていることにより、主に左右の縦導入面７０７ｂ，７０７ｃから上皿前中レンズ３３１Ｌ，３３１Ｒ内部に透過して左右方向に誘導された光が、左右の傾斜反射面７０８ｂ，７０８ｃにて前方に向けて反射誘導されるため、第２の凹部７０４の前方に形成される第２の凸部７０６付近が、その周辺に比べて強く、かつ、第１の凸部７０５とほぼ同じ輝度で発光する。つまり、各供給皿前ＬＥＤ２０１ａが発光することにより、上皿前中レンズ３３１Ｌ，３３１Ｒの表面における各第２の凹部７０４の正面位置に、主に左右の縦導入面７０７ｂ，７０７ｃから導入された入射光により発光する第２の発光部が形成される。
【０２７７】
また、横導入面７０７ａと供給皿前ＬＥＤ２０１ａとの間には非透光性部材からなる照射光反射部７１２が配置されており、これにより横導入面７０７ａの裏面側が遮られていることで、供給皿前ＬＥＤ２０１ａの照射光が直接横導入面７０７ａを透過して前方に放射されることがないので、第１の発光部における輝度が適度に低下される。
【０２７８】
一方、供給皿前ＬＥＤ２０１ａの前面側には左右の傾斜反射面７１２ｂ，７１２ｃが形成されており、供給皿前ＬＥＤ２０１ａの照射光を左右の縦導入面７０７ｂ，７０７ｃに対して直交方向に入射させるようになっているため、反射による光の損失を極力抑えた状態で照射光を第２の凹部７０４側に向けて誘導することができるばかりか、透過光が左右の縦導入面７０７ｂ，７０７ｃの直下及び直上に形成される上下の傾斜反射面７０８ｂ，７０８ｃに向けて直線的に誘導され、上下の傾斜反射面７０８ｂ，７０８ｃに入射する前に外部に放射することを効果的に防止できるため、第２の発光部における輝度を高めることができる。
【０２７９】
さらに、上下の傾斜反射面７０８ｂ，７０８ｃの裏面側には、非透光性部材からなる上下の補助反射面７１３ｂ，７１３ｃが近接配置されているため、上下の傾斜反射面７０８ｂ，７０８ｃから外部に放射される光が再度内部に入射されるため、第２の発光部における輝度を高めることができる。
【０２８０】
また、図２２（ａ）にて説明したように、横導入面７０７ａの上下幅寸法Ｌ１＝約４．４ｍｍであるのに対し、左傾斜反射面７０８ｂ及び右傾斜反射面７０８ｃそれぞれの左右幅寸法Ｌ５，Ｌ６の合計幅寸法Ｌ５＋Ｌ６＝約４．４ｍｍであることで、上皿前中レンズ３３１Ｌ，３３１Ｒを正面から見たときにおける発光領域の左右幅寸法が、横導入面７０７ａの左右幅寸法Ｌ１と、左傾斜反射面７０８ｂ及び右傾斜反射面７０８ｃそれぞれの左右幅寸法Ｌ５，Ｌ６の合計幅寸法Ｌ５＋Ｌ６とがほぼ同寸（Ｌ１＝Ｌ５＋Ｌ６）であるため、第１の発光部及び第２の発光部の輝度をほぼ同じようにすることができる。
【０２８１】
さらに、横導入面７０７ａの左右幅寸法Ｌ１よりも横反射面７０８ａの左右幅寸法Ｌ４の方が短寸（Ｌ１＞Ｌ４）であることで、発光領域を構成する左傾斜反射面７０８ｂと右傾斜反射面７０８ｃとが大きく分離されることがないので、第２の発光部の輝度の低減が防止される。
【０２８２】
このように、裏面側に供給皿前ＬＥＤ２０１ａが配置される第１の発光部における輝度が適度に低減されるとともに、裏面側に供給皿前ＬＥＤ２０１ａが配置されない第２の発光部における輝度が効果的に向上されていることで、第１の発光部と第２の発光部との輝度の差が極力小さくなっている。これにより輝度の違いによる違和感が生じなくなり、第２の発光部の裏面側にもあたかも供給皿前ＬＥＤ２０１ａが配置されて発光しているように見せることができるため、多量のＬＥＤを配置することなく、インパクトのある発光演出を実現することが可能となる。
【０２８３】
また、横導入面７０７ａ，左縦導入面７０７ｂ，右縦導入面７０７ｃに対してそれぞれ斜めに入射して上皿前中レンズ３３１Ｌ，３３１Ｒ内部に透過した入射光は、主にローレット加工が施された面、つまり各前面３３１ａ，３３１ｂ，３３１ｃから外部に放射される。つまり、上皿前中レンズ３３１Ｌ，３３１Ｒ内部に透過した入射光は全て左右方向に向けて進むわけではなく、レンズ内面にて反射しながら進む光もあり、これにより上皿前中レンズ３３１Ｌ，３３１Ｒ左右方向にわたって均等に発光するため、上皿前中レンズ３３１Ｌ，３３１Ｒの表面を長手方向にわたり発光させることができる。
【０２８４】
また、上皿前中レンズ３３１Ｌ，３３１Ｒの裏面から外部に放射された光は、その裏面に近接配置される上皿前左反射板３３２Ｌ，上皿前右反射板３３２Ｒの前面により反射されて再度内部に透過されることで、上皿前中レンズ３３１Ｌ，３３１Ｒ内部を誘導される光が裏面側に放射しにくくなり、光が前方に向けて放射されやすくなるため、上皿前中レンズ３３１Ｌ，３３１Ｒ全域を効率よく発光させることができる。
【０２８５】
（余剰球受皿の内部構造）
次に、余剰球受皿の内部構造について、図２３に基づいて説明する。図２３は、余剰球受皿４の内部構造を示す分解斜視図である。
【０２８６】
図２３に示されるように、余剰球受皿４は、下皿枠１０４を構成する下皿本体板３５０と、余剰球受皿４の背面を覆う下皿背板３５１と、上向きに開口する皿状に形成される下皿球受け３５２と、から主に構成されている。下皿本体板３５０の中央部には、下皿球受け３５２を収容可能な球受け収容部３５０ａが前方に向けて膨出するように形成されており、該球受け収容部３５０ａには、下皿球受け３５２が背面側から取り付けられるようになっている。
【０２８７】
下皿球受け３５２は、受皿ＬＥＤ２０２ａを上面に有する受皿ＬＥＤ基板３５３が取り付けられる下皿ＬＥＤベース３５４を介して球受け収容部３５０ａに取り付けられる。下皿ＬＥＤベース３５４は、透明な合成樹脂材により、下皿球受け３５２の前縁及び左右側縁を囲む平面視略コ字形に形成されており、その前縁及び左右側縁上部には、受皿発光部２０２を構成する平面視略コ字形をなす上面板３５４ａが形成されているとともに、前縁及び左右側縁下部には、上面板３５４ａとほぼ同形をなす下板３５４ｂが形成されており、該下面板３５４ｂの上面に受皿ＬＥＤ基板３５３が取り付けられるようになっている。
【０２８８】
そして、この上面板３５４ａの上方には、上面板３５４ａとほぼ同形をなす乳白色のシボシート３５５が配置されるとともに、さらにその上方には、下皿アクリルセンター３５６が配置されている。このシボシート３５５により受皿ＬＥＤ２０２ａからの光を拡散され、かつ受皿発光部２０２が面発光されるようになっている。
【０２８９】
このように構成された余剰球受皿４は、球が貯留される下皿球受け３５２の前縁及び左右側縁上部に、所定幅を有する平面視略コ字形をなす平坦な受皿発光部２０２が、上向きに発光可能な状態で設けられている。
【０２９０】
また、受皿発光部２０２を発光させる発光体（演出用の電気部品）としての受皿ＬＥＤ２０２ａを有する受皿ＬＥＤ基板３５３は、該受皿発光部２０２の発光面を構成する下皿アクリルセンター３５６から下方に離間した位置に配置され、さらにこれら受皿ＬＥＤ基板３５３と下皿アクリルセンター３５６との間にシボシート３５５及び上面板３５４ａが配設されており、指向性の高い受皿ＬＥＤ２０２ａからの光を拡散させて下皿アクリルセンター３５６を面発光させることができるようになっている。
【０２９１】
下皿本体板３５０の前面左右側には、受皿左ＬＥＤ２０３ａが前面に実装される左幕板ＬＥＤ基板３４０Ｌ及び受皿右ＬＥＤ２０３ｂが前面に実装される右幕板ＬＥＤ基板３４０Ｒが取り付けられ、その前面には、下皿幕板保護シート３４１及び左下皿ＬＥＤケース３４２Ｌ，右下皿ＬＥＤケース３４２Ｒが取り付けられる。また、左下皿ＬＥＤケース３４２Ｌ，右下皿ＬＥＤケース３４２Ｒの前面外側には、凹凸加工が施された下皿光拡散レンズ３４３がそれぞれ取り付けられるとともに、一方の右下皿ＬＥＤケース３４２Ｒの前面内側には、下皿アクリルサーキット３４４及び下皿ストラクチャー３４５がネジにより取り付けられる。
【０２９２】
この棒状の下皿光拡散レンズ３４３により、その背面側に配置される１つの受皿左ＬＥＤ２０３ａ，受皿右ＬＥＤ２０３ｂの光が上下方向に拡散されるようになっている。また、左側には、コ字形をなす下皿メッキフレーム３４６及び下皿ストラクチャーカバー３４７が取り付けられる。
【０２９３】
さらにこれらの前面側には、透明な左下皿アクリルカバー３４８Ｌ及び右下皿アクリルカバー３４８Ｒが取り付けられ、さらにその下方には、左下皿下飾り３４９Ｌ及び右下皿下飾り３４９Ｒが取り付けられ、これらにより受皿左発光部２０３Ｌ及び受皿右発光部２０３Ｒが形成される。尚、下皿本体板３５０の前面右側には、打球操作ハンドル５を構成するハンドルベース５４０が取り付けられるハンドル取付部５５１が突設されている。
【０２９４】
また、下皿本体板３５０の前面左側における左幕板ＬＥＤ基板３４０Ｌの取付位置の内側には、前後に貫通する貫通口が形成されており、その背面側には、左下皿ストラクチャー５６０が配置され、さらにその背面側には、下皿アクリルサーキット５６１、下皿メッキ飾り５６２が配置される。そして、この下皿メッキ飾り５６２の前面には、その背面側から取り付けられるネジにより、下皿メッキ飾り５６２と、さらに下皿本体板３５０の前面側に配置される左下皿アクリルカバー３４８Ｌが取り付けられるようになっており、下皿本体板３５０を挟んでその前後の下皿メッキ飾り５６２と左下皿アクリルカバー３４８Ｌとが一体化された状態で取り付けられる。尚、下皿メッキ飾り５６２の背面側には、下皿幕板保護シート５６３及び前面に左下皿ＬＥＤが実装される左下皿ＬＥＤ基板５６４が取り付けられている。尚、右下皿アクリルカバー３４８Ｒを通して左下皿ストラクチャー５６０等が視認できるようになっている。
【０２９５】
また、下皿球受け３５２の下面には、球抜き穴を開閉自在とするスライド板５７０と、該スライド板５７０を球抜き穴の閉塞方向に付勢するコイルバネ５７１と、これらスライド板５７０及びコイルバネ５７１を配設するための下皿球抜きベース５７２が下面側からネジにより取り付けられている。
【０２９６】
（余剰球受皿の発光部構造）
次に、図２４に基づいて、受皿右発光部２０３Ｌ及び受皿右発光部２０３Ｒの発光部構造を説明する。図２４は、（ａ）は下皿光拡散レンズ及び右下皿ＬＥＤケースを示す正面図であり、（ｂ）は（ａ）のＧ−Ｇ断面図であり、（ｃ）は（ｂ）のＨ−Ｈ断面図である。尚、受皿右発光部２０３Ｌ及び受皿右発光部２０３Ｒにおける下皿光拡散レンズ３４３は左右同様に構成されているため、ここでは受皿右発光部２０３Ｒの構造を説明し、受皿左発光部２０３Ｌの詳細な説明は省略することとする。
【０２９７】
受皿右発光部２０３Ｒには、図２４に示されるように、前述した導光部材としての下皿光拡散レンズ３４３及びその背面（裏面）側に配置される受皿右ＬＥＤ２０３ｂとから主に構成される直線発光部が上下方向に設けられている。
【０２９８】
下皿光拡散レンズ３４３は、透明な合成樹脂材により棒状に形成されている。詳しくは、帯状に形成される板状部８０１（図２４（ｃ）参照）と、板状部８０１の左右方向の前面中央部から前方に向けて延設される中央リブ８０２Ｃ及び板状部８０１の左右方向の前面端部からそれぞれ外側斜め前方に向けて延設される左リブ８０２Ｌ，右リブ８０２Ｒと、が一体成形により構成されている。つまり、上下方向に延設される下皿光拡散レンズ３４３は、左右方向に並設されるとともに、それぞれの後端が一体化されてなる３本の左リブ８０２Ｌ，中央リブ８０２Ｃ，右リブ８０２Ｒにて構成され、左リブ８０２Ｌ及び右リブ８０２Ｒは、中央リブ８０２Ｃに対して所定角度傾斜した状態で設けられているため、左リブ８０２Ｌと中央リブ８０２Ｃとの間及び右リブ８０２Ｒと中央リブ８０２Ｃとの間には、断面略三角形状をなす空間が上下方向に向けて形成されている。
【０２９９】
これら左リブ８０２Ｌ，中央リブ８０２Ｃ，右リブ８０２Ｒの前端面及び板状部８０１の裏面には、長手方向にわたりローレット加工が施され、開角θ３＝９０度をなす縦断面三角形状の切欠が上下方向に向けて連続して形成されており（図２４（ｂ）参照）、内部の光が外方に放射されるようになっている。
【０３００】
下皿光拡散レンズ３４３の裏面上下方向の中央位置には、板状部８０１裏面から左リブ８０２Ｌ，中央リブ８０２Ｃ，右リブ８０２Ｒの基部までの深さを有するとともに、左右幅方向に延びる第１の凹部８０３が凹設されている。また、下皿光拡散レンズ３４３の表面側における第１の凹部８０３に対応する箇所には、第１の凹部８０３を形成するための第１の凸部８０５が、左リブ８０２Ｌと中央リブ８０２Ｃとの間及び右リブ８０２Ｒと中央リブ８０２Ｃとの間にそれぞれ前方に向けて凸設されている。
【０３０１】
第１の凹部８０３は、垂直方向を向く垂直導入面８０７ａと、該垂直導入面８０７ａの上端から裏面側に向けて連設され、水平方向を向く上水平導入面８０７ｂと、該垂直導入面８０７ａの下端から裏面側に向けて連設され、水平方向を向く下水平導入面８０７ｃと、により側面視略逆コ字形に形成された照射光導入面を構成しており、その裏面側に配置される受皿右ＬＥＤ２０３ｂからの照射光が該下皿光拡散レンズ３４３内部に導入されるようになっている。
【０３０２】
尚、垂直導入面８０７ａには上下方向にわたりローレット加工が施され、開角θ３＝９０度をなす縦断面三角形状の切欠が上下方向に向けて連続して形成されており、内部の光が外方に放射されるようになっている。また、下皿光拡散レンズ３４３の上下端は斜めに切り欠かれており、裏面側に向けて上方に傾斜する傾斜反射面８０８ｂ、８０８ｃが形成されている。
【０３０３】
一方、右下皿ＬＥＤケース３４２Ｒの前面には、下皿光拡散レンズ３４３を前方から配置可能なレンズ配置部８１０が上下方向に向けて延設されている。レンズ配置部８１０には、該その裏面側に配置される受皿右ＬＥＤ２０３ｂとの対向位置に、該受皿右ＬＥＤ２０３ｂの照射面を前方に露呈させるための照射用開口８１１が形成されており、受皿右ＬＥＤ２０３ｂからの照射光を前方に向けて照射させることができるようになっている。
【０３０４】
照射用開口８１１の前方には、下皿光拡散レンズ３４３が配置された状態において、第１の凹部８０３内に収容されて係合する三角柱状の照射光反射部８１２が左右方向に向けて架設されている。この照射光反射部８１２の裏面側には、裏面側に向けて下方に傾斜する上照射光反射面８１２ｂと、裏面側に向けて上方に傾斜する下照射光反射面８１２ｃとがそれぞれ形成されている。上照射光反射面８１２ｂは、受皿右ＬＥＤ２０３ｂからの照射光を傾斜反射面８０８ｃに向けて反射させて、上水平導入面８０７ｂに入射させる。下照射光反射面８１２ａは、受皿右ＬＥＤ２０３ｂからの照射光を傾斜反射面８０８ｂに向けて反射させて、下水平導入面８０７ｃに入射させるようになっている。
【０３０５】
また、右下皿ＬＥＤケース３４２Ｒの上下端部には、下皿光拡散レンズ３４３が配置された状態において、下皿光拡散レンズ３４３の下端に形成された傾斜反射面８０８ｂ’及び上端に形成される傾斜反射面８０８ｃそれぞれに当接もしくは近接する補助反射面が形成されている。
【０３０６】
レンズ配置部８１０を構成する右下皿ＬＥＤケース３４２Ｒ及び照射光反射部８１２は、非透光性の合成樹脂材にて構成されているとともに、右下皿ＬＥＤケース３４２Ｒの前面及び上記各反射面８１２ａ〜８１２ｃにはメッキ処理が施されているため、下皿光拡散レンズ３４３内部から放射される光を反射して再度内部に入射させるようになっている。
【０３０７】
次に、上述のように構成された下皿光拡散レンズ３４３、右下皿ＬＥＤケース３４２Ｒ、受皿右ＬＥＤ２０３ｂの詳細な構造及び互いの配置関係等について説明する。
【０３０８】
第１の凹部８０３は、裏面側に向けて開放する凹溝状に形成されている。詳しくは、第１の凹部８０３を構成する垂直導入面８０７ａの上下幅寸法Ｌ１は約５ｍｍであり、上水平導入面８０７ｂ及び下水平導入面８０７ｃの前後幅寸法Ｌ２は約２．５ｍｍとされている。
【０３０９】
この第１の凹部８０３内に収容される照射光反射部８１２の垂直反射面８１２ａの上下幅寸法は、前記垂直導入面８０７ａの上下幅寸法Ｌ１よりも短寸とされており、垂直反射面８１２ａの上端と上水平導入面８０７ｂとの間及び垂直反射面８１２ａの下端と下水平導入面８０７ｃとの間には僅かな隙間が形成されている。よって、受皿右ＬＥＤ２０３ｂからの照射光がこの僅かな隙間から照射光反射部８１２よりも前方に向けて放射されるようになっている。
【０３１０】
照射光反射部８１２は、上傾斜反射面８１２ｂと下傾斜反射面８１２ｃとの接合端辺、すなわち頂辺が底壁面８１０ａよりもやや前方に位置するように設けられている。また、上水平導入面８０７ｂに対する上傾斜反射面８１２ｂの傾斜角度及び下水平導入面８０７ｃに対する下傾斜反射面８１２ｃの傾斜角度θ１はそれぞれ約４５度とされている。受皿右ＬＥＤ２０３ｂは、光を前方に向けて略水平に照射、すなわち、垂直導入面８０７ａに対して直交方向に照射するように配置されているため、該受皿右ＬＥＤ２０３ｂからの照射光は、上傾斜反射面８１２ｂと下傾斜反射面８１２ｃとによりそれぞれ上下方向に反射されるようになっている。
【０３１１】
右下皿ＬＥＤケース３４２Ｒは、レンズ配置部８１０の裏面側に近接配置されているとともに、受皿右ＬＥＤ２０３ｂが照射用開口８１１に臨むように配設されている。すなわち、各照射光反射部８１２の裏面側には受皿右ＬＥＤ２０３ｂがそれぞれ配設されている。
【０３１２】
下皿光拡散レンズ３４３に対する光の供給は、第１の凹部８０３から行われる。受皿右ＬＥＤ２０３ｂから照射された光は、前方に向けてほぼ水平に照射されるため、照射用開口８１１を通過した光は主に上傾斜反射面８１２ｂ及び下傾斜反射面８１２ｃにより上方及び下方に向けて反射する。ここで、照射方向とほぼ平行な上水平導入面８０７ｂに対する上傾斜反射面８１２ｂの傾斜角度及び下水平導入面８０７ｃに対する下傾斜反射面８１２ｃの傾斜角度θ１＝４５度であるため、反射光は上水平導入面８０７ｂ及び下水平導入面８０７ｃに対してほぼ直交する方向に反射する。
【０３１３】
つまり、上水平導入面８０７ｂ及び下水平導入面８０７ｃに対する入射角は０度となるため、入射光は上水平導入面８０７ｂ及び下水平導入面８０７ｃによりほぼ屈折することなく、上方及び下方に向けてほぼ垂直に入射し、そのまま直線的に進む。
【０３１４】
ここで、下水平導入面８０７ｃから入射した入射光は、下方に向けてほぼ垂直に進み、該下水平導入面８０７ｃの直下に配設された傾斜反射面８０８ｂに入射する。この入射光の光路は、上傾斜反射面８０８ｂの法線Ｈ（図示略）に対して臨界角θ４よりも大きな角度であり、入射前のエネルギーが全て反射光になるため、前方に向けてほぼ水平に反射する。よって、該傾斜反射面８０８ｂの前方位置、すなわち、下端付近がその周辺に比べて強く発光する。
【０３１５】
尚、上水平導入面８０７ｂから入射した入射光は、上方に向けてほぼ垂直に進み、上端に形成された傾斜反射面８０８ｃに入射する。この入射光の光路は、下傾斜反射面８０８ｃの法線Ｈ（図示略）に対して臨界角θ４よりも大きな角度であり、入射前のエネルギーが全て反射光になるため、前方に向けてほぼ水平に反射する。よって、該傾斜反射面８０８ｃの前方位置、すなわち、上端付近がその周辺に比べて強く発光する。
【０３１６】
第１の凹部８０３に戻って、受皿右ＬＥＤ２０３ｂから照射された光は、上述のように全てが上下の照射光反射面８１２ｂ，８１２ｃに向けて水平に照射されるわけではなく、上水平導入面８０７ｂや下水平導入面８０７ｃに対して斜めに入射する光もあるため、これら光は、レンズ内部に透過され、または反射することになる。
【０３１７】
ここで、受皿右ＬＥＤ２０３ｂからの照射光または上水平導入面８０７ｂや下水平誘導面８０７ｃ等で反射した反射光等、上照射光反射面８０２ｂの上端辺と上水平導入面８０７ｂとの隙間もしくは下照射光反射面８１２ｃの下端辺と下水平導入面８０７ｃとの隙間に入り込んだ光は、垂直導入面８０７ａに入射し、レンズ内部に透過され、または反射することになるため、該垂直導入面８０７ａの前方上下位置、すなわち、第１の凸部８０５の上下部付近がその周辺に比べて強く発光する。
【０３１８】
また、垂直導入面８０７ａに入射した光は、反射した場合でもその裏面側に垂直反射面８１２ｂが配置されていることにより、反射光が外部に放射されることなく、該垂直反射面８１２ａに反射して再度垂直導入面８０７ａに入射するため、垂直導入面８０７ａが明るくなる。さらに、垂直導入面８０７ａにはローレット加工が施されていることで、その裏面側上下端付近から入射する光が凹凸面により上下方向にわたり分散して反射されるため、照射光反射部８１２により受皿右ＬＥＤ２０３ｂからの照射光が遮られても、上下幅方向にわたり発光することになる。
【０３１９】
このように、下皿光拡散レンズ３４３にあっては、裏面側に配置された受皿右ＬＥＤ２０３ｂとの対向位置に、各導入面８０７ａ〜８０７ｃからなる第１の凹部８０３が凹設されていることにより、受皿右ＬＥＤ２０３ｂから前方に向けて水平に照射される光により、第１の凹部８０３の前方に形成される第１の凸部８０５付近が、その周辺に比べて強く発光する。つまり、受皿右ＬＥＤ２０３ｂが発光することにより、下皿光拡散レンズ３４３の表面における第１の凹部８０３の正面位置に、主に垂直導入面８０７ａから導入された入射光により発光する第１の発光部が形成される。
【０３２０】
また、垂直導入面８０７ａと受皿右ＬＥＤ２０３ｂとの間には非透光性部材からなる照射光反射部８１２が配置されており、これにより垂直導入面８０７ａの裏面側が遮られていることで、受皿右ＬＥＤ２０３ｂの照射光が直接垂直導入面８０７ａを透過して前方に放射されることがないので、第１の発光部における輝度が適度に低下される。
【０３２１】
一方、右枠ＬＥＤ２８ｃの裏面側には上下の傾斜反射面８１２ｂ，８１２ｃが形成されており、受皿右ＬＥＤ２０３ｂの照射光を上下の水平導入部８０７ｂ，６０７ｃに対して直交方向に入射させるようになっているため、反射による光の損失を極力抑えた状態で照射光を傾斜反射面８０８ｂ，８０８ｃ側に向けて誘導することができるばかりか、透過光が上下の水平導入部８０７ｂ，８０７ｃの直下及び直上に形成される上下の傾斜反射面８０８ｂ，８０８ｃに向けて直線的に誘導され、上下の傾斜反射面８０８ｂ，８０８ｃに入射する前に外部に放射することを効果的に防止できるため、上下端における輝度を高めることができる。
【０３２２】
さらに、上下の傾斜反射面８０８ｂ，８０８ｃの裏面側には、非透光性部材からなる上下の補助反射面が近接配置されているため、上下の傾斜反射面８０８ｂ，８０８ｃから外部に放射される光が再度内部に入射されるため、上下端における輝度を高めることができる。
【０３２３】
また、垂直導入面８０７ａ，上水平導入面８０７ｂ，下水平導入面８０７ｃに対してそれぞれ斜めに入射して下皿光拡散レンズ３４３内部に透過した入射光は、主にローレット加工が施された面、つまり各リブ８０２Ｌ，８０２Ｃ，８０２Ｒの前端面や板状部８０１の裏面から外部に放射される。よって、下皿光拡散レンズ３４３の上下方向に延設された各リブ８０２Ｌ，８０２Ｃ，８０２Ｒの前端面が、上下方向にわたって均等に発光するため、下皿光拡散レンズ３４３の表面を長手方向にわたり発光させることができる。
【０３２４】
また、下皿光拡散レンズ３４３内部から板状部８０１の裏面から外部に放射された光は、その裏面に近接配置される底壁面８１０ａにより反射されて再度内部に透過されるとともに、下皿光拡散レンズ３４３内部から左右のリブ８０２Ｌ，８０２Ｒの外面から外部に放射された光は、その外側に近接配置される傾斜壁面８０１ｂ，８１０ｃにより反射されて再度内部に透過され、これにより下皿光拡散レンズ３４３内部を誘導される光が裏面側に放射しにくくなり、光が前方に向けて放射されやすくなるため、下皿光拡散レンズ３４３全域を効率よく発光させることができる。
【０３２５】
以上、本発明の実施例を図面により説明してきたが、本発明はこの実施例に限定されるものではなく、本発明の主旨を逸脱しない範囲における変更や追加があっても本発明に含まれることは言うまでもない。
【０３２６】
例えば、前記実施例におけるサイドインナーレンズ４５７ａ〜４５７ｄの左・右枠ＬＥＤ２８ｂ，２８ｃ、上皿前中レンズ３３１Ｌ及び上皿前中レンズ３３１Ｒの供給皿前ＬＥＤ２０１ａ、下皿光拡散レンズ３４３の受皿左ＬＥＤ２０３ａ，受皿右ＬＥＤ２０３ｂは、枠側ＩＣ基板としての各種基板に設けられていたが、盤側ＩＣ基板としての各種基板に設けてもよい。つまり、特に図示はしないが、これらレンズやＬＥＤを遊技盤６の遊技領域７上に配設し、盤側ＩＣ基板として中継基板８８に接続するようにしてもよい。
【０３２７】
また、前記実施例における第１の凹部、第２の凹部の形状（傾斜角度等）は種々に変更可能であり、例えば第１の凹部にあっては、側面視コ字形に形成されていたが、裏面側に開放する側面視略Ｕ字形等に形成されていてもよい。
【０３２８】
また、前記実施例では、第１の凹部内に照射光反射部６１２が設けられていたが、必ずしも設けられていなくてもよい。また、これら照射光反射部６１２をレンズ側に一体的に形成してもよい。
【０３２９】
また、前記実施例では、第２の凹部裏面側に補助反射面が形成されていたが、必ずしも設けられていなくてもよい。または、第２の凹部裏面にメッキ処理等を施して補助反射部をレンズ側に直接設けてもよい。
【０３３０】
また、前記実施例では、供給皿左発光部２００Ｌ，供給皿右発光部２００Ｒは、所定のエラーが発生したことに基づいて発光するようになっていたが、本発明はこれに限定されるものではなく、例えば遊技に関連する演出装置としてこれら発光部を発光させてもよいし、装飾用発光部として発光させてもよい。さらに、球切れや賞球時に発光させるようにしてもよい。また、これら供給皿左発光部２００Ｌ，供給皿右発光部２００Ｒとともに供給皿前発光部２０１を発光させてもよい。
【０３３１】
また、受皿発光部２０２は、余剰球受皿４が球で満杯になったことに基づいて発光するようになっていたが、本発明はこれに限定されるものではなく、例えば遊技に関連する演出装置としてこれら発光部を発光させてもよし、装飾用発光部として発光させてもよい。さらに、球切れや賞球時に発光させるようにしてもよい。
【０３３２】
また、前記実施例では、遊技機の一例としてパチンコ機１が適用されていたが、遊技球を用いてゲームを行うことが可能なスロットマシン等の他の遊技機にも適用可能である。
【図面の簡単な説明】
【０３３３】
【図１】本発明が適用されたパチンコ機及びカードユニットを示す正面図である。
【図２】図１のパチンコ機及びカードユニットを示す背面図である。
【図３】主基板における回路構成の一例を示すブロック図である。
【図４】主基板における回路構成の一例を示すブロック図である。
【図５】パチンコ機１を開放した状態を示す斜視図である。
【図６】前面枠及び機構板を斜め背面側から見た状態を示す斜視図である。
【図７】前面枠を示す背面図である。
【図８】前面枠の前面に組み付けられる各種部材を示す分解斜視図である。
【図９】前面枠の背面に取り付けられる各種部品を示す分解斜視図である。
【図１０】前板飾りの前面に取り付けられる各種部品を示す分解斜視図である。
【図１１】（ａ）は前板ベースの背面に取り付けられる各種部品を示す分解斜視図であり、（ｂ）は前板ベースの前面に取り付けられる各種部品を示す分解斜視図である。
【図１２】前板飾りと前板ベースとの組み付け状態を示す斜視図である。
【図１３】前板ベースの前面に取り付けられる各種部品の一部及び背面に配置されるＬＥＤ基板を示す分解斜視図である。
【図１４】前板飾りの前面を示す要部拡大正面図である。
【図１５】前板飾りに対するサイドインナーレンズの取付状態を示す要部拡大斜視図である。
【図１６】図１４のＡ−Ａ断面図である。
【図１７】（ａ）は図１６のＢ−Ｂ断面図、（ｂ）は図１６のＣ−Ｃ断面図、（ｃ）は図１６のＤ−Ｄ断面図である。
【図１８】サイドインナーレンズにおける導光状態を示す断面図である。
【図１９】サイドインナーレンズの発光状態を示す概略図である。
【図２０】打球供給皿の内部構造を示す分解斜視図である。
【図２１】（ａ）は上皿前中レンズを示す正面図であり、（ｂ）は（ａ）のＥ−Ｅ断面図である。
【図２２】（ａ）は図２１（ｂ）の要部拡大図であり、（ｂ）は（ａ）のＦ−Ｆ断面図である。
【図２３】余剰球受皿の内部構造を示す分解斜視図である。
【図２４】（ａ）は下皿光拡散レンズ及び右下皿ＬＥＤケースを示す正面図であり、（ｂ）は（ａ）のＧ−Ｇ断面図であり、（ｃ）は（ｂ）のＨ−Ｈ断面図である。
【符号の説明】
【０３３４】
１                  パチンコ機
２８ｂ，２８ｃ      左枠ＬＥＤ，右枠ＬＥＤ
２８Ｌ，２８Ｒ      左発光部，右発光部
８１                演出制御用マイクロコンピュータ
１５６              遊技制御用マイクロコンピュータ
４５７ａ〜４５７ｄ  サイドインナーレンズ
６００              直線発光部
６０３              第１の凹部
６０４              第２の凹部
６０５              第１の凸部
６０６              第２の凸部
６１２              照射光反射部
６１３              補助反射部
【図１】
2008200294.tif 000003
【図２】
2008200294.tif 000004
【図３】
2008200294.tif 000005
【図４】
2008200294.tif 000006
【図５】
2008200294.tif 000007
【図６】
2008200294.tif 000008
【図７】
2008200294.tif 000009
【図８】
2008200294.tif 000010
【図９】
2008200294.tif 000011
【図１０】
2008200294.tif 000012
【図１１】
2008200294.tif 000013
【図１２】
2008200294.tif 000014
【図１３】
2008200294.tif 000015
【図１４】
2008200294.tif 000016
【図１５】
2008200294.tif 000017
【図１６】
2008200294.tif 000018
【図１７】
2008200294.tif 000019
【図１８】
2008200294.tif 000020
【図１９】
2008200294.tif 000021
【図２０】
2008200294.tif 000022
【図２１】
2008200294.tif 000023
【図２２】
2008200294.tif 000024
【図２３】
2008200294.tif 000025
【図２４】
2008200294.tif 000026